(57)【特許請求の範囲】
【請求項１】
ランダムアクセスのプロセスにおいてリソースを事前決定するための方法であって、
ユーザ機器によって送信されたランダムアクセスプリアンブルを受信し、前記受信されたランダムアクセスプリアンブルに従ってプリアンブル情報を決定するステップであって、前記プリアンブル情報はランダムアクセスプリアンブルインデックスを含む、ステップと、
前記プリアンブル情報とランダムアクセス応答RARリソース情報との間の対応関係に従って前記ランダムアクセスプリアンブルに対応するRARリソースを決定するステップであって、前記RARリソース情報はRARリソースインデックスを含み、ならびに前記プリアンブル情報と前記RARリソース情報との間の前記対応関係は、シグナリングを使用することによって構成されるか、またはシステムによってプリセットされる、ステップと、
前記ランダムアクセスプリアンブルに対応する前記RARリソース上で前記ランダムアクセスプリアンブルに対応する前記RARメッセージを前記ユーザ機器に送信するステップとを含み、
前記プリアンブル情報と前記RARリソース情報との間の前記対応関係は、関数関係、表関係、または指定された関係であり、
前記プリアンブル情報と前記RARリソース情報との間の前記対応関係は、シグナリングを使用することによって構成されるか、または前記システムによってプリセットされ、前記シグナリングは、ブロードキャストまたはマルチキャストシグナリングを含み、前記プリアンブル情報と前記RARリソース情報との間の、シグナリングを使用することによって構成されるか、または前記システムによってプリセットされた、前記対応関係は、前記ランダムアクセスプリアンブルインデックスと前記RARリソースインデックスとの間の対応関係を含む、方法。
【請求項２】
前記プリアンブル情報と前記RARリソース情報との間の前記対応関係は、
(前記ランダムアクセスプリアンブルに対応する前記RARリソースインデックス)=(前記ランダムアクセスプリアンブルインデックス)mod(シグナリングを使用することによって構成されるか、または前記システムによってプリセットされたRARリソースの量)
であることを含み、ここにおいてmodはモジュロ演算を表す、請求項1に記載の方法。
【請求項３】
ランダムアクセスにおいてリソースを事前決定するための方法であって、
ランダムアクセスプリアンブルを決定し、前記第1のランダムアクセスプリアンブルを基地局に送信するステップと、
前記第1のランダムアクセスプリアンブルに従ってプリアンブル情報を決定するステップであって、前記プリアンブル情報はランダムアクセスプリアンブルインデックスを含む、ステップと、
前記プリアンブル情報とランダムアクセス応答RARリソース情報との間の対応関係に従って前記第1のランダムアクセスプリアンブルに対応するRARリソースを決定するステップであって、前記RARリソース情報はRARリソースインデックスを含み、ならびに前記プリアンブル情報と前記RARリソース情報との間の前記対応関係は、シグナリングを使用することによって構成されるか、またはシステムによってプリセットされる、ステップと、
前記第1のランダムアクセスプリアンブルに対応する前記RARリソース上で、前記基地局によって送信された媒体アクセス制御MACパケットデータユニットPDUを受信し、前記MAC PDUが前記第1のランダムアクセスプリアンブルに対応する前記RARメッセージを含むかどうかを決定するステップとを含み、
前記プリアンブル情報と前記RARリソース情報との間の前記対応関係は、関数関係、表関係、または指定された関係であり、
前記プリアンブル情報と前記RARリソース情報との間の前記対応関係は、シグナリングを使用することによって構成されるか、または前記システムによってプリセットされ、前記プリアンブル情報と前記RARリソース情報との間の前記対応関係は、前記ランダムアクセスプリアンブルインデックスと前記RARリソースインデックスとの間の対応関係を含む、方法。
【請求項４】
前記プリアンブル情報と前記RARリソース情報との間の前記対応関係は、
(前記ランダムアクセスプリアンブルに対応する前記RARリソースインデックス)=(前記ランダムアクセスプリアンブルインデックス)mod(シグナリングを使用することによって構成されるか、または前記システムによってプリセットされたRARリソースの量)
であることを含み、ここにおいてmodはモジュロ演算を表す、請求項3に記載の方法。
【請求項５】
基地局であって、
ユーザ機器によって送信されたランダムアクセスプリアンブルを受信し、前記受信されたランダムアクセスプリアンブルを情報決定ユニットに送信するように構成された受信ユニットと、
前記受信ユニットから前記ランダムアクセスプリアンブルを受信し、前記受信されたランダムアクセスプリアンブルに従ってプリアンブル情報を決定し、前記決定されたプリアンブル情報をリソース決定ユニットに送信するように構成された、前記情報決定ユニットであって、前記プリアンブル情報はランダムアクセスプリアンブルインデックスを含む、前記情報決定ユニットと、
前記情報決定ユニットから前記プリアンブル情報を受信し、前記プリアンブル情報とランダムアクセス応答RARリソース情報との間の対応関係に従って前記ランダムアクセスプリアンブルに対応するRARリソースを決定し、前記ランダムアクセスプリアンブルに対応する前記RARリソースを前記受信ユニットに送信するように構成された前記リソース決定ユニットであって、前記RARリソース情報はRARリソースインデックスを含み、ならびに前記プリアンブル情報と前記RARリソース情報との間の前記対応関係は、シグナリングを使用することによって構成されるか、またはシステムによってプリセットされる、前記リソース決定ユニットと、
前記リソース決定ユニットから、前記ランダムアクセスプリアンブルに対応する前記RARリソースを受信し、前記ランダムアクセスプリアンブルに対応する前記RARリソース上で前記ランダムアクセスプリアンブルに対応する前記RARメッセージを前記ユーザ機器に送信するように構成された送信ユニットとを備え、
前記プリアンブル情報と前記RARリソース情報との間の前記対応関係は、関数関係、表関係、または指定された関係であり、
前記プリアンブル情報と前記RARリソース情報との間の前記対応関係は、シグナリングを使用することによって構成されるか、または前記システムによってプリセットされ、前記シグナリングは、ブロードキャストまたはマルチキャストシグナリングを含み、前記プリアンブル情報と前記RARリソース情報との間の、シグナリングを使用することによって構成されるか、または前記システムによってプリセットされた、前記対応関係は、前記ランダムアクセスプリアンブルインデックスと前記RARリソースインデックスとの間の対応関係を含む、基地局。
【請求項６】
前記プリアンブル情報と前記RARリソース情報との間の前記対応関係は、
(前記ランダムアクセスプリアンブルに対応する前記RARリソースインデックス)=(前記ランダムアクセスプリアンブルインデックス)mod(シグナリングを使用することによって構成されるか、または前記システムによってプリセットされたRARリソースの量)
であることを含み、ここにおいてmodはモジュロ演算を表す、請求項5に記載の基地局。
【請求項７】
ユーザ機器であって、
ランダムアクセスプリアンブルを決定し、前記決定された第1のランダムアクセスプリアンブルを送信ユニットに送信するように構成されたプリアンブル決定ユニットと、
前記プリアンブル決定ユニットから前記第1のランダムアクセスプリアンブルを受信し、前記第1のランダムアクセスプリアンブルを基地局に送信するように構成された前記送信ユニットと、
前記第1のランダムアクセスプリアンブルに従ってプリアンブル情報を決定し、前記プリアンブル情報をリソース決定ユニットに送信するように構成された情報決定ユニットであって、前記プリアンブル情報はランダムアクセスプリアンブルインデックスを含む、情報決定ユニットと、
前記情報決定ユニットから前記プリアンブル情報を受信し、前記プリアンブル情報とランダムアクセス応答RARリソース情報との間の対応関係に従って前記第1のランダムアクセスプリアンブルに対応するRARリソースを決定し、前記第1のランダムアクセスプリアンブルに対応する前記RARリソースを受信ユニットに送信するように構成された前記リソース決定ユニットであって、前記RARリソース情報はRARリソースインデックスを含み、ならびに前記プリアンブル情報と前記RARリソース情報との間の前記対応関係は、シグナリングを使用することによって構成されるか、またはシステムによってプリセットされる、前記リソース決定ユニットと、
前記リソース決定ユニットから、前記第1のランダムアクセスプリアンブルに対応する前記RARリソースを受信し、前記第1のランダムアクセスプリアンブルに対応する前記RARリソース上で、前記基地局によって送信された媒体アクセス制御MACパケットデータユニットPDUを受信するように構成された前記受信ユニットと、
前記MAC PDUが前記第1のランダムアクセスプリアンブルに対応する前記RARメッセージを含むかどうかを決定するように構成されたメッセージ決定ユニットとを備え、
前記プリアンブル情報と前記RARリソース情報との間の前記対応関係は、関数関係、表関係、または指定された関係であり、
前記プリアンブル情報と前記RARリソース情報との間の前記対応関係は、シグナリングを使用することによって構成されるか、または前記システムによってプリセットされ、前記プリアンブル情報と前記RARリソース情報との間の、シグナリングを使用することによって構成されるか、または前記システムによってプリセットされた、前記対応関係は、前記ランダムアクセスプリアンブルインデックスと前記RARリソースインデックスとの間の対応関係を含む、ユーザ機器。
【請求項８】
前記プリアンブル情報と前記RARリソース情報との間の前記対応関係は、
(前記ランダムアクセスプリアンブルに対応する前記RARリソースインデックス)=(前記ランダムアクセスプリアンブルインデックス)mod(シグナリングを使用することによって構成されるか、または前記システムによってプリセットされたRARリソースの量)
であることを含み、ここにおいてmodはモジュロ演算を表す、請求項7に記載のユーザ機器。
【発明の詳細な説明】
【技術分野】
【０００１】
本発明は、通信分野に関するものであり、特に、ランダムアクセスにおいてリソースを事前決定するための方法、ユーザ機器、および基地局に関するものである。
【背景技術】
【０００２】
従来技術では、マシンタイプ通信(MTC)、ユーザ機器(UE)の重要な用途は、スマートメーターである。スマートメーターは、家の地下室に通常設置されるか、または金属ケーシングによって隔離される。MTC UEは、より深刻な経路または侵入損失の影響を受けやすい。したがって、通信事業者は、セルのカバレッジエリアがさらに拡張され、非常に厳しい環境(たとえば、地下室内に配置されるか、またはセルのエッジのところに配置される)においてMTC UEにサービスを提供できるようになることを期待している。
【０００３】
カバレッジエリアの拡張の際に、信号品質は、より多くのリソース(たとえば、時間リソース、および/もしくは周波数リソース、および/もしくは電力リソース、および/もしくは符号リソース)を消費することによって通常改善され、ならびに/または干渉強度は、干渉調整を通じて低減される。
【０００４】
ワイヤレス通信システムでは、ランダムアクセスプロセスは、ユーザ機器とネットワークとの間の接続を確立するために通常必要である。ロングタームエボリューション(LTE)ネットワークは、一例として使用されており、LTEのランダムアクセスプロセスは、競合ベースのモードと非競合ベースのモードの2つのモードを有する。競合ベースのランダムアクセスは、次の4つのステップを含む。ステップ1  UEは、利用可能なプリアンブル(preamble)から1つのプリアンブルをランダムに選択し、1つの利用可能な物理ランダムアクセスチャネル(PRACH)リソース上でランダムに選択されたプリアンブルを送信する。ステップ2  基地局は、検出されたプリアンブルに応答し、応答メッセージは、媒体アクセス制御パケットデータユニット(MAC PDU)に含まれる。MAC PDUは、1つのMAC header(ヘッダ)と、1つまたは複数のランダムアクセス応答(RAR)と、可能なpadding(パディング)ビットとを含む。
【０００５】
RARを運ぶMAC PDUは、簡単にメッセージ2と称され得る。メッセージ2は、1つの物理ダウンリンク共有チャネル(PDSCH)によって運ばれる。物理ダウンリンク制御チャネル(PDCCH)または拡張物理ダウンリンク制御チャネル(EPDCCH)は、PDSCHの伝送をスケジュールする。したがって、UEは、最初に、PDCCHまたはEPDCCHを検出し、PDSCHのスケジューリング情報を取得し、さらにスケジューリング情報に従ってPDSCHを検出する必要がある。UEが、PDSCHを首尾良く検出し、PDSCHによって運ばれるMAC PDUに含まれるRAPIDによって識別されたプリアンブルが、UEによって送信されたプリアンブルである場合に、UEは、UEによって送信されたプリアンブルを検出していることを確信し、RAPIDを含むsubheaderに対応するRARが基地局によってUEに送信されたRARであることを確信する。ステップ3  基地局によってフィードバックされたRARが受信されたと決定した後に、UEは、PUSCH(Physical Uplink Shared Channel、物理アップリンク共有チャネル)上でRAR応答を送信し、RAR応答は、簡単にメッセージ3と称される。メッセージ3は、主に、ue-Identity(ユーザID)およびEstablishment Cause(確立要求の原因)を含む。ステップ4  基地局は、UEによって送信されたメッセージ3を検出し、UEのランダムアクセスが成功したことを決定し、ランダムアクセス競合解決メッセージをUEに送信し、ランダムアクセス競合解決メッセージは、簡単にメッセージ4と称される。メッセージ4は、PDSCHによっても運ばれる。PDCCHまたはEPDCCHは、PDSCHの伝送をスケジュールする。したがって、UEは、最初に、PDCCHまたはEPDCCHを検出し、メッセージ4を運ぶPDSCHのスケジューリング情報を取得し、さらにスケジューリング情報に従ってPDSCHを検出する必要がある。UEが、首尾良くPDSCHを検出し、検出されたPDSCHで運ばれるメッセージ4に含まれるue-Identityが、メッセージ3に含まれる、UEのue-Identityと同じであるか、またはマッチする場合に、UEは、ランダムアクセスが成功したことを確信する。
【０００６】
したがって、競合ベースのランダムアクセスプロセスでは、前述の4つのステップは、6つのチャネル上でのシーケンス、データ、およびスケジューリング(または制御)情報の伝送を伴うことがわかる。プリアンブルシーケンスは、PRACHチャネル上で伝送され、メッセージ2のスケジューリング情報は、PDCCHまたはEPDCCH上で伝送され、メッセージ2は、PDSCH上で伝送され、メッセージ3は、PUSCH上で伝送され、メッセージ4のスケジューリング情報は、PDCCHまたはEPDCCH上で伝送され、メッセージ4は、PDSCH上で伝送される。前述の場合には、カバレッジ拡張要求条件(coverage enhancement requirement)が考慮される。UEのランダムアクセスが確実に実行されることが保証される必要がある場合、前述の6つのチャネルの伝送に対して性能の向上が必要になるが、これは、より多くのリソースが消費される必要があることを意味し、基地局およびUEを実装する複雑さが大幅に増大する。したがって、ランダムアクセスプロセスを簡素化するメカニズムが要求され、それがあれば、カバレッジ拡張の実装はより多くのリソースを消費する必要がなくなり、それによって、基地局およびUEを実装する複雑さが軽減される。
【発明の概要】
【課題を解決するための手段】
【０００７】
本発明の実施形態は、ランダムアクセスにおいてリソースを事前決定するための方法、ユーザ機器、および基地局を実現し、それによって、カバレッジ拡張の実装がより多くのリソースを消費することを必要とするので基地局およびUEを実装する複雑さが増大するという問題点を解決する。
【０００８】
前述の目的を達成するために、本発明の実施形態では、次の技術的解決方法が採用される。
【０００９】
第1の態様によれば、ランダムアクセスのプロセスにおいてリソースを事前決定するための方法が提供され、この方法は、
ユーザ機器によって送信されたランダムアクセスプリアンブルを受信し、受信されたランダムアクセスプリアンブルに従ってプリアンブル情報を決定するステップであって、プリアンブル情報は、ランダムアクセスプリアンブル、ランダムアクセスプリアンブルインデックス、ランダムアクセスプリアンブルを伝送するために使用される時間リソースのインデックス、ランダムアクセスプリアンブルを伝送するために使用される周波数リソースのインデックス、ランダムアクセスプリアンブルを伝送するために使用される時間リソースにおける開始時間リソース、およびランダムアクセスプリアンブルを伝送するために使用される開始周波数リソースのうちの1つまたは複数を含む、ステップと、
プリアンブル情報とランダムアクセス応答RARリソース情報との間の対応関係に従ってランダムアクセスプリアンブルに対応するRARリソースを決定するステップであって、RARリソース情報は、RARリソース、RARリソースインデックス、RARメッセージを伝送するために使用される時間リソースのインデックス、RARメッセージを伝送するために使用される周波数リソースのインデックス、RARメッセージを伝送するために使用される時間リソースにおける開始時間リソース、およびRARメッセージを伝送するために使用される開始周波数リソースのうちの1つまたは複数を含み、ならびにプリアンブル情報とRARリソース情報との間の対応関係は、シグナリングを使用することによって構成されるか、またはシステムによってプリセットされる、ステップと、
ランダムアクセスプリアンブルに対応するRARリソース上でランダムアクセスプリアンブルに対応するRARメッセージをユーザ機器に送信するステップとを含む。
【００１０】
第1の態様に関して、第1の可能な実装方式において、この方法は、
RARリソースがシグナリングを使用することによって構成されるか、またはシステムによってプリセットされること、およびシグナリングを使用することによって構成されるか、またはシステムによってプリセットされたRARリソースのうちの各RARリソースが1つまたは複数のランダムアクセスプリアンブルに対応することをさらに含む。
【００１１】
第1の態様の第1の可能な実装方式に関して、第2の可能な実装方式において、シグナリングを使用することによって構成されるか、またはシステムによってプリセットされたRARリソースは、
RARメッセージを伝送する際に占有される時間リソースの配置および/もしくは周波数リソースの配置、ならびに/または
RARメッセージを伝送する際に占有される時間リソースの開始配置および/もしくは周波数リソースの開始配置、ならびに/または
RARメッセージを伝送する際に占有される時間リソースのサイズおよび/もしくは周波数リソースのサイズ、ならびに/または
異なるRARを伝送する際に占有される時間リソース間の時間間隔および/もしくは周波数間隔、ならびに/または
1つの事前指定された時間範囲に含まれ、RARメッセージを伝送する際に占有される時間リソースの量、および1つの事前指定された周波数範囲に含まれ、RARメッセージを伝送する際に占有される周波数リソースの量を含む。
【００１２】
第1の態様の第1の可能な実装方式に関して、第3の可能な実装方式において、
N個のRARリソースが、シグナリングを使用することによって構成されるか、またはシステムによってプリセットされ、N個のRARリソースが、N個のランダムアクセスプリアンブルに対応し、Nが1よりも大きい正整数である場合に、プリアンブル情報とRARリソース情報との間の対応関係は、
各ランダムアクセスプリアンブルが1つのRARリソースもしくはRARリソースインデックスに対応し、異なるランダムアクセスプリアンブルに対応するRARリソースもしくはRARリソースインデックスが異なること、または
各ランダムアクセスプリアンブルインデックスが1つのRARリソースもしくはRARリソースインデックスに対応し、異なるランダムアクセスプリアンブルインデックスに対応するRARリソースもしくはRARリソースインデックスが異なることを含む。
【００１３】
第1の態様の第3の可能な実装方式に関して、第4の可能な実装方式において、この方法は、
1つのRARリソースがただ1つのランダムアクセスプリアンブルに対応する場合、RARリソース上で伝送される媒体アクセス制御MACパケットデータユニットPDUに含まれるRARメッセージは、ランダムアクセスプリアンブルまたはランダムアクセスプリアンブルインデックスを指示するための識別子を含まないことを含む。
【００１４】
第1の態様の第1の可能な実装方式に関して、第5の可能な実装方式において、N個のRARリソースが、シグナリングを使用することによって構成されるか、またはシステムによってプリセットされ、N個のRARリソースが、M個のランダムアクセスプリアンブルに対応し、NおよびMが1よりも大きい正整数であり、M>Nである場合に、プリアンブル情報とRARリソース情報との間の対応関係は、
各RARリソースまたはRARリソースインデックスが、少なくとも1つのランダムアクセスプリアンブルに対応し、複数のランダムアクセスプリアンブルに対応する少なくとも1つのRARリソースもしくはRARリソースインデックスがあること、または
各RARリソースまたはRARリソースインデックスが、少なくとも1つのランダムアクセスプリアンブルインデックスに対応し、複数のランダムアクセスプリアンブルインデックスに対応する少なくとも1つのRARリソースもしくはRARリソースインデックスがあることを含む。
【００１５】
第1の態様の第5の可能な実装方式に関して、第6の可能な実装方式において、
1つのRARリソースが、複数のランダムアクセスプリアンブルに対応する場合、RARリソース上で伝送されるMAC PDUに含まれるRARメッセージは、ランダムアクセスプリアンブルもしくはランダムアクセスプリアンブルインデックスを指示するための識別子を含み、識別子の長さは、kビットに等しく、k=ceil(log2(RARリソースに対応するランダムアクセスプリアンブルの量))であり、ここにおいて、ceilは切り上げの関数を表し、logは対数関数を表す、または
RARリソースのうちの少なくとも1つのRARリソースが、複数のランダムアクセスプリアンブルに対応する場合、各RARリソース上で伝送されるMAC PDUに含まれるRARメッセージは、ランダムアクセスプリアンブルもしくはランダムアクセスプリアンブルインデックスを指示するための識別子を含み、識別子の長さは、hビット以下であり、h=ceil(log2(max(第1のRARリソースに対応するランダムアクセスプリアンブルの量,第2のRARリソースに対応するランダムアクセスプリアンブルの量、...、第NのRARリソースに対応するランダムアクセスプリアンブルの量)))であり、ここにおいて、ceilは切り上げの関数を表し、logは対数関数を表し、maxは最大値関数を表し、Nは1よりも大きい正整数である。
【００１６】
第1の態様の第5の可能な実装方式に関して、第7の可能な実装方式において、N個のRARリソースがシグナリングを使用することによって構成されるか、またはシステムによってプリセットされ、N=2kである場合、
ランダムアクセスプリアンブルのプリアンブルインデックスは、sビットによって指示され、sビットのうちのkビットは、ランダムアクセスプリアンブルに対応するRARリソースインデックスに対応するkビットに従って決定され、sビットのうちの残りの(s-k)ビットは、ランダムアクセスプリアンブルまたはランダムアクセスプリアンブルインデックスを指示するための識別子を使用することによって決定される。
【００１７】
第1の態様に関して、第8の可能な実装方式において、
プリアンブル情報とRARリソース情報との間の対応関係は、関数関係、表関係、または指定された関係であり、
プリアンブル情報とRARリソース情報との間の対応関係は、シグナリングを使用することによって構成されるか、またはシステムによってプリセットされ、シグナリングは、ブロードキャストまたはマルチキャストシグナリングを含み、プリアンブル情報とRARリソース情報との間の、シグナリングを使用することによって構成されるか、またはシステムによってプリセットされた、対応関係は、
ランダムアクセスプリアンブルとRARリソースとの間の対応関係、または
ランダムアクセスプリアンブルインデックスとRARリソースとの間の対応関係、または
ランダムアクセスプリアンブルとRARリソースインデックスとの間の対応関係、または
ランダムアクセスプリアンブルインデックスとRARリソースインデックスとの間の対応関係を含む。
【００１８】
第1の態様の第8の可能な実装方式に関して、第9の可能な実装方式において、プリアンブル情報とRARリソース情報との間の対応関係は、
ランダムアクセスプリアンブルに対応するRARリソースインデックス=ランダムアクセスプリアンブルインデックスmodシグナリングを使用することによって構成されるか、またはシステムによってプリセットされたRARリソースの量、を含み、ここにおいてmodはモジュロ演算を表す。
【００１９】
第1の態様の第1の可能な実装方式に関して、第10の可能な実装方式において、シグナリングを使用することによって構成されるか、またはシステムによってプリセットされたRARリソースの異なるRARリソースに対応するランダムアクセスプリアンブルは、同じであるか、または部分的に同じであるか、または完全に異なる。
【００２０】
第1の態様に関して、第11の可能な実装方式において、この方法は、
指定されたパラメータとランダムアクセスプリアンブルとの間の対応関係に従って、指定されたパラメータに対応するランダムアクセスプリアンブルを決定するステップと、
指定されたパラメータに対応するランダムアクセスプリアンブルに従って、MAC PDUに含まれるRARメッセージにおいて、ランダムアクセスプリアンブルまたはランダムアクセスプリアンブルインデックスを指示するための、識別子のビットの量を決定するステップとをさらに含む。
【００２１】
第1の態様の第11の可能な実装方式に関して、第12の可能な実装方式において、
指定されたパラメータとランダムアクセスプリアンブルとの間の対応関係は、シグナリングを使用することによって構成されるか、またはシステムによってプリセットされ、ランダムアクセスプリアンブル、およびランダムアクセスプリアンブルまたはランダムアクセスプリアンブルインデックスを指示するための識別子のビットの量は、シグナリングを使用することによって構成されるか、またはシステムによってプリセットされ、
指定されたパラメータは、経路損失値もしくは範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【００２２】
第1の態様に関して、第13の可能な実装方式において、
ランダムアクセスプリアンブルに対応するRARメッセージは、一時識別子を指示するためのビットもしくはフィールドを含まず、一時識別子は、セル無線ネットワーク一時識別子、もしくは一時セル無線ネットワーク一時識別子を含み、および/または
ランダムアクセスプリアンブルに対応するRARメッセージは、アップリンクスケジューリング/グラント情報を含まず、および/または
ランダムアクセスプリアンブルに対応するRARメッセージは、事前定義されたタイミングアドバンスコマンド(timing advance command)を含み、事前定義されたタイミングアドバンスコマンドの調整精度(adjustment granularity)は、指定された調整精度よりも大きく、および/または
プリアンブル情報とRARリソース情報との間の対応関係は、1つまたは複数のセル共通パラメータをさらに含み、セル共通パラメータは、セル識別情報、サブフレーム番号、フレーム番号、タイムスロット番号、もしくは直交周波数分割多重シンボルインデックスを含み、および/または
RARメッセージを伝送する際に占有される時間リソースの開始時刻とユーザ機器によってランダムアクセスプリアンブルを伝送する際に占有される時間リソースの開始時刻との間にプリセットされたタイミング関係もしくはプリセットされた時間オフセットが存在するか、またはRARメッセージを伝送する際に占有される時間リソースの終了時刻とユーザ機器によってランダムアクセスプリアンブルを伝送する際に占有される時間リソースの終了時刻との間にプリセットされたタイミング関係もしくはプリセットされた時間オフセットが存在する。
【００２３】
第1の態様に関して、第14の可能な実装方式において、この方法は、
ユーザ機器によって送信されたRAR応答メッセージを受信するステップであって、RAR応答メッセージは、無線リソース制御(Radio Resource Control、RRC)接続要求を含み、
RRC接続要求は、第1のユーザ識別情報を指示するためのビットまたはフィールドを含み、第1のユーザ識別情報は、ランダムアクセスの競合衝突解決においてユーザ機器を区別するために使用され、第1のユーザ識別情報を指示するためのビットまたはフィールドに含まれるビットの量は、第1の指定されたビットの量よりも少ない、ステップをさらに含む。
【００２４】
第1の態様の第14の可能な実装方式に関して、第15の可能な実装方式において、RRC接続要求は、事前定義された確立原因をさらに含み、事前定義された確立原因を指示するためのビットの量は、第2の指定されたビットの量よりも多い。
【００２５】
第1の態様の第14または第15の可能な実装方式に関して、第16の可能な実装方式において、RAR応答メッセージを伝送するために使用されるリソースは、シグナリングを使用することによって構成されるか、またはシステムによってプリセットされ、シグナリングを使用することによって構成されるか、またはシステムによってプリセットされ、RAR応答メッセージを伝送するために使用されるリソースは、
RAR応答メッセージを伝送する際に占有される時間リソースの配置および/もしくは周波数リソースの配置、ならびに/または
RAR応答メッセージを伝送する際に占有される時間リソースの開始配置および/もしくは周波数リソースの開始配置、ならびに/または
RAR応答メッセージを伝送する際に占有される時間リソースのサイズおよび/もしくは周波数リソースのサイズ、ならびに/または
異なるRAR応答メッセージを伝送する際に占有される時間リソース間の時間間隔および/または異なるRAR応答メッセージを伝送する際に占有される周波数リソース間の周波数間隔、ならびに/または
1つの事前指定された時間範囲に含まれ、RAR応答メッセージを伝送する際に占有される時間リソースの量、および1つの事前指定された周波数範囲に含まれ、RAR応答メッセージを伝送する際に占有される周波数リソースの量を含む。
【００２６】
第1の態様の第14または第15の可能な実装方式に関して、第17の可能な実装方式において、この方法は、
RAR応答メッセージのリソースもしくはリソースインデックスとプリアンブル情報との間の対応関係に従って、RAR応答メッセージを受信するためのリソースを決定するステップ、または
RAR応答メッセージのリソースもしくはリソースインデックスとプリアンブル情報との間の対応関係およびセル共通パラメータに従って、RAR応答メッセージを受信するためのリソースを決定するステップ、または
RAR応答メッセージのリソースもしくはリソースインデックスとRARリソース情報との間の対応関係に従って、RAR応答メッセージを受信するためのリソースを決定するステップ、または
RAR応答メッセージのリソースもしくはリソースインデックスとRARリソース情報との間の対応関係およびセル共通パラメータに従って、RAR応答メッセージを受信するためのリソースを決定するステップ、または
RAR応答メッセージのリソースもしくはリソースインデックスと指定されたパラメータとの間の対応関係に従って、RAR応答メッセージを受信するためのリソースを決定するステップ、または
RAR応答メッセージのリソースもしくはリソースインデックスと指定されたパラメータとの間の対応関係およびセル共通パラメータに従って、RAR応答メッセージを受信するためのリソースを決定するステップをさらに含み、
セル共通パラメータは、セル識別情報、サブフレーム番号、フレーム番号、タイムスロット番号、もしくは直交周波数分割多重シンボルインデックスを含み、指定されたパラメータは、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【００２７】
第1の態様の第17の可能な実装方式に関して、第18の可能な実装方式において、
RAR応答メッセージのリソースインデックスとプリアンブル情報との間の対応関係は、
ランダムアクセスプリアンブルに対応するRAR応答メッセージのリソースインデックス=ランダムアクセスプリアンブルインデックスmodシグナリングを使用することによって構成されるか、またはシステムによってプリセットされたRAR応答メッセージのリソースの量、ここでmodはモジュロ演算を表す、または
RAR応答メッセージのリソースインデックス=ランダムアクセスプリアンブルに対応するRARリソースインデックス、を含む。
【００２８】
第1の態様の第14の可能な実装方式に関して、第19の可能な実装方式において、RAR応答メッセージを伝送する際に占有される時間リソースの開始時刻とRARメッセージを伝送する際に占有される時間リソースの開始時刻との間にプリセットされたタイミング関係もしくはプリセットされた時間オフセットが存在するか、またはRAR応答メッセージを伝送する際に占有される時間リソースの終了時刻とRARメッセージを伝送する際に占有される時間リソースの終了時刻との間にプリセットされたタイミング関係もしくはプリセットされた時間オフセットが存在する。
【００２９】
第1の態様に関して、第20の可能な実装方式において、この方法は、
競合解決メッセージをユーザ機器に送信するステップをさらに含み、
競合解決メッセージは、第2のユーザ識別情報を指示するためのビットまたはフィールドを含み、第2のユーザ識別情報は、ランダムアクセスの競合衝突解決においてユーザ機器を区別するために使用され、第2のユーザ識別情報を指示するためのビットまたはフィールドに含まれるビットの量は、第3の指定されたビットの量よりも少ない。
【００３０】
第1の態様の第20の可能な実装方式に関して、第21の可能な実装方式において、競合解決メッセージは、一時識別子を指示するためのビットもしくはフィールドをさらに含み、一時識別子は、セル無線ネットワーク一時識別子、もしくは一時セル無線ネットワーク一時識別子を含む。
【００３１】
第1の態様の第20または第21の可能な実装方式に関して、第22の可能な実装方式において、競合解決メッセージを伝送するために使用されるリソースは、シグナリングを使用することによって構成されるか、またはシステムによってプリセットされ、シグナリングを使用することによって構成されるか、またはシステムによってプリセットされ、競合解決メッセージを伝送するために使用されるリソースは、
競合解決メッセージを伝送する際に占有される時間リソースの配置および/もしくは周波数リソースの配置、ならびに/または
競合解決メッセージを伝送する際に占有される時間リソースの開始配置および/もしくは周波数リソースの開始配置、ならびに/または
競合解決メッセージを伝送する際に占有される時間リソースのサイズおよび/もしくは周波数リソースのサイズ、ならびに/または
異なる競合解決メッセージを伝送する際に占有される時間リソース間の時間間隔および/もしくは異なる競合解決メッセージを伝送する際に占有される周波数リソース間の周波数間隔、ならびに/または
1つの事前指定された時間範囲に含まれ、競合解決メッセージを伝送する際に占有される時間リソースの量、および1つの事前指定された周波数範囲に含まれ、競合解決メッセージを伝送する際に占有される周波数リソースの量を含む。
【００３２】
第1の態様の第20または第21の可能な実装方式に関して、第23の可能な実装方式において、この方法は、
競合解決メッセージのリソースもしくはリソースインデックスとプリアンブル情報との間の対応関係に従って、競合解決メッセージを送信するためのリソースを決定するステップ、または
競合解決メッセージのリソースもしくはリソースインデックスとプリアンブル情報との間の対応関係およびセル共通パラメータに従って、競合解決メッセージを送信するためのリソースを決定するステップ、または
競合解決メッセージのリソースもしくはリソースインデックスとRARリソース情報との間の対応関係に従って、競合解決メッセージを送信するためのリソースを決定するステップ、または
競合解決メッセージのリソースもしくはリソースインデックスとRARリソース情報との間の対応関係およびセル共通パラメータに従って、競合解決メッセージを送信するためのリソースを決定するステップ、または
競合解決メッセージのリソースもしくはリソースインデックスと指定されたパラメータとの間の対応関係に従って、競合解決メッセージを送信するためのリソースを決定するステップ、または
競合解決メッセージのリソースもしくはリソースインデックスと指定されたパラメータとの間の対応関係およびセル共通パラメータに従って、競合解決メッセージを送信するためのリソースを決定するステップをさらに含み、
セル共通パラメータは、セル識別情報、サブフレーム番号、フレーム番号、タイムスロット番号、もしくは直交周波数分割多重シンボルインデックスを含み、指定されたパラメータは、競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【００３３】
第1の態様の第20の可能な実装方式に関して、第24の可能な実装方式において、競合解決メッセージを伝送する際に占有される時間リソースの開始時刻とRAR応答メッセージを伝送する際に占有される時間リソースの開始時刻との間にプリセットされたタイミング関係もしくはプリセットされた時間オフセットが存在するか、または競合解決メッセージを伝送する際に占有される時間リソースの終了時刻とRAR応答メッセージを伝送する際に占有される時間リソースの終了時刻との間にプリセットされたタイミング関係もしくはプリセットされた時間オフセットが存在する。
【００３４】
第1の態様に関して、第25の可能な実装方式において、この方法は、
ユーザ機器によって再送されたRAR応答メッセージを受信するステップ、および/または
再送競合解決メッセージをユーザ機器に送信するステップをさらに含む。
【００３５】
第1の態様の第25の可能な実装方式に関して、第26の可能な実装方式において、RAR応答メッセージを再送する際に占有される時間リソースおよび周波数リソースのサイズ、ならびに/またはRAR応答メッセージを再送する際に占有される時間リソースおよび周波数リソースの開始配置もしくは配置、ならびに/またはシステム内の特定の2つのRAR応答メッセージを再送する際に占有される時間リソースの間の間隔および/または周波数リソースの間の間隔、ならびに/またはRAR応答メッセージを再送する際に占有される時間リソースおよび周波数リソースの量は、シグナリングを使用することによって構成されるか、またはシステムによってプリセットされ、
競合解決メッセージを再送する際に占有される時間リソースおよび周波数リソースのサイズ、ならびに/または競合解決メッセージを再送する際に占有される時間リソースおよび周波数リソースの開始配置もしくは配置、ならびに/またはシステム内の特定の2つの競合解決メッセージを再送する際に占有される時間リソースの間の間隔および/または周波数リソースの間の間隔、ならびに/または競合解決メッセージを再送する際に占有される時間リソースおよび周波数リソースの量は、シグナリングを使用することによって構成されるか、またはシステムによってプリセットされる。
【００３６】
第1の態様の第25の可能な実装方式に関して、第27の可能な実装方式において、この方法は、
再送RAR応答メッセージのリソースもしくはリソースインデックスとプリアンブル情報との間の対応関係およびプリセットされた時間オフセットに従って、再送RAR応答情報を受信するためのリソースを決定するステップ、または
再送RAR応答メッセージのリソースもしくはリソースインデックスとプリアンブル情報との間の対応関係、プリセットされた時間オフセット、およびセル共通パラメータに従って、再送RAR応答メッセージを受信するためのリソースを決定するステップ、または
再送RAR応答メッセージのリソースもしくはリソースインデックスとRARリソース情報との間の対応関係およびプリセットされた時間オフセットに従って、再送RAR応答メッセージを受信するためのリソースを決定するステップ、または
再送RAR応答メッセージのリソースもしくはリソースインデックスとRARリソース情報との間の対応関係、プリセットされた時間オフセット、およびセル共通パラメータに従って、再送RAR応答メッセージを受信するためのリソースを決定するステップ、または
再送RAR応答メッセージのリソースもしくはリソースインデックスと指定されたパラメータとの間の対応関係およびプリセットされた時間オフセットに従って、再送RAR応答メッセージを受信するためのリソースを決定するステップ、または
再送RAR応答メッセージのリソースもしくはリソースインデックスと指定されたパラメータとの間の対応関係、プリセットされた時間オフセット、およびセル共通パラメータに従って、再送RAR応答メッセージを受信するためのリソースを決定するステップをさらに含み、
セル共通パラメータは、セル識別情報、サブフレーム番号、フレーム番号、タイムスロット番号、もしくは直交周波数分割多重シンボルインデックスを含み、指定されたパラメータは、RAR応答を送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【００３７】
第1の態様の第25の可能な実装方式に関して、第28の可能な実装方式において、この方法は、
再送競合解決メッセージのリソースもしくはリソースインデックスとプリアンブル情報との間の対応関係およびプリセットされた時間オフセットに従って、再送競合解決メッセージを送信するためのリソースを決定するステップ、または
再送競合解決メッセージのリソースもしくはリソースインデックスとプリアンブル情報との間の対応関係、プリセットされた時間オフセット、およびセル共通パラメータに従って、再送競合解決メッセージを送信するためのリソースを決定するステップ、または
再送競合解決メッセージのリソースもしくはリソースインデックスとRARリソース情報との間の対応関係およびプリセットされた時間オフセットに従って、再送競合解決メッセージを送信するためのリソースを決定するステップ、または
再送競合解決メッセージのリソースもしくはリソースインデックスとRARリソース情報との間の対応関係、プリセットされた時間オフセット、およびセル共通パラメータに従って、再送競合解決メッセージを送信するためのリソースを決定するステップ、または
再送競合解決メッセージのリソースもしくはリソースインデックスと指定されたパラメータとの間の対応関係およびプリセットされた時間オフセットに従って、再送競合解決メッセージを送信するためのリソースを決定するステップ、または
再送競合解決メッセージのリソースもしくはリソースインデックスと指定されたパラメータとの間の対応関係、プリセットされた時間オフセット、およびセル共通パラメータに従って、再送競合解決メッセージを送信するためのリソースを決定するステップをさらに含み、
セル共通パラメータは、セル識別情報、サブフレーム番号、フレーム番号、タイムスロット番号、もしくは直交周波数分割多重シンボルインデックスを含み、指定されたパラメータは、再送競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【００３８】
第1の態様の第25から第28の可能な実装方式のうちのいずれか1つに関して、第29の可能な実装方式において、
RAR応答メッセージに使用されるリソースは、RAR応答メッセージの伝送の回数に対応し、RAR応答メッセージの伝送の異なる回数で使用されるリソースは、時間、および/または周波数、および/またはコードワードに関して直交しており、
競合解決メッセージに使用されるリソースは、競合解決メッセージの伝送の回数に対応し、競合解決メッセージの伝送の異なる回数で使用されるリソースは、時間、および/または周波数、および/またはコードワードに関して直交しており、
第1のメッセージの伝送は、事前定義された第1のメッセージ構成を使用することによって実行され、第1の情報は、RARメッセージ、またはRAR応答メッセージ、または競合解決メッセージ、または再送RAR応答メッセージ、または再送競合解決メッセージであり、第1のメッセージ構成は、変調符号化方式、伝送ブロックのサイズ、電力設定のうちの1つまたは複数を含む。
【００３９】
第1の態様の第29の可能な実装方式に関して、第30の可能な実装方式において、第1の情報を伝送するために使用されるリソースが、シグナリングを使用することによって構成される場合、この方法は、
構成シグナリングをユーザ機器に送信するステップであって、構成シグナリングは、第1の情報を伝送するために使用されるリソース構成をユーザ機器に通知するために使用される、ステップをさらに含む。
【００４０】
第2の態様によれば、ランダムアクセスにおいてリソースを事前決定するための方法が提供され、この方法は、
ランダムアクセスプリアンブルを決定し、決定された第1のランダムアクセスプリアンブルを基地局に送信するステップと、
第1のランダムアクセスプリアンブルに従ってプリアンブル情報を決定するステップであって、プリアンブル情報はランダムアクセスプリアンブル、ランダムアクセスプリアンブルインデックス、ランダムアクセスプリアンブルを伝送するために使用される時間リソースのインデックス、ランダムアクセスプリアンブルを伝送するために使用される周波数リソースのインデックス、ランダムアクセスプリアンブルを伝送するために使用される時間リソースにおける開始時間リソース、およびランダムアクセスプリアンブルを伝送するために使用される開始周波数リソースのうちの1つまたは複数を含む、ステップと、
プリアンブル情報とランダムアクセス応答RARリソース情報との間の対応関係に従って第1のランダムアクセスプリアンブルに対応するRARリソースを決定するステップであって、RARリソース情報は、RARリソース、RARリソースインデックス、RARメッセージを伝送するために使用される時間リソースのインデックス、RARメッセージを伝送するために使用される周波数リソースのインデックス、RARメッセージを伝送するために使用される時間リソースにおける開始時間リソース、およびRARメッセージを伝送するために使用される開始周波数リソースのうちの1つまたは複数を含み、ならびにプリアンブル情報とRARリソース情報との間の対応関係は、シグナリングを使用することによって構成されるか、またはシステムによってプリセットされる、ステップと、
第1のランダムアクセスプリアンブルに対応するRARリソース上で、基地局によって送信された媒体アクセス制御MACパケットデータユニットPDUを受信し、MAC PDUが第1のランダムアクセスプリアンブルに対応するRARメッセージを含むかどうかを決定するステップとを含む。
【００４１】
第2の態様に関して、第1の可能な実装方式において、
RARリソースがシグナリングを使用することによって構成されるか、またはシステムによってプリセットされ、シグナリングを使用することによって構成されるか、またはシステムによってプリセットされたRARリソースのうちの各RARリソースが1つまたは複数のランダムアクセスプリアンブルに対応する。
【００４２】
第2の態様の第1の可能な実装方式に関して、第2の可能な実装方式において、シグナリングを使用することによって構成されるか、またはシステムによってプリセットされたRARリソースは、
RARメッセージを伝送する際に占有される時間リソースの配置および/もしくは周波数リソースの配置、ならびに/または
RARメッセージを伝送する際に占有される時間リソースの開始配置および/もしくは周波数リソースの開始配置、ならびに/または
RARメッセージを伝送する際に占有される時間リソースのサイズおよび/もしくは周波数リソースのサイズ、ならびに/または
異なるRARを伝送する際に占有される時間リソース間の時間間隔および/もしくは周波数間隔、ならびに/または
1つの事前指定された時間範囲に含まれ、RARメッセージを伝送する際に占有される時間リソースの量、および1つの事前指定された周波数範囲に含まれ、RARメッセージを伝送する際に占有される周波数リソースの量を含む。
【００４３】
第2の態様の第1の可能な実装方式に関して、第3の実装方式において、
N個のRARリソースが、シグナリングを使用することによって構成されるか、またはシステムによってプリセットされ、N個のRARリソースが、N個のランダムアクセスプリアンブルに対応し、Nが1よりも大きい正整数である場合に、プリアンブル情報とRARリソース情報との間の対応関係は、
各ランダムアクセスプリアンブルが1つのRARリソースもしくはRARリソースインデックスに対応し、異なるランダムアクセスプリアンブルに対応するRARリソースもしくはRARリソースインデックスが異なること、または
各ランダムアクセスプリアンブルインデックスが1つのRARリソースもしくはRARリソースインデックスに対応し、異なるランダムアクセスプリアンブルインデックスに対応するRARリソースもしくはRARリソースインデックスが異なることを含む。
【００４４】
第2の態様の第3の可能な実装方式に関して、第4の可能な実装方式において、この方法は、
1つのRARリソースがただ1つのランダムアクセスプリアンブルに対応する場合、RARリソース上で伝送される媒体アクセス制御MACパケットデータユニットPDUに含まれるRARメッセージは、ランダムアクセスプリアンブルまたはランダムアクセスプリアンブルインデックスを指示するための識別子を含まないことを含む。
【００４５】
第2の態様の第1の可能な実装方式に関して、第5の可能な実装方式において、N個のRARリソースが、シグナリングを使用することによって構成されるか、またはシステムによってプリセットされ、N個のRARリソースが、M個のランダムアクセスプリアンブルに対応し、NおよびMが1よりも大きい正整数であり、M>Nである場合に、プリアンブル情報とRARリソース情報との間の対応関係は、
各RARリソースまたはRARリソースインデックスが、少なくとも1つのランダムアクセスプリアンブルに対応し、複数のランダムアクセスプリアンブルに対応する少なくとも1つのRARリソースもしくはRARリソースインデックスがあること、または
各RARリソースまたはRARリソースインデックスが、少なくとも1つのランダムアクセスプリアンブルインデックスに対応し、複数のランダムアクセスプリアンブルインデックスに対応する少なくとも1つのRARリソースもしくはRARリソースインデックスがあることを含む。
【００４６】
第2の態様の第5の可能な実装方式に関して、第6の可能な実装方式において、
1つのRARリソースが、複数のランダムアクセスプリアンブルに対応する場合、RARリソース上で伝送されるMAC PDUに含まれるRARメッセージは、ランダムアクセスプリアンブルもしくはランダムアクセスプリアンブルインデックスを指示するための識別子を含み、識別子の長さは、kビットに等しく、k=ceil(log2(RARリソースに対応するランダムアクセスプリアンブルの量))であり、ここにおいて、ceilは切り上げの関数を表し、logは対数関数を表す、または
RARリソースのうちの少なくとも1つのRARリソースが、複数のランダムアクセスプリアンブルに対応する場合、各RARリソース上で伝送されるMAC PDUに含まれるRARメッセージは、ランダムアクセスプリアンブルもしくはランダムアクセスプリアンブルインデックスを指示するための識別子を含み、識別子の長さは、hビット以下であり、h=ceil(log2(max(第1のRARリソースに対応するランダムアクセスプリアンブルの量,第2のRARリソースに対応するランダムアクセスプリアンブルの量、...、第NのRARリソースに対応するランダムアクセスプリアンブルの量)))であり、ここにおいて、ceilは切り上げの関数を表し、logは対数関数を表し、maxは最大値関数を表し、Nは1よりも大きい正整数である。
【００４７】
第2の態様の第6の可能な実装方式に関して、第7の可能な実装方式において、MAC PDUが第1のランダムアクセスプリアンブルに対応するRARメッセージを含むかどうかを決定するステップは、
RARメッセージが配置されているRARリソースまたはRARリソースインデックスに対応するビットが、ランダムアクセスプリアンブルおよび第1のランダムアクセスプリアンブルと同じであり、ランダムアクセスプリアンブルはランダムアクセスプリアンブルまたはランダムアクセスプリアンブルインデックスを指示するための識別子によって指示され、識別子はMAC PDUに含まれるRARメッセージに含まれる場合に、MAC PDUが第1のランダムアクセスプリアンブルに対応するRARメッセージを含むと決定するステップ、または
RARメッセージが配置されているRARリソースまたはRARリソースインデックスに対応するビットが、ランダムアクセスプリアンブルインデックスおよびユーザ機器によって決定される第1のランダムアクセスプリアンブルインデックスと同じであり、ランダムアクセスプリアンブルインデックスはランダムアクセスプリアンブルまたはランダムアクセスプリアンブルインデックスを指示するための識別子によって指示され、識別子はMAC PDUに含まれるRARメッセージに含まれる場合に、MAC PDUが第1のランダムアクセスプリアンブルに対応するRARメッセージを含むと決定するステップ、または
第1のランダムアクセスプリアンブルに対応するRARリソース上で受信されたMAC PDUに含まれるRARメッセージに含まれる、ランダムアクセスプリアンブルまたはランダムアクセスプリアンブルインデックスを指示するための、識別子の状態が、第1のランダムアクセスプリアンブルまたは第1のランダムアクセスプリアンブルインデックスに対応するビットのうちのaビットの状態と同じである場合に、MAC PDUが、第1のランダムアクセスプリアンブルに対応するRARメッセージを含み、aはランダムアクセスプリアンブルまたはランダムアクセスプリアンブルインデックスを指示するための識別子のビットの量に等しい、と決定するステップを含む。
【００４８】
第2の態様の第5の可能な実装方式に関して、第8の可能な実装方式において、N個のRARリソースがシグナリングを使用することによって構成されるか、またはシステムによってプリセットされ、N=2kである場合、
ランダムアクセスプリアンブルのプリアンブルインデックスは、sビットによって指示され、sビットのうちのkビットは、ランダムアクセスプリアンブルに対応するRARリソースインデックスに対応するkビットに従って決定され、sビットのうちの残りの(s-k)ビットは、ランダムアクセスプリアンブルまたはランダムアクセスプリアンブルインデックスを指示するための識別子を使用することによって決定される。
【００４９】
第2の態様の第8の可能な実装方式に関して、第9の可能な実装方式において、MAC PDUが第1のランダムアクセスプリアンブルに対応するRARメッセージを含むかどうかを決定するステップは、
第1のランダムアクセスプリアンブルに対応するRARリソースインデックスに対応するビット値を決定するステップであって、RARリソースインデックスに対応するビット値はプリセットされる、ステップと、
MAC PDU内の識別子に対応するビット値を決定するステップと、
ランダムアクセスプリアンブルに対応するRARリソースインデックスに対応するビット値とMAC PDU内の識別子に対応するビット値とを組み合わせてsビットを取得するステップと、
sビットによって指示されるランダムアクセスプリアンブルを決定するステップと、
第1のランダムアクセスプリアンブルがsビットによって指示されるランダムアクセスプリアンブルと同じであるかどうかを決定し、第1のランダムアクセスプリアンブルがsビットによって指示されるランダムアクセスプリアンブルと同じである場合に、MAC PDUが第1のランダムアクセスプリアンブルに対応するRARメッセージを含むと決定するか、または第1のランダムアクセスプリアンブルが、sビットによって指示されるランダムアクセスプリアンブルと異なる場合に、MAC PDUが第1のランダムアクセスプリアンブルに対応するRARメッセージを含まないと決定するステップとを含む。
【００５０】
第2の態様に関して、第10の可能な実装方式において、プリアンブル情報とRARリソース情報との間の対応関係は、関数関係、表関係、または指定された関係であり、
プリアンブル情報とRARリソース情報との間の対応関係は、シグナリングを使用することによって構成されるか、またはシステムによってプリセットされ、プリアンブル情報とRARリソース情報との間の、シグナリングを使用することによって構成されるか、またはシステムによってプリセットされた、対応関係は、
ランダムアクセスプリアンブルとRARリソースとの間の対応関係、または
ランダムアクセスプリアンブルインデックスとRARリソースとの間の対応関係、または
ランダムアクセスプリアンブルとRARリソースインデックスとの間の対応関係、または
ランダムアクセスプリアンブルインデックスとRARリソースインデックスとの間の対応関係を含む。
【００５１】
第2の態様の第10の可能な実装方式に関して、第11の可能な実装方式において、プリアンブル情報とRARリソース情報との間の対応関係は、
ランダムアクセスプリアンブルに対応するRARリソースインデックス=ランダムアクセスプリアンブルインデックスmodシグナリングを使用することによって構成されるか、またはシステムによってプリセットされたRARリソースの量、を含み、ここにおいてmodはモジュロ演算を表す。
【００５２】
第2の態様の第1の可能な実装方式に関して、第12の可能な実装方式において、シグナリングを使用することによって構成されるか、またはシステムによってプリセットされたRARリソースの異なるRARリソースに対応するランダムアクセスプリアンブルは、同じであるか、または部分的に同じであるか、または完全に異なる。
【００５３】
第2の態様に関して、第13の可能な実装方式において、MAC PDUに含まれるRARメッセージにおいて、ランダムアクセスプリアンブルまたはランダムアクセスプリアンブルインデックスを指示するための、識別子のビットの量は、指定されたパラメータとランダムアクセスプリアンブルとの間の対応関係に従って基地局によって決定される。
【００５４】
第2の態様の第13の可能な実装方式に関して、第14の可能な実装方式において、
指定されたパラメータとランダムアクセスプリアンブルとの間の対応関係は、シグナリングを使用することによって構成されるか、またはシステムによってプリセットされ、ランダムアクセスプリアンブルまたはランダムアクセスプリアンブルインデックスを指示するための識別子のビットの量は、シグナリングを使用することによって構成されるか、またはシステムによってプリセットされ、
指定されたパラメータは、経路損失値もしくは範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【００５５】
第2の態様に関して、第15の可能な実装方式において、
第1のランダムアクセスプリアンブルに対応するRARメッセージは、一時識別子を指示するためのビットもしくはフィールドを含まず、一時識別子は、セル無線ネットワーク一時識別子、もしくは一時セル無線ネットワーク一時識別子を含み、および/または
第1のランダムアクセスプリアンブルに対応するRARメッセージは、アップリンクスケジューリング/グラント情報を含まず、および/または
第1のランダムアクセスプリアンブルに対応するRARメッセージは、事前定義されたタイミングアドバンスコマンドを含み、事前定義されたタイミングアドバンスコマンドの調整精度は、指定された調整精度よりも大きく、および/または
プリアンブル情報とRARリソース情報との間の対応関係は、1つまたは複数のセル共通パラメータをさらに含み、セル共通パラメータは、セル識別情報、サブフレーム番号、フレーム番号、タイムスロット番号、もしくは直交周波数分割多重シンボルインデックスを含み、および/または
RARメッセージを伝送する際に占有される時間リソースの開始時刻とユーザ機器によってランダムアクセスプリアンブルを伝送する際に占有される時間リソースの開始時刻との間にプリセットされたタイミング関係もしくはプリセットされた時間オフセットが存在するか、またはRARメッセージを伝送する際に占有される時間リソースの終了時刻とユーザ機器によってランダムアクセスプリアンブルを伝送する際に占有される時間リソースの終了時刻との間にプリセットされたタイミング関係もしくはプリセットされた時間オフセットが存在する。
【００５６】
第2の態様に関して、第16の可能な実装方式において、この方法は、
RAR応答メッセージを基地局に送信するステップであって、RAR応答メッセージは、無線リソース制御RRC接続要求を含み、
RRC接続要求は、第1のユーザ識別情報を指示するためのビットまたはフィールドを含み、第1のユーザ識別情報は、ランダムアクセスの競合衝突解決においてユーザ機器を区別するために使用され、第1のユーザ識別情報を指示するためのビットまたはフィールドに含まれるビットの量は、第1の指定されたビットの量よりも少ない、ステップをさらに含む。
【００５７】
第2の態様の第16の可能な実装方式に関して、第17の可能な実装方式において、RRC接続要求は、事前定義された確立原因をさらに含み、事前定義された確立原因を指示するためのビットの量は、第2の指定されたビットの量よりも多い。
【００５８】
第2の態様の第16または第17の可能な実装方式に関して、第18の可能な実装方式において、RAR応答メッセージを伝送するために使用されるリソースは、シグナリングを使用することによって構成されるか、またはシステムによってプリセットされ、シグナリングを使用することによって構成されるか、またはシステムによってプリセットされ、RAR応答メッセージを伝送するために使用されるリソースは、
RAR応答メッセージを伝送する際に占有される時間リソースの配置および/もしくは周波数リソースの配置、ならびに/または
RAR応答メッセージを伝送する際に占有される時間リソースの開始配置および/もしくは周波数リソースの開始配置、ならびに/または
RAR応答メッセージを伝送する際に占有される時間リソースのサイズおよび/もしくは周波数リソースのサイズ、ならびに/または
異なるRAR応答メッセージを伝送する際に占有される時間リソース間の時間間隔および/または異なるRAR応答メッセージを伝送する際に占有される周波数リソース間の周波数間隔、ならびに/または
1つの事前指定された時間範囲に含まれ、RAR応答メッセージを伝送する際に占有される時間リソースの量、および1つの事前指定された周波数範囲に含まれ、RAR応答メッセージを伝送する際に占有される周波数リソースの量を含む。
【００５９】
第2の態様の第16または第17の可能な実装方式に関して、第19の可能な実装方式において、この方法は、
RAR応答メッセージのリソースもしくはリソースインデックスとプリアンブル情報との間の対応関係に従って、RAR応答メッセージを送信するためのリソースを決定するステップ、または
RAR応答メッセージのリソースもしくはリソースインデックスとプリアンブル情報との間の対応関係およびセル共通パラメータに従って、RAR応答メッセージを送信するためのリソースを決定するステップ、または
RAR応答メッセージのリソースもしくはリソースインデックスとRARリソース情報との間の対応関係に従って、RAR応答メッセージを送信するためのリソースを決定するステップ、または
RAR応答メッセージのリソースもしくはリソースインデックスとRARリソース情報との間の対応関係およびセル共通パラメータに従って、RAR応答メッセージを送信するためのリソースを決定するステップ、または
RAR応答メッセージのリソースもしくはリソースインデックスと指定されたパラメータとの間の対応関係に従って、RAR応答メッセージを送信するためのリソースを決定するステップ、または
RAR応答メッセージのリソースもしくはリソースインデックスと指定されたパラメータとの間の対応関係およびセル共通パラメータに従って、RAR応答メッセージを送信するためのリソースを決定するステップをさらに含み、
セル共通パラメータは、セル識別情報、サブフレーム番号、フレーム番号、タイムスロット番号、もしくは直交周波数分割多重シンボルインデックスを含み、指定されたパラメータは、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【００６０】
第2の態様の第18の可能な実装方式に関して、第20の可能な実装方式において、RAR応答メッセージのリソースインデックスとプリアンブル情報との間の対応関係は、
ランダムアクセスプリアンブルに対応するRAR応答メッセージのリソースインデックス=ランダムアクセスプリアンブルインデックスmodシグナリングを使用することによって構成されるか、またはシステムによってプリセットされたRAR応答メッセージのリソースの量、ここでmodはモジュロ演算を表す、または
RAR応答メッセージのリソースインデックス=ランダムアクセスプリアンブルに対応するRARリソースインデックス、を含む。
【００６１】
第2の態様の第16の可能な実装方式に関して、第21の可能な実装方式において、RAR応答メッセージを伝送する際に占有される時間リソースの開始時刻とRARメッセージを伝送する際に占有される時間リソースの開始時刻との間にプリセットされたタイミング関係もしくはプリセットされた時間オフセットが存在するか、またはRAR応答メッセージを伝送する際に占有される時間リソースの終了時刻とRARメッセージを伝送する際に占有される時間リソースの終了時刻との間にプリセットされたタイミング関係もしくはプリセットされた時間オフセットが存在する。
【００６２】
第2の態様に関して、第22の可能な実装方式において、この方法は、
基地局によって送信された競合解決メッセージを受信するステップをさらに含み、
競合解決メッセージは、第2のユーザ識別情報を指示するためのビットまたはフィールドを含み、第2のユーザ識別情報は、ランダムアクセスの競合衝突解決においてユーザ機器を区別するために使用され、第2のユーザ識別情報を指示するためのビットまたはフィールドに含まれるビットの量は、第3の指定されたビットの量よりも少ない。
【００６３】
第2の態様の第22の可能な実装方式に関して、第23の可能な実装方式において、競合解決メッセージは、一時識別子を指示するためのビットもしくはフィールドをさらに含み、一時識別子は、セル無線ネットワーク一時識別子、もしくは一時セル無線ネットワーク一時識別子を含む。
【００６４】
第2の態様の第22または第23の可能な実装方式に関して、第24の可能な実装方式において、競合解決メッセージを伝送するために使用されるリソースは、シグナリングを使用することによって構成されるか、またはシステムによってプリセットされ、シグナリングを使用することによって構成されるか、またはシステムによってプリセットされ、競合解決メッセージを伝送するために使用されるリソースは、
競合解決メッセージを伝送する際に占有される時間リソースの配置および/もしくは周波数リソースの配置、ならびに/または
競合解決メッセージを伝送する際に占有される時間リソースの開始配置および/もしくは周波数リソースの開始配置、ならびに/または
競合解決メッセージを伝送する際に占有される時間リソースのサイズおよび/もしくは周波数リソースのサイズ、ならびに/または
異なる競合解決メッセージを伝送する際に占有される時間リソース間の時間間隔および/もしくは異なる競合解決メッセージを伝送する際に占有される周波数リソース間の周波数間隔、ならびに/または
1つの事前指定された時間範囲に含まれ、競合解決メッセージを伝送する際に占有される時間リソースの量、および1つの事前指定された周波数範囲に含まれ、競合解決メッセージを伝送する際に占有される周波数リソースの量を含む。
【００６５】
第2の態様の第22または第23の可能な実装方式に関して、第25の可能な実装方式において、この方法は、
競合解決メッセージのリソースもしくはリソースインデックスとプリアンブル情報との間の対応関係に従って、競合解決メッセージを受信するためのリソースを決定するステップ、または
競合解決メッセージのリソースもしくはリソースインデックスとプリアンブル情報との間の対応関係およびセル共通パラメータに従って、競合解決メッセージを受信するためのリソースを決定するステップ、または
競合解決メッセージのリソースもしくはリソースインデックスとRARリソース情報との間の対応関係に従って、競合解決メッセージを受信するためのリソースを決定するステップ、または
競合解決メッセージのリソースもしくはリソースインデックスとRARリソース情報との間の対応関係およびセル共通パラメータに従って、競合解決メッセージを受信するためのリソースを決定するステップ、または
競合解決メッセージのリソースもしくはリソースインデックスと指定されたパラメータとの間の対応関係に従って、競合解決メッセージを受信するためのリソースを決定するステップ、または
競合解決メッセージのリソースもしくはリソースインデックスと指定されたパラメータとの間の対応関係およびセル共通パラメータに従って、競合解決メッセージを受信するためのリソースを決定するステップをさらに含み、
セル共通パラメータは、セル識別情報、サブフレーム番号、フレーム番号、タイムスロット番号、もしくは直交周波数分割多重シンボルインデックスを含み、指定されたパラメータは、競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【００６６】
第2の態様の第22の可能な実装方式に関して、第26の可能な実装方式において、競合解決メッセージを伝送する際に占有される時間リソースの開始時刻とRAR応答メッセージを伝送する際に占有される時間リソースの開始時刻との間にプリセットされたタイミング関係もしくはプリセットされた時間オフセットが存在するか、または競合解決メッセージを伝送する際に占有される時間リソースの終了時刻とRAR応答メッセージを伝送する際に占有される時間リソースの終了時刻との間にプリセットされたタイミング関係もしくはプリセットされた時間オフセットが存在する。
【００６７】
第2の態様に関して、第27の可能な実装方式において、この方法は、
再送RAR応答メッセージを基地局に送信するステップ、および/または
基地局によって再送された競合解決メッセージを受信するステップをさらに含む。
【００６８】
第2の態様の第27の可能な実装方式に関して、第28の可能な実装方式において、
RAR応答メッセージを再送する際に占有される時間リソースおよび周波数リソースのサイズ、ならびに/またはRAR応答メッセージを再送する際に占有される時間リソースおよび周波数リソースの開始配置もしくは配置、ならびに/またはシステム内の特定の2つのRAR応答メッセージを再送する際に占有される時間リソースの間の間隔および/または周波数リソースの間の間隔、ならびに/またはRAR応答メッセージを再送する際に占有される時間リソースおよび周波数リソースの量は、シグナリングを使用することによって構成されるか、またはシステムによってプリセットされ、
競合解決メッセージを再送する際に占有される時間リソースおよび周波数リソースのサイズ、ならびに/または競合解決メッセージを再送する際に占有される時間リソースおよび周波数リソースの開始配置もしくは配置、ならびに/またはシステム内の特定の2つの競合解決メッセージを再送する際に占有される時間リソースの間の間隔および/または周波数リソースの間の間隔、ならびに/または競合解決メッセージを再送する際に占有される時間リソースおよび周波数リソースの量は、シグナリングを使用することによって構成されるか、またはシステムによってプリセットされる。
【００６９】
第2の態様の第27の可能な実装方式に関して、第29の可能な実装方式において、この方法は、
再送RAR応答メッセージのリソースもしくはリソースインデックスとプリアンブル情報との間の対応関係およびプリセットされた時間オフセットに従って、再送RAR応答情報を送信するためのリソースを決定するステップ、または
再送RAR応答メッセージのリソースもしくはリソースインデックスとプリアンブル情報との間の対応関係、プリセットされた時間オフセット、およびセル共通パラメータに従って、再送RAR応答メッセージを送信するためのリソースを決定するステップ、または
再送RAR応答メッセージのリソースもしくはリソースインデックスとRARリソース情報との間の対応関係およびプリセットされた時間オフセットに従って、再送RAR応答メッセージを送信するためのリソースを決定するステップ、または
再送RAR応答メッセージのリソースもしくはリソースインデックスとRARリソース情報との間の対応関係、プリセットされた時間オフセット、およびセル共通パラメータに従って、再送RAR応答メッセージを送信するためのリソースを決定するステップ、または
再送RAR応答メッセージのリソースもしくはリソースインデックスと指定されたパラメータとの間の対応関係およびプリセットされた時間オフセットに従って、再送RAR応答メッセージを送信するためのリソースを決定するステップ、または
再送RAR応答メッセージのリソースもしくはリソースインデックスと指定されたパラメータとの間の対応関係、プリセットされた時間オフセット、およびセル共通パラメータに従って、再送RAR応答メッセージを送信するためのリソースを決定するステップをさらに含み、
セル共通パラメータは、セル識別情報、サブフレーム番号、フレーム番号、タイムスロット番号、もしくは直交周波数分割多重シンボルインデックスを含み、指定されたパラメータは、RAR応答を送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【００７０】
第2の態様の第27の可能な実装方式に関して、第30の可能な実装方式において、および基地局によって再送された競合解決メッセージを受信するステップの前に、この方法は、
再送競合解決メッセージのリソースもしくはリソースインデックスとプリアンブル情報との間の対応関係およびプリセットされた時間オフセットに従って、再送競合解決メッセージを受信するためのリソースを決定するステップ、または
再送競合解決メッセージのリソースもしくはリソースインデックスとプリアンブル情報との間の対応関係、プリセットされた時間オフセット、およびセル共通パラメータに従って、再送競合解決メッセージを受信するためのリソースを決定するステップ、または
再送競合解決メッセージのリソースもしくはリソースインデックスとRARリソース情報との間の対応関係およびプリセットされた時間オフセットに従って、再送競合解決メッセージを受信するためのリソースを決定するステップ、または
再送競合解決メッセージのリソースもしくはリソースインデックスとRARリソース情報との間の対応関係、プリセットされた時間オフセット、およびセル共通パラメータに従って、再送競合解決メッセージを受信するためのリソースを決定するステップ、または
再送競合解決メッセージのリソースもしくはリソースインデックスと指定されたパラメータとの間の対応関係およびプリセットされた時間オフセットに従って、再送競合解決メッセージを受信するためのリソースを決定するステップ、または
再送競合解決メッセージのリソースもしくはリソースインデックスと指定されたパラメータとの間の対応関係、プリセットされた時間オフセット、およびセル共通パラメータに従って、再送競合解決メッセージを受信するためのリソースを決定するステップをさらに含み、
セル共通パラメータは、セル識別情報、サブフレーム番号、フレーム番号、タイムスロット番号、もしくは直交周波数分割多重シンボルインデックスを含み、指定されたパラメータは、再送競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【００７１】
第2の態様の第27から第30の可能な実装方式のうちのいずれか1つに関して、第31の可能な実装方式において、
RAR応答メッセージに使用されるリソースは、RAR応答メッセージの伝送の回数に対応し、RAR応答メッセージの伝送の異なる回数で使用されるリソースは、時間、および/または周波数、および/またはコードワードに関して直交しており、
競合解決メッセージに使用されるリソースは、競合解決メッセージの伝送の回数に対応し、競合解決メッセージの伝送の異なる回数で使用されるリソースは、時間、および/または周波数、および/またはコードワードに関して直交しており、
第1のメッセージの伝送は、事前定義された第1のメッセージ構成を使用することによって実行され、第1の情報は、RARメッセージ、またはRAR応答メッセージ、または競合解決メッセージ、または再送RAR応答メッセージ、または再送競合解決メッセージであり、第1のメッセージ構成は、変調符号化方式、伝送ブロックのサイズ、電力設定のうちの1つまたは複数を含む。
【００７２】
第3の態様によれば、基地局が実現され、基地局は、
ユーザ機器によって送信されたランダムアクセスプリアンブルを受信し、受信されたランダムアクセスプリアンブルを情報決定ユニットに送信するように構成された受信ユニットと、
受信ユニットからランダムアクセスプリアンブルを受信し、受信されたランダムアクセスプリアンブルに従ってプリアンブル情報を決定し、決定されたプリアンブル情報をリソース決定ユニットに送信するように構成された、情報決定ユニットであって、プリアンブル情報は、ランダムアクセスプリアンブル、ランダムアクセスプリアンブルインデックス、ランダムアクセスプリアンブルを伝送するために使用される時間リソースのインデックス、ランダムアクセスプリアンブルを伝送するために使用される周波数リソースのインデックス、ランダムアクセスプリアンブルを伝送するために使用される時間リソースにおける開始時間リソース、およびランダムアクセスプリアンブルを伝送するために使用される開始周波数リソースのうちの1つまたは複数を含む、情報決定ユニットと、
情報決定ユニットからプリアンブル情報を受信し、プリアンブル情報とランダムアクセス応答RARリソース情報との間の対応関係に従ってランダムアクセスプリアンブルに対応するRARリソースを決定し、ランダムアクセスプリアンブルに対応するRARリソースを受信ユニットに送信するように構成されたリソース決定ユニットであって、RARリソース情報は、RARリソース、RARリソースインデックス、RARメッセージを伝送するために使用される時間リソースのインデックス、RARメッセージを伝送するために使用される周波数リソースのインデックス、RARメッセージを伝送するために使用される時間リソースにおける開始時間リソース、およびRARメッセージを伝送するために使用される開始周波数リソースのうちの1つまたは複数を含み、ならびにプリアンブル情報とRARリソース情報との間の対応関係は、シグナリングを使用することによって構成されるか、またはシステムによってプリセットされる、リソース決定ユニットと、
リソース決定ユニットから、ランダムアクセスプリアンブルに対応するRARリソースを受信するように構成された受信ユニットと、ランダムアクセスプリアンブルに対応するRARリソース上でランダムアクセスプリアンブルに対応するRARメッセージをユーザ機器に送信するように構成された送信ユニットと、を備える。
【００７３】
第3の態様に関して、第1の可能な実装方式において、
RARリソースがシグナリングを使用することによって構成されるか、またはシステムによってプリセットされ、シグナリングを使用することによって構成されるか、またはシステムによってプリセットされたRARリソースのうちの各RARリソースが1つまたは複数のランダムアクセスプリアンブルに対応する。
【００７４】
第3の態様の第1の可能な実装方式に関して、第2の可能な実装方式において、シグナリングを使用することによって構成されるか、またはシステムによってプリセットされたRARリソースは、
RARメッセージを伝送する際に占有される時間リソースの配置および/もしくは周波数リソースの配置、ならびに/または
RARメッセージを伝送する際に占有される時間リソースの開始配置および/もしくは周波数リソースの開始配置、ならびに/または
RARメッセージを伝送する際に占有される時間リソースのサイズおよび/もしくは周波数リソースのサイズ、ならびに/または
異なるRARを伝送する際に占有される時間リソース間の時間間隔および/もしくは周波数間隔、ならびに/または
1つの事前指定された時間範囲に含まれ、RARメッセージを伝送する際に占有される時間リソースの量、および1つの事前指定された周波数範囲に含まれ、RARメッセージを伝送する際に占有される周波数リソースの量を含む。
【００７５】
第3の態様の第1の可能な実装方式に関して、第3の実装方式において、
N個のRARリソースが、シグナリングを使用することによって構成されるか、またはシステムによってプリセットされ、N個のRARリソースが、N個のランダムアクセスプリアンブルに対応し、Nが1よりも大きい正整数である場合に、プリアンブル情報とRARリソース情報との間の対応関係は、
各ランダムアクセスプリアンブルが1つのRARリソースもしくはRARリソースインデックスに対応し、異なるランダムアクセスプリアンブルに対応するRARリソースもしくはRARリソースインデックスが異なること、または
各ランダムアクセスプリアンブルインデックスが1つのRARリソースもしくはRARリソースインデックスに対応し、異なるランダムアクセスプリアンブルインデックスに対応するRARリソースもしくはRARリソースインデックスが異なることを含む。
【００７６】
第3の態様の第3の可能な実装方法に関して、第4の可能な実装方法において、1つのRARリソースがただ1つのランダムアクセスプリアンブルに対応する場合、RARリソース上で伝送される媒体アクセス制御MACパケットデータユニットPDUに含まれるRARメッセージは、ランダムアクセスプリアンブルまたはランダムアクセスプリアンブルインデックスを指示するための識別子を含まない。
【００７７】
第3の態様の第1の可能な実装方式に関して、第5の可能な実装方式において、
N個のRARリソースが、シグナリングを使用することによって構成されるか、またはシステムによってプリセットされ、N個のRARリソースが、M個のランダムアクセスプリアンブルに対応し、NおよびMが1よりも大きい正整数であり、M>Nである場合に、プリアンブル情報とRARリソース情報との間の対応関係は、
各RARリソースまたはRARリソースインデックスが、少なくとも1つのランダムアクセスプリアンブルに対応し、複数のランダムアクセスプリアンブルに対応する少なくとも1つのRARリソースもしくはRARリソースインデックスがあること、または
各RARリソースまたはRARリソースインデックスが、少なくとも1つのランダムアクセスプリアンブルインデックスに対応し、複数のランダムアクセスプリアンブルインデックスに対応する少なくとも1つのRARリソースもしくはRARリソースインデックスがあることを含む。
【００７８】
第3の態様の第5の可能な実装方式に関して、第6の可能な実装方式において、
1つのRARリソースが、複数のランダムアクセスプリアンブルに対応する場合、RARリソース上で伝送されるMAC PDUに含まれるRARメッセージは、ランダムアクセスプリアンブルもしくはランダムアクセスプリアンブルインデックスを指示するための識別子を含み、識別子の長さは、kビットに等しく、k=ceil(log2(RARリソースに対応するランダムアクセスプリアンブルの量))であり、ここにおいて、ceilは切り上げの関数を表し、logは対数関数を表す、または
RARリソースのうちの少なくとも1つのRARリソースが、複数のランダムアクセスプリアンブルに対応する場合、各RARリソース上で伝送されるMAC PDUに含まれるRARメッセージは、ランダムアクセスプリアンブルもしくはランダムアクセスプリアンブルインデックスを指示するための識別子を含み、識別子の長さは、hビット以下であり、h=ceil(log2(max(第1のRARリソースに対応するランダムアクセスプリアンブルの量、第2のRARリソースに対応するランダムアクセスプリアンブルの量、...、第NのRARリソースに対応するランダムアクセスプリアンブルの量)))であり、ここにおいて、ceilは切り上げの関数を表し、logは対数関数を表し、maxは最大値関数を表し、Nは1よりも大きい正整数である。
【００７９】
第3の態様の第5の可能な実装方式に関して、第7の可能な実装方式において、N個のRARリソースがシグナリングを使用することによって構成されるか、またはシステムによってプリセットされ、N=2kである場合、
ランダムアクセスプリアンブルのプリアンブルインデックスは、sビットによって指示され、sビットのうちのkビットは、ランダムアクセスプリアンブルに対応するRARリソースインデックスに対応するkビットに従って決定され、sビットのうちの残りの(s-k)ビットは、ランダムアクセスプリアンブルまたはランダムアクセスプリアンブルインデックスを指示するための識別子を使用することによって決定される。
【００８０】
第3の態様に関して、第8の可能な実装方式において、
プリアンブル情報とRARリソース情報との間の対応関係は、関数関係、表関係、または指定された関係であり、
プリアンブル情報とRARリソース情報との間の対応関係は、シグナリングを使用することによって構成されるか、またはシステムによってプリセットされ、シグナリングは、ブロードキャストまたはマルチキャストシグナリングを含み、プリアンブル情報とRARリソース情報との間の、シグナリングを使用することによって構成されるか、またはシステムによってプリセットされた、対応関係は、
ランダムアクセスプリアンブルとRARリソースとの間の対応関係、または
ランダムアクセスプリアンブルインデックスとRARリソースとの間の対応関係、または
ランダムアクセスプリアンブルとRARリソースインデックスとの間の対応関係、または
ランダムアクセスプリアンブルインデックスとRARリソースインデックスとの間の対応関係を含む。
【００８１】
第3の態様の第8の可能な実装方式に関して、第9の可能な実装方式において、プリアンブル情報とRARリソース情報との間の対応関係は、
ランダムアクセスプリアンブルに対応するRARリソースインデックス=ランダムアクセスプリアンブルインデックスmodシグナリングを使用することによって構成されるか、またはシステムによってプリセットされたRARリソースの量、を含み、ここにおいてmodはモジュロ演算を表す。
【００８２】
第3の態様の第1の可能な実装方式に関して、第10の可能な実装方式において、シグナリングを使用することによって構成されるか、またはシステムによってプリセットされたRARリソースの異なるRARリソースに対応するランダムアクセスプリアンブルは、同じであるか、または部分的に同じであるか、または完全に異なる。
【００８３】
第3の態様に関して、第11の可能な実装方式において、基地局は、
指定されたパラメータとランダムアクセスプリアンブルとの間の対応関係に従って、指定されたパラメータに対応するランダムアクセスプリアンブルを決定し、
指定されたパラメータに対応するランダムアクセスプリアンブルに従って、MAC PDUに含まれるRARメッセージにおいて、ランダムアクセスプリアンブルまたはランダムアクセスプリアンブルインデックスを指示するための、識別子のビットの量を決定するように構成された識別情報制御ユニットをさらに備える。
【００８４】
第3の態様の第11の可能な実装方式に関して、第12の可能な実装方式において、
指定されたパラメータとランダムアクセスプリアンブルとの間の対応関係は、シグナリングを使用することによって構成されるか、またはシステムによってプリセットされ、ランダムアクセスプリアンブル、およびランダムアクセスプリアンブルまたはランダムアクセスプリアンブルインデックスを指示するための識別子のビットの量は、シグナリングを使用することによって構成されるか、またはシステムによってプリセットされ、
指定されたパラメータは、経路損失値もしくは範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【００８５】
第3の態様に関して、第13の可能な実装方式において、ランダムアクセスプリアンブルに対応するRARメッセージは、一時識別子を指示するためのビットもしくはフィールドを含まず、一時識別子は、セル無線ネットワーク一時識別子、もしくは一時セル無線ネットワーク一時識別子を含み、および/または
ランダムアクセスプリアンブルに対応するRARメッセージは、アップリンクスケジューリング/グラント情報を含まず、および/または
ランダムアクセスプリアンブルに対応するRARメッセージは、事前定義されたタイミングアドバンスコマンドを含み、事前定義されたタイミングアドバンスコマンドの調整精度は、指定された調整精度よりも大きく、および/または
プリアンブル情報とRARリソース情報との間の対応関係は、1つまたは複数のセル共通パラメータをさらに含み、セル共通パラメータは、セル識別情報、サブフレーム番号、フレーム番号、タイムスロット番号、もしくは直交周波数分割多重シンボルインデックスを含み、および/または
RARメッセージを伝送する際に占有される時間リソースの開始時刻とユーザ機器によってランダムアクセスプリアンブルを伝送する際に占有される時間リソースの開始時刻との間にプリセットされたタイミング関係もしくはプリセットされた時間オフセットが存在するか、またはRARメッセージを伝送する際に占有される時間リソースの終了時刻とユーザ機器によってランダムアクセスプリアンブルを伝送する際に占有される時間リソースの終了時刻との間にプリセットされたタイミング関係もしくはプリセットされた時間オフセットが存在する。
【００８６】
第3の態様に関して、第14の可能な実装方式において、受信ユニットは、ユーザ機器によって送信されたRAR応答メッセージを受信するようにさらに構成され、RAR応答メッセージは、無線リソース制御RRC接続要求を含み、
RRC接続要求は、第1のユーザ識別情報を指示するためのビットまたはフィールドを含み、第1のユーザ識別情報は、ランダムアクセスの競合衝突解決においてユーザ機器を区別するために使用され、第1のユーザ識別情報を指示するためのビットまたはフィールドに含まれるビットの量は、第1の指定されたビットの量よりも少ない。
【００８７】
第3の態様の第14の可能な実装方式に関して、第15の可能な実装方式において、RRC接続要求は、事前定義された確立原因をさらに含み、事前定義された確立原因を指示するためのビットの量は、第2の指定されたビットの量よりも多い。
【００８８】
第3の態様の第13または第14の可能な実装方式に関して、第16の可能な実装方式において、RAR応答メッセージを伝送するために使用されるリソースは、シグナリングを使用することによって構成されるか、またはシステムによってプリセットされ、シグナリングを使用することによって構成されるか、またはシステムによってプリセットされ、RAR応答メッセージを伝送するために使用されるリソースは、
RAR応答メッセージを伝送する際に占有される時間リソースの配置および/もしくは周波数リソースの配置、ならびに/または
RAR応答メッセージを伝送する際に占有される時間リソースの開始配置および/もしくは周波数リソースの開始配置、ならびに/または
RAR応答メッセージを伝送する際に占有される時間リソースのサイズおよび/もしくは周波数リソースのサイズ、ならびに/または
異なるRAR応答メッセージを伝送する際に占有される時間リソース間の時間間隔および/または異なるRAR応答メッセージを伝送する際に占有される周波数リソース間の周波数間隔、ならびに/または
1つの事前指定された時間範囲に含まれ、RAR応答メッセージを伝送する際に占有される時間リソースの量、および1つの事前指定された周波数範囲に含まれ、RAR応答メッセージを伝送する際に占有される周波数リソースの量を含む。
【００８９】
第3の態様の第13または第14の可能な実装方式に関して、第17の可能な実装方式において、リソース決定ユニットは、
RAR応答メッセージのリソースもしくはリソースインデックスとプリアンブル情報との間の対応関係に従って、RAR応答メッセージを受信するためのリソースを決定するか、または
RAR応答メッセージのリソースもしくはリソースインデックスとプリアンブル情報との間の対応関係およびセル共通パラメータに従って、RAR応答メッセージを受信するためのリソースを決定するか、または
RAR応答メッセージのリソースもしくはリソースインデックスとRARリソース情報との間の対応関係に従って、RAR応答メッセージを受信するためのリソースを決定するか、または
RAR応答メッセージのリソースもしくはリソースインデックスとRARリソース情報との間の対応関係およびセル共通パラメータに従って、RAR応答メッセージを受信するためのリソースを決定するか、または
RAR応答メッセージのリソースもしくはリソースインデックスと指定されたパラメータとの間の対応関係に従って、RAR応答メッセージを受信するためのリソースを決定するか、または
RAR応答メッセージのリソースもしくはリソースインデックスと指定されたパラメータとの間の対応関係およびセル共通パラメータに従って、RAR応答メッセージを受信するためのリソースを決定するようにさらに構成され、
セル共通パラメータは、セル識別情報、サブフレーム番号、フレーム番号、タイムスロット番号、もしくは直交周波数分割多重シンボルインデックスを含み、指定されたパラメータは、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【００９０】
第3の態様の第17の可能な実装方式に関して、第18の可能な実装方式において、RAR応答メッセージのリソースインデックスとプリアンブル情報との間の対応関係は、
ランダムアクセスプリアンブルに対応するRAR応答メッセージのリソースインデックス=ランダムアクセスプリアンブルインデックスmodシグナリングを使用することによって構成されるか、またはシステムによってプリセットされたRAR応答メッセージのリソースの量、ここでmodはモジュロ演算を表す、または
RAR応答メッセージのリソースインデックス=ランダムアクセスプリアンブルに対応するRARリソースインデックス、を含む。
【００９１】
第3の態様の第14の可能な実装方式に関して、第19の可能な実装方式において、RAR応答メッセージを伝送する際に占有される時間リソースの開始時刻とRARメッセージを伝送する際に占有される時間リソースの開始時刻との間にプリセットされたタイミング関係もしくはプリセットされた時間オフセットが存在するか、またはRAR応答メッセージを伝送する際に占有される時間リソースの終了時刻とRARメッセージを伝送する際に占有される時間リソースの終了時刻との間にプリセットされたタイミング関係もしくはプリセットされた時間オフセットが存在する。
【００９２】
第3の態様に関して、第20の可能な実装方式において、送信ユニットは、競合解決メッセージをユーザ機器に送信するようにさらに構成され、
競合解決メッセージは、第2のユーザ識別情報を指示するためのビットまたはフィールドを含み、第2のユーザ識別情報は、ランダムアクセスの競合衝突解決においてユーザ機器を区別するために使用され、第2のユーザ識別情報を指示するためのビットまたはフィールドに含まれるビットの量は、第3の指定されたビットの量よりも少ない。
【００９３】
第3の態様の第20の可能な実装方式に関して、第21の可能な実装方式において、競合解決メッセージは、一時識別子を指示するためのビットもしくはフィールドをさらに含み、一時識別子は、セル無線ネットワーク一時識別子、もしくは一時セル無線ネットワーク一時識別子を含む。
【００９４】
第3の態様の第20または第21の可能な実装方式に関して、第22の可能な実装方式において、競合解決メッセージを伝送するために使用されるリソースは、シグナリングを使用することによって構成されるか、またはシステムによってプリセットされ、シグナリングを使用することによって構成されるか、またはシステムによってプリセットされ、競合解決メッセージを伝送するために使用されるリソースは、
競合解決メッセージを伝送する際に占有される時間リソースの配置および/もしくは周波数リソースの配置、ならびに/または
競合解決メッセージを伝送する際に占有される時間リソースの開始配置および/もしくは周波数リソースの開始配置、ならびに/または
競合解決メッセージを伝送する際に占有される時間リソースのサイズおよび/もしくは周波数リソースのサイズ、ならびに/または
異なる競合解決メッセージを伝送する際に占有される時間リソース間の時間間隔および/もしくは異なる競合解決メッセージを伝送する際に占有される周波数リソース間の周波数間隔、ならびに/または
1つの事前指定された時間範囲に含まれ、競合解決メッセージを伝送する際に占有される時間リソースの量、および1つの事前指定された周波数範囲に含まれ、競合解決メッセージを伝送する際に占有される周波数リソースの量を含む。
【００９５】
第3の態様の第20または第21の可能な実装方式に関して、第23の可能な実装方式において、リソース決定ユニットは、
競合解決メッセージのリソースもしくはリソースインデックスとプリアンブル情報との間の対応関係に従って、競合解決メッセージを送信するためのリソースを決定するか、または
競合解決メッセージのリソースもしくはリソースインデックスとプリアンブル情報との間の対応関係およびセル共通パラメータに従って、競合解決メッセージを送信するためのリソースを決定するか、または
競合解決メッセージのリソースもしくはリソースインデックスとRARリソース情報との間の対応関係に従って、競合解決メッセージを送信するためのリソースを決定するか、または
競合解決メッセージのリソースもしくはリソースインデックスとRARリソース情報との間の対応関係およびセル共通パラメータに従って、競合解決メッセージを送信するためのリソースを決定するか、または
競合解決メッセージのリソースもしくはリソースインデックスと指定されたパラメータとの間の対応関係に従って、競合解決メッセージを送信するためのリソースを決定するか、または
競合解決メッセージのリソースもしくはリソースインデックスと指定されたパラメータとの間の対応関係およびセル共通パラメータに従って、競合解決メッセージを送信するためのリソースを決定するようにさらに構成され、
セル共通パラメータは、セル識別情報、サブフレーム番号、フレーム番号、タイムスロット番号、もしくは直交周波数分割多重シンボルインデックスを含み、指定されたパラメータは、競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【００９６】
第3の態様の第20の可能な実装方式に関して、第24の可能な実装方式において、競合解決メッセージを伝送する際に占有される時間リソースの開始時刻とRAR応答メッセージを伝送する際に占有される時間リソースの開始時刻との間にプリセットされたタイミング関係もしくはプリセットされた時間オフセットが存在するか、または競合解決メッセージを伝送する際に占有される時間リソースの終了時刻とRAR応答メッセージを伝送する際に占有される時間リソースの終了時刻との間にプリセットされたタイミング関係もしくはプリセットされた時間オフセットが存在する。
【００９７】
第3の態様に関して、第25の可能な実装方式において、
受信ユニットは、ユーザ機器によって再送されたRAR応答メッセージを受信するようにさらに構成され、および/または
送信ユニットは、再送競合解決メッセージをユーザ機器に送信するようにさらに構成される。
【００９８】
第3の態様の第25の可能な実装方式に関して、第26の可能な実装方式において、
RAR応答メッセージを再送する際に占有される時間リソースおよび周波数リソースのサイズ、ならびに/またはRAR応答メッセージを再送する際に占有される時間リソースおよび周波数リソースの開始配置もしくは配置、ならびに/またはシステム内の特定の2つのRAR応答メッセージを再送する際に占有される時間リソースの間の間隔および/または周波数リソースの間の間隔、ならびに/またはRAR応答メッセージを再送する際に占有される時間リソースおよび周波数リソースの量は、シグナリングを使用することによって構成されるか、またはシステムによってプリセットされ、
競合解決メッセージを再送する際に占有される時間リソースおよび周波数リソースのサイズ、ならびに/または競合解決メッセージを再送する際に占有される時間リソースおよび周波数リソースの開始配置もしくは配置、ならびに/またはシステム内の特定の2つの競合解決メッセージを再送する際に占有される時間リソースの間の間隔および/または周波数リソースの間の間隔、ならびに/または競合解決メッセージを再送する際に占有される時間リソースおよび周波数リソースの量は、シグナリングを使用することによって構成されるか、またはシステムによってプリセットされる。
【００９９】
第3の態様の第25の可能な実装方式に関して、第27の可能な実装方式において、リソース決定ユニットは、
再送RAR応答メッセージのリソースもしくはリソースインデックスとプリアンブル情報との間の対応関係およびプリセットされた時間オフセットに従って、再送RAR応答情報を受信するためのリソースを決定するか、または
再送RAR応答メッセージのリソースもしくはリソースインデックスとプリアンブル情報との間の対応関係、プリセットされた時間オフセット、およびセル共通パラメータに従って、再送RAR応答メッセージを受信するためのリソースを決定するか、または
再送RAR応答メッセージのリソースもしくはリソースインデックスとRARリソース情報との間の対応関係およびプリセットされた時間オフセットに従って、再送RAR応答メッセージを受信するためのリソースを決定するか、または
再送RAR応答メッセージのリソースもしくはリソースインデックスとRARリソース情報との間の対応関係、プリセットされた時間オフセット、およびセル共通パラメータに従って、再送RAR応答メッセージを受信するためのリソースを決定するか、または
再送RAR応答メッセージのリソースもしくはリソースインデックスと指定されたパラメータとの間の対応関係およびプリセットされた時間オフセットに従って、再送RAR応答メッセージを受信するためのリソースを決定するか、または
再送RAR応答メッセージのリソースもしくはリソースインデックスと指定されたパラメータとの間の対応関係、プリセットされた時間オフセット、およびセル共通パラメータに従って、再送RAR応答メッセージを受信するためのリソースを決定するようにさらに構成され、
セル共通パラメータは、セル識別情報、サブフレーム番号、フレーム番号、タイムスロット番号、もしくは直交周波数分割多重シンボルインデックスを含み、指定されたパラメータは、RAR応答を送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０１００】
第3の態様の第25または第26の可能な実装方式に関して、第28の可能な実装方式において、リソース決定ユニットは、
再送競合解決メッセージのリソースもしくはリソースインデックスとプリアンブル情報との間の対応関係およびプリセットされた時間オフセットに従って、再送競合解決メッセージを送信するためのリソースを決定するか、または
再送競合解決メッセージのリソースもしくはリソースインデックスとプリアンブル情報との間の対応関係、プリセットされた時間オフセット、およびセル共通パラメータに従って、再送競合解決メッセージを送信するためのリソースを決定するか、または
再送競合解決メッセージのリソースもしくはリソースインデックスとRARリソース情報との間の対応関係およびプリセットされた時間オフセットに従って、再送競合解決メッセージを送信するためのリソースを決定するか、または
再送競合解決メッセージのリソースもしくはリソースインデックスとRARリソース情報との間の対応関係、プリセットされた時間オフセット、およびセル共通パラメータに従って、再送競合解決メッセージを送信するためのリソースを決定するか、または
再送競合解決メッセージのリソースもしくはリソースインデックスと指定されたパラメータとの間の対応関係およびプリセットされた時間オフセットに従って、再送競合解決メッセージを送信するためのリソースを決定するか、または
再送競合解決メッセージのリソースもしくはリソースインデックスと指定されたパラメータとの間の対応関係、プリセットされた時間オフセット、およびセル共通パラメータに従って、再送競合解決メッセージを送信するためのリソースを決定するようにさらに構成され、
セル共通パラメータは、セル識別情報、サブフレーム番号、フレーム番号、タイムスロット番号、もしくは直交周波数分割多重シンボルインデックスを含み、指定されたパラメータは、再送競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０１０１】
第3の態様の第25から第28の可能な実装方式のうちのいずれか1つに関して、第29の可能な実装方式において、
RAR応答メッセージに使用されるリソースは、RAR応答メッセージの伝送の回数に対応し、RAR応答メッセージの伝送の異なる回数で使用されるリソースは、時間、および/または周波数、および/またはコードワードに関して直交しており、
競合解決メッセージに使用されるリソースは、競合解決メッセージの伝送の回数に対応し、競合解決メッセージの伝送の異なる回数で使用されるリソースは、時間、および/または周波数、および/またはコードワードに関して直交しており、
第1のメッセージの伝送は、事前定義された第1のメッセージ構成を使用することによって実行され、第1の情報は、RARメッセージ、またはRAR応答メッセージ、または競合解決メッセージ、または再送RAR応答メッセージ、または再送競合解決メッセージであり、第1のメッセージ構成は、変調符号化方式、伝送ブロックのサイズ、電力設定のうちの1つまたは複数を含む。
【０１０２】
第3の態様の第29の可能な実装方式に関して、第30の可能な実装方式において、第1の情報を伝送するために使用されるリソースが、シグナリングを使用することによって構成される場合、送信ユニットは、
構成シグナリングをユーザ機器に送信するようにさらに構成され、構成シグナリングは、第1の情報を伝送するために使用されるリソース構成をユーザ機器に通知するために使用される。
【０１０３】
第4の態様によれば、ユーザ機器が実現され、ユーザ機器は、
ランダムアクセスプリアンブルを決定し、決定された第1のランダムアクセスプリアンブルを送信ユニットに送信するように構成されたプリアンブル決定ユニットと、
プリアンブル決定ユニットから第1のランダムアクセスプリアンブルを受信し、第1のランダムアクセスプリアンブルを基地局に送信するように構成された送信ユニットと、
第1のランダムアクセスプリアンブルに従ってプリアンブル情報を決定し、プリアンブル情報をリソース決定ユニットに送信するように構成された情報決定ユニットであって、プリアンブル情報は、ランダムアクセスプリアンブル、ランダムアクセスプリアンブルインデックス、ランダムアクセスプリアンブルを伝送するために使用される時間リソースのインデックス、ランダムアクセスプリアンブルを伝送するために使用される周波数リソースのインデックス、ランダムアクセスプリアンブルを伝送するために使用される時間リソースにおける開始時間リソース、およびランダムアクセスプリアンブルを伝送するために使用される開始周波数リソースのうちの1つまたは複数を含む、情報決定ユニットと、
情報決定ユニットからプリアンブル情報を受信し、プリアンブル情報とランダムアクセス応答RARリソース情報との間の対応関係に従って第1のランダムアクセスプリアンブルに対応するRARリソースを決定し、第1のランダムアクセスプリアンブルに対応するRARリソースを受信ユニットに送信するように構成されたリソース決定ユニットであって、RARリソース情報は、RARリソース、RARリソースインデックス、RARメッセージを伝送するために使用される時間リソースのインデックス、RARメッセージを伝送するために使用される周波数リソースのインデックス、RARメッセージを伝送するために使用される時間リソースにおける開始時間リソース、およびRARメッセージを伝送するために使用される開始周波数リソースのうちの1つまたは複数を含み、ならびにプリアンブル情報とRARリソース情報との間の対応関係は、シグナリングを使用することによって構成されるか、またはシステムによってプリセットされる、リソース決定ユニットと、
リソース決定ユニットから、第1のランダムアクセスプリアンブルに対応するRARリソースを受信し、第1のランダムアクセスプリアンブルに対応するRARリソース上で、基地局によって送信された媒体アクセス制御MACパケットデータユニットPDUを受信するように構成された受信ユニットと、
MAC PDUが第1のランダムアクセスプリアンブルに対応するRARメッセージを含むかどうかを決定するように構成されたメッセージ決定ユニットとを備える。
【０１０４】
第4の態様に関して、第1の可能な実装方式において、
RARリソースは、シグナリングを使用することによって構成され、シグナリングは、基地局またはシステムがRARリソースをプリセットした後に送信され、プリセットされたRARリソースのうちの各RARリソースは、1つまたは複数のランダムアクセスプリアンブルに対応する。
【０１０５】
第4の態様の第1の可能な実装方式に関して、第2の可能な実装方式において、シグナリングを使用することによって構成されたRARリソースは、
RARメッセージを伝送する際に占有される時間リソースの配置および/もしくは周波数リソースの配置、ならびに/または
RARメッセージを伝送する際に占有される時間リソースの開始配置および/もしくは周波数リソースの開始配置、ならびに/または
RARメッセージを伝送する際に占有される時間リソースのサイズおよび/もしくは周波数リソースのサイズ、ならびに/または
異なるRARを伝送する際に占有される時間リソース間の時間間隔および/もしくは周波数間隔、ならびに/または
1つの事前指定された時間範囲に含まれ、RARメッセージを伝送する際に占有される時間リソースの量、および1つの事前指定された周波数範囲に含まれ、RARメッセージを伝送する際に占有される周波数リソースの量を含む。
【０１０６】
第4の態様の第1の可能な実装方式に関して、第3の可能な実装方式において、
N個のRARリソースが、シグナリングを使用することによって構成されるか、またはシステムによってプリセットされ、N個のRARリソースが、N個のランダムアクセスプリアンブルに対応し、Nが1よりも大きい正整数である場合に、プリアンブル情報とRARリソース情報との間の対応関係は、
各ランダムアクセスプリアンブルが1つのRARリソースもしくはRARリソースインデックスに対応し、異なるランダムアクセスプリアンブルに対応するRARリソースもしくはRARリソースインデックスが異なること、または
各ランダムアクセスプリアンブルインデックスが1つのRARリソースもしくはRARリソースインデックスに対応し、異なるランダムアクセスプリアンブルインデックスに対応するRARリソースもしくはRARリソースインデックスが異なることを含む。
【０１０７】
第4の態様の第3の可能な実装方式に関して、第4の可能な実装方式において、
1つのRARリソースがただ1つのランダムアクセスプリアンブルに対応する場合、RARリソース上で伝送される媒体アクセス制御MACパケットデータユニットPDUに含まれるRARメッセージは、ランダムアクセスプリアンブルまたはランダムアクセスプリアンブルインデックスを指示するための識別子を含まない。
【０１０８】
第4の態様の第1の可能な実装方式に関して、第5の可能な実装方式において、
N個のRARリソースが、シグナリングを使用することによって構成されるか、またはシステムによってプリセットされ、N個のRARリソースが、M個のランダムアクセスプリアンブルに対応し、NおよびMが1よりも大きい正整数であり、M>Nである場合に、プリアンブル情報とRARリソース情報との間の対応関係は、
各RARリソースまたはRARリソースインデックスが、少なくとも1つのランダムアクセスプリアンブルに対応し、複数のランダムアクセスプリアンブルに対応する少なくとも1つのRARリソースもしくはRARリソースインデックスがあること、または
各RARリソースまたはRARリソースインデックスが、少なくとも1つのランダムアクセスプリアンブルインデックスに対応し、複数のランダムアクセスプリアンブルインデックスに対応する少なくとも1つのRARリソースもしくはRARリソースインデックスがあることを含む。
【０１０９】
第4の態様の第5の可能な実装方式に関して、第6の可能な実装方式において、
1つのRARリソースが、複数のランダムアクセスプリアンブルに対応する場合、RARリソース上で伝送されるMAC PDUに含まれるRARメッセージは、ランダムアクセスプリアンブルもしくはランダムアクセスプリアンブルインデックスを指示するための識別子を含み、識別子の長さは、kビットに等しく、k=ceil(log2(RARリソースに対応するランダムアクセスプリアンブルの量))であり、ここにおいて、ceilは切り上げの関数を表し、logは対数関数を表す、または
RARリソースのうちの少なくとも1つのRARリソースが、複数のランダムアクセスプリアンブルに対応する場合、各RARリソース上で伝送されるMAC PDUに含まれるRARメッセージは、ランダムアクセスプリアンブルもしくはランダムアクセスプリアンブルインデックスを指示するための識別子を含み、識別子の長さは、hビット以下であり、h=ceil(log2(max(第1のRARリソースに対応するランダムアクセスプリアンブルの量、第2のRARリソースに対応するランダムアクセスプリアンブルの量、...、第NのRARリソースに対応するランダムアクセスプリアンブルの量)))であり、ここにおいて、ceilは切り上げの関数を表し、logは対数関数を表し、maxは最大値関数を表し、Nは1よりも大きい正整数である。
【０１１０】
第4の態様の第6の可能な実装方式に関して、第7の可能な実装方式において、メッセージ決定ユニットは、
RARメッセージが配置されているRARリソースまたはRARリソースインデックスに対応するビットが、ランダムアクセスプリアンブルおよび第1のランダムアクセスプリアンブルと同じであり、ランダムアクセスプリアンブルはランダムアクセスプリアンブルまたはランダムアクセスプリアンブルインデックスを指示するための識別子によって指示され、識別子はMAC PDUに含まれるRARメッセージに含まれる場合に、MAC PDUが第1のランダムアクセスプリアンブルに対応するRARメッセージを含むと決定するか、または
RARメッセージが配置されているRARリソースまたはRARリソースインデックスに対応するビットが、ランダムアクセスプリアンブルインデックスおよびユーザ機器によって決定される第1のランダムアクセスプリアンブルインデックスと同じであり、ランダムアクセスプリアンブルインデックスはランダムアクセスプリアンブルまたはランダムアクセスプリアンブルインデックスを指示するための識別子によって指示され、識別子はMAC PDUに含まれるRARメッセージに含まれる場合に、MAC PDUが第1のランダムアクセスプリアンブルに対応するRARメッセージを含むと決定するか、または
第1のランダムアクセスプリアンブルに対応するRARリソース上で受信されたMAC PDUに含まれるRARメッセージに含まれる、ランダムアクセスプリアンブルまたはランダムアクセスプリアンブルインデックスを指示するための、識別子の状態が、第1のランダムアクセスプリアンブルに対応するビットのうちのaビットの状態と同じである場合に、MAC PDUが、第1のランダムアクセスプリアンブルに対応するRARメッセージを含み、aはランダムアクセスプリアンブルまたはランダムアクセスプリアンブルインデックスを指示するための識別子のビットの量に等しく、第1のランダムアクセスプリアンブルインデックスに対応するビット内のaビットの配置は事前指定される、と決定するように特に構成される。
【０１１１】
第4の態様の第7の可能な実装方式に関して、第8の可能な実装方式において、N個のRARリソースがシグナリングを使用することによって構成されるか、またはシステムによってプリセットされ、N=2kである場合、
ランダムアクセスプリアンブルのプリアンブルインデックスは、sビットによって指示され、sビットのうちのkビットは、ランダムアクセスプリアンブルに対応するRARリソースインデックスに対応するkビットに従って決定され、sビットのうちの残りの(s-k)ビットは、ランダムアクセスプリアンブルまたはランダムアクセスプリアンブルインデックスを指示するための識別子を使用することによって決定される。
【０１１２】
第4の態様の第8の可能な実装方式に関して、第9の可能な実装方式において、メッセージ決定ユニットは、
第1のランダムアクセスプリアンブルに対応するRARリソースインデックスに対応するビット値を決定し、RARリソースインデックスに対応するビット値はプリセットされ、
MAC PDU内の識別子に対応するビット値を決定し、
ランダムアクセスプリアンブルに対応するRARリソースインデックスに対応するビット値とMAC PDU内の識別子に対応するビット値とを組み合わせてsビットを取得し、
sビットによって指示されるランダムアクセスプリアンブルを決定し、
第1のランダムアクセスプリアンブルがsビットによって指示されるランダムアクセスプリアンブルと同じであるかどうかを決定し、第1のランダムアクセスプリアンブルがsビットによって指示されるランダムアクセスプリアンブルと同じである場合に、MAC PDUが第1のランダムアクセスプリアンブルに対応するRARメッセージを含むと決定するか、または第1のランダムアクセスプリアンブルが、sビットによって指示されるランダムアクセスプリアンブルと異なる場合に、MAC PDUが第1のランダムアクセスプリアンブルに対応するRARメッセージを含まないと決定するようにさらに特に構成される。
【０１１３】
第4の態様に関して、第10の可能な実装方式において、プリアンブル情報とRARリソース情報との間の対応関係は、関数関係、表関係、または指定された関係であり、
プリアンブル情報とRARリソース情報との間の対応関係は、シグナリングを使用することによって構成されるか、またはシステムによってプリセットされ、プリアンブル情報とRARリソース情報との間の、シグナリングを使用することによって構成されるか、またはシステムによってプリセットされた、対応関係は、
ランダムアクセスプリアンブルとRARリソースとの間の対応関係、または
ランダムアクセスプリアンブルインデックスとRARリソースとの間の対応関係、または
ランダムアクセスプリアンブルとRARリソースインデックスとの間の対応関係、または
ランダムアクセスプリアンブルインデックスとRARリソースインデックスとの間の対応関係を含む。
【０１１４】
第4の態様の第10の可能な実装方式に関して、第11の可能な実装方式において、プリアンブル情報とRARリソース情報との間の対応関係は、
ランダムアクセスプリアンブルに対応するRARリソースインデックス=ランダムアクセスプリアンブルインデックスmodシグナリングを使用することによって構成されるか、またはシステムによってプリセットされたRARリソースの量、を含み、ここにおいてmodはモジュロ演算を表す。
【０１１５】
第4の態様の第1の可能な実装方式に関して、第12の可能な実装方式において、シグナリングを使用することによって構成されたRARリソースの異なるRARリソースに対応するランダムアクセスプリアンブルは、同じであるか、または部分的に同じであるか、または完全に異なる。
【０１１６】
第4の態様に関して、第13の可能な実装方式において、MAC PDUに含まれるRARメッセージにおいて、ランダムアクセスプリアンブルまたはランダムアクセスプリアンブルインデックスを指示するための、識別子のビットの量は、指定されたパラメータとランダムアクセスプリアンブルとの間の対応関係に従って基地局によって決定される。
【０１１７】
第4の態様の第13の可能な実装方法に関して、第14の可能な実装方法において、指定されたパラメータとランダムアクセスプリアンブルとの間の対応関係は、シグナリングを使用することによって構成されるか、またはシステムによってプリセットされ、ランダムアクセスプリアンブルまたはランダムアクセスプリアンブルインデックスを指示するための識別子のビットの量は、シグナリングを使用することによって構成されるか、またはシステムによってプリセットされ、
指定されたパラメータは、経路損失値もしくは範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０１１８】
第4の態様に関して、第15の可能な実装方式において、
第1のランダムアクセスプリアンブルに対応するRARメッセージは、一時識別子を指示するためのビットもしくはフィールドを含まず、一時識別子は、セル無線ネットワーク一時識別子、もしくは一時セル無線ネットワーク一時識別子を含み、および/または
第1のランダムアクセスプリアンブルに対応するRARメッセージは、アップリンクスケジューリング/グラント情報を含まず、および/または
第1のランダムアクセスプリアンブルに対応するRARメッセージは、事前定義されたタイミングアドバンスコマンドを含み、事前定義されたタイミングアドバンスコマンドの調整精度は、指定された調整精度よりも大きく、および/または
プリアンブル情報とRARリソース情報との間の対応関係は、1つまたは複数のセル共通パラメータをさらに含み、セル共通パラメータは、セル識別情報、サブフレーム番号、フレーム番号、タイムスロット番号、もしくは直交周波数分割多重シンボルインデックスを含み、および/または
RARメッセージを伝送する際に占有される時間リソースの開始時刻とユーザ機器によってランダムアクセスプリアンブルを伝送する際に占有される時間リソースの開始時刻との間にプリセットされたタイミング関係もしくはプリセットされた時間オフセットが存在するか、またはRARメッセージを伝送する際に占有される時間リソースの終了時刻とユーザ機器によってランダムアクセスプリアンブルを伝送する際に占有される時間リソースの終了時刻との間にプリセットされたタイミング関係もしくはプリセットされた時間オフセットが存在する。
【０１１９】
第4の態様に関して、第16の可能な実装方式において、送信ユニットは、RAR応答メッセージを基地局に送信するようにさらに構成され、RAR応答メッセージは、無線リソース制御RRC接続要求を含み、
RRC接続要求は、第1のユーザ識別情報を指示するためのビットまたはフィールドを含み、第1のユーザ識別情報は、ランダムアクセスの競合衝突解決においてユーザ機器を区別するために使用され、第1のユーザ識別情報を指示するためのビットまたはフィールドに含まれるビットの量は、第1の指定されたビットの量よりも少ない。
【０１２０】
第4の態様の第16の可能な実装方式に関して、第17の可能な実装方式において、RRC接続要求は、事前定義された確立原因をさらに含み、事前定義された確立原因を指示するためのビットの量は、第2の指定されたビットの量よりも多い。
【０１２１】
第4の態様の第16または第17の可能な実装方式に関して、第18の可能な実装方式において、RAR応答メッセージを伝送するために使用されるリソースは、シグナリングを使用することによって構成されるか、またはシステムによってプリセットされ、シグナリングを使用することによって構成されるか、またはシステムによってプリセットされ、RAR応答メッセージを伝送するために使用されるリソースは、
RAR応答メッセージを伝送する際に占有される時間リソースの配置および/もしくは周波数リソースの配置、ならびに/または
RAR応答メッセージを伝送する際に占有される時間リソースの開始配置および/もしくは周波数リソースの開始配置、ならびに/または
RAR応答メッセージを伝送する際に占有される時間リソースのサイズおよび/もしくは周波数リソースのサイズ、ならびに/または
異なるRAR応答メッセージを伝送する際に占有される時間リソース間の時間間隔および/または異なるRAR応答メッセージを伝送する際に占有される周波数リソース間の周波数間隔、ならびに/または
1つの事前指定された時間範囲に含まれ、RAR応答メッセージを伝送する際に占有される時間リソースの量、および1つの事前指定された周波数範囲に含まれ、RAR応答メッセージを伝送する際に占有される周波数リソースの量を含む。
【０１２２】
第4の態様の第16または第17の可能な実装方式に関して、第19の可能な実装方式において、リソース決定ユニットは、
RAR応答メッセージのリソースもしくはリソースインデックスとプリアンブル情報との間の対応関係に従って、RAR応答メッセージを送信するためのリソースを決定するか、または
RAR応答メッセージのリソースもしくはリソースインデックスとプリアンブル情報との間の対応関係およびセル共通パラメータに従って、RAR応答メッセージを送信するためのリソースを決定するか、または
RAR応答メッセージのリソースもしくはリソースインデックスとRARリソース情報との間の対応関係に従って、RAR応答メッセージを送信するためのリソースを決定するか、または
RAR応答メッセージのリソースもしくはリソースインデックスとRARリソース情報との間の対応関係およびセル共通パラメータに従って、RAR応答メッセージを送信するためのリソースを決定するか、または
RAR応答メッセージのリソースもしくはリソースインデックスと指定されたパラメータとの間の対応関係に従って、RAR応答メッセージを送信するためのリソースを決定するか、または
RAR応答メッセージのリソースもしくはリソースインデックスと指定されたパラメータとの間の対応関係およびセル共通パラメータに従って、RARメッセージを送信するためのリソースを決定するようにさらに構成され、
セル共通パラメータは、セル識別情報、サブフレーム番号、フレーム番号、タイムスロット番号、もしくは直交周波数分割多重シンボルインデックスを含み、指定されたパラメータは、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０１２３】
第4の態様の第19の可能な実装方式に関して、第20の可能な実装方式において、RAR応答メッセージのリソースインデックスとプリアンブル情報との間の対応関係は、
ランダムアクセスプリアンブルに対応するRAR応答メッセージのリソースインデックス=ランダムアクセスプリアンブルインデックスmodシグナリングを使用することによって構成されるか、またはシステムによってプリセットされたRAR応答メッセージのリソースの量、ここでmodはモジュロ演算を表す、または
RAR応答メッセージのリソースインデックス=ランダムアクセスプリアンブルに対応するRARリソースインデックス、を含む。
【０１２４】
第4の態様の第16の可能な実装方式に関して、第21の可能な実装方式において、RAR応答メッセージを伝送する際に占有される時間リソースの開始時刻とRARメッセージを伝送する際に占有される時間リソースの開始時刻との間にプリセットされたタイミング関係もしくはプリセットされた時間オフセットが存在するか、またはRAR応答メッセージを伝送する際に占有される時間リソースの終了時刻とRARメッセージを伝送する際に占有される時間リソースの終了時刻との間にプリセットされたタイミング関係もしくはプリセットされた時間オフセットが存在する。
【０１２５】
第4の態様に関して、第22の可能な実装方式において、受信ユニットは、基地局によって送信された競合解決メッセージを受信するようにさらに構成され、
競合解決メッセージは、第2のユーザ識別情報を指示するためのビットまたはフィールドを含み、第2のユーザ識別情報は、ランダムアクセスの競合衝突解決においてユーザ機器を区別するために使用され、第2のユーザ識別情報を指示するためのビットまたはフィールドに含まれるビットの量は、第3の指定されたビットの量よりも少ない。
【０１２６】
第4の態様の第22の可能な実装方式に関して、第23の可能な実装方式において、競合解決メッセージは、一時識別子を指示するためのビットもしくはフィールドをさらに含み、一時識別子は、セル無線ネットワーク一時識別子、もしくは一時セル無線ネットワーク一時識別子を含む。
【０１２７】
第4の態様の第22または第23の可能な実装方式に関して、第24の可能な実装可能な方式において、競合解決メッセージを伝送するために使用されるリソースは、シグナリングを使用することによって構成されるか、またはシステムによってプリセットされ、シグナリングを使用することによって構成されるか、またはシステムによってプリセットされ、競合解決メッセージを伝送するために使用されるリソースは、
競合解決メッセージを伝送する際に占有される時間リソースの配置および/もしくは周波数リソースの配置、ならびに/または
競合解決メッセージを伝送する際に占有される時間リソースの開始配置および/もしくは周波数リソースの開始配置、ならびに/または
競合解決メッセージを伝送する際に占有される時間リソースのサイズおよび/もしくは周波数リソースのサイズ、ならびに/または
異なる競合解決メッセージを伝送する際に占有される時間リソース間の時間間隔および/もしくは異なる競合解決メッセージを伝送する際に占有される周波数リソース間の周波数間隔、ならびに/または
1つの事前指定された時間範囲に含まれ、競合解決メッセージを伝送する際に占有される時間リソースの量、および1つの事前指定された周波数範囲に含まれ、競合解決メッセージを伝送する際に占有される周波数リソースの量を含む。
【０１２８】
第4の態様の第22または第23の可能な実装方式に関して、第25の可能な実装方式において、リソース決定ユニットは、
競合解決メッセージのリソースもしくはリソースインデックスとプリアンブル情報との間の対応関係に従って、競合解決メッセージを受信するためのリソースを決定するか、または
競合解決メッセージのリソースもしくはリソースインデックスとプリアンブル情報との間の対応関係およびセル共通パラメータに従って、競合解決メッセージを受信するためのリソースを決定するか、または
競合解決メッセージのリソースもしくはリソースインデックスとRARリソース情報との間の対応関係に従って、競合解決メッセージを受信するためのリソースを決定するか、または
競合解決メッセージのリソースもしくはリソースインデックスとRARリソース情報との間の対応関係およびセル共通パラメータに従って、競合解決メッセージを受信するためのリソースを決定するか、または
競合解決メッセージのリソースもしくはリソースインデックスと指定されたパラメータとの間の対応関係に従って、競合解決メッセージを受信するためのリソースを決定するか、または
競合解決メッセージのリソースもしくはリソースインデックスと指定されたパラメータとの間の対応関係およびセル共通パラメータに従って、競合解決メッセージを受信するためのリソースを決定するようにさらに構成され、
セル共通パラメータは、セル識別情報、サブフレーム番号、フレーム番号、タイムスロット番号、もしくは直交周波数分割多重シンボルインデックスを含み、指定されたパラメータは、競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０１２９】
第4の態様の第22の可能な実装方式に関して、第26の可能な実装方式において、競合解決メッセージを伝送する際に占有される時間リソースの開始時刻とRAR応答メッセージを伝送する際に占有される時間リソースの開始時刻との間にプリセットされたタイミング関係もしくはプリセットされた時間オフセットが存在するか、または競合解決メッセージを伝送する際に占有される時間リソースの終了時刻とRAR応答メッセージを伝送する際に占有される時間リソースの終了時刻との間にプリセットされたタイミング関係もしくはプリセットされた時間オフセットが存在する。
【０１３０】
第4の態様に関して、第27の可能な実装方式において、
送信ユニットは、再送RAR応答メッセージを基地局に送信するようにさらに構成され、
および/または、受信ユニットは、基地局によって再送された競合解決メッセージを受信するようにさらに構成される。
【０１３１】
第4の態様の第27の可能な実装方式に関して、第28の可能な実装方式において、
RAR応答メッセージを再送する際に占有される時間リソースおよび周波数リソースのサイズ、ならびに/またはRAR応答メッセージを再送する際に占有される時間リソースおよび周波数リソースの開始配置もしくは配置、ならびに/またはシステム内の特定の2つのRAR応答メッセージを再送する際に占有される時間リソースの間の間隔および/または周波数リソースの間の間隔、ならびに/またはRAR応答メッセージを再送する際に占有される時間リソースおよび周波数リソースの量は、シグナリングを使用することによって構成されるか、またはシステムによってプリセットされ、
競合解決メッセージを再送する際に占有される時間リソースおよび周波数リソースのサイズ、ならびに/または競合解決メッセージを再送する際に占有される時間リソースおよび周波数リソースの開始配置もしくは配置、ならびに/またはシステム内の特定の2つの競合解決メッセージを再送する際に占有される時間リソースの間の間隔および/または周波数リソースの間の間隔、ならびに/または競合解決メッセージを再送する際に占有される時間リソースおよび周波数リソースの量は、シグナリングを使用することによって構成されるか、またはシステムによってプリセットされる。
【０１３２】
第4の態様の第27の可能な実装方式に関して、第29の可能な実装方式において、リソース決定ユニットは、
再送RAR応答メッセージのリソースもしくはリソースインデックスとプリアンブル情報との間の対応関係およびプリセットされた時間オフセットに従って、再送RAR応答情報を送信するためのリソースを決定するか、または
再送RAR応答メッセージのリソースもしくはリソースインデックスとプリアンブル情報との間の対応関係、プリセットされた時間オフセット、およびセル共通パラメータに従って、再送RAR応答メッセージを送信するためのリソースを決定するか、または
再送RAR応答メッセージのリソースもしくはリソースインデックスとRARリソース情報との間の対応関係およびプリセットされた時間オフセットに従って、再送RAR応答メッセージを送信するためのリソースを決定するか、または
再送RAR応答メッセージのリソースもしくはリソースインデックスとRARリソース情報との間の対応関係、プリセットされた時間オフセット、およびセル共通パラメータに従って、再送RAR応答メッセージを送信するためのリソースを決定するか、または
再送RAR応答メッセージのリソースもしくはリソースインデックスと指定されたパラメータとの間の対応関係およびプリセットされた時間オフセットに従って、再送RAR応答メッセージを送信するためのリソースを決定するか、または
再送RAR応答メッセージのリソースもしくはリソースインデックスと指定されたパラメータとの間の対応関係、プリセットされた時間オフセット、およびセル共通パラメータに従って、再送RAR応答メッセージを送信するためのリソースを決定するようにさらに構成され、
セル共通パラメータは、セル識別情報、サブフレーム番号、フレーム番号、タイムスロット番号、もしくは直交周波数分割多重シンボルインデックスを含み、指定されたパラメータは、RAR応答を送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０１３３】
第4の態様の第27の可能な実装方式に関して、第30の可能な実装方式において、リソース決定ユニットは、
再送競合解決メッセージのリソースもしくはリソースインデックスとプリアンブル情報との間の対応関係およびプリセットされた時間オフセットに従って、再送競合解決メッセージを受信するためのリソースを決定するか、または
再送競合解決メッセージのリソースもしくはリソースインデックスとプリアンブル情報との間の対応関係、プリセットされた時間オフセット、およびセル共通パラメータに従って、再送競合解決メッセージを受信するためのリソースを決定するか、または
再送競合解決メッセージのリソースもしくはリソースインデックスとRARリソース情報との間の対応関係およびプリセットされた時間オフセットに従って、再送競合解決メッセージを受信するためのリソースを決定するか、または
再送競合解決メッセージのリソースもしくはリソースインデックスとRARリソース情報との間の対応関係、プリセットされた時間オフセット、およびセル共通パラメータに従って、再送競合解決メッセージを受信するためのリソースを決定するか、または
再送競合解決メッセージのリソースもしくはリソースインデックスと指定されたパラメータとの間の対応関係およびプリセットされた時間オフセットに従って、再送競合解決メッセージを受信するためのリソースを決定するか、または
再送競合解決メッセージのリソースもしくはリソースインデックスと指定されたパラメータとの間の対応関係、プリセットされた時間オフセット、およびセル共通パラメータに従って、再送競合解決メッセージを受信するためのリソースを決定するようにさらに構成され、
セル共通パラメータは、セル識別情報、サブフレーム番号、フレーム番号、タイムスロット番号、もしくは直交周波数分割多重シンボルインデックスを含み、指定されたパラメータは、再送競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０１３４】
第4の態様の第27から第30の可能な実装方式のうちのいずれか1つに関して、第31の可能な実装方式において、
RAR応答メッセージに使用されるリソースは、RAR応答メッセージの伝送の回数に対応し、RAR応答メッセージの伝送の異なる回数で使用されるリソースは、時間、および/または周波数、および/またはコードワードに関して直交しており、
競合解決メッセージに使用されるリソースは、競合解決メッセージの伝送の回数に対応し、競合解決メッセージの伝送の異なる回数で使用されるリソースは、時間、および/または周波数、および/またはコードワードに関して直交しており、
第1のメッセージの伝送は、事前定義された第1のメッセージ構成を使用することによって実行され、第1の情報は、RARメッセージ、またはRAR応答メッセージ、または競合解決メッセージ、または再送RAR応答メッセージ、または再送競合解決メッセージであり、第1のメッセージ構成は、変調符号化方式、伝送ブロックのサイズ、電力設定のうちの1つまたは複数を含む。
【０１３５】
第5の態様によれば、基地局が実現され、基地局は、
バスと、バスに接続されているプロセッサ、メモリ、およびインターフェースとを備え、メモリは、命令を記憶するように構成され、
インターフェースは、ユーザ機器によって送信されたランダムアクセスプリアンブルを受信するように構成され、
プロセッサは、
受信されたランダムアクセスプリアンブルに従ってプリアンブル情報を決定することであって、プリアンブル情報はランダムアクセスプリアンブル、ランダムアクセスプリアンブルインデックス、ランダムアクセスプリアンブルを伝送するために使用される時間リソースのインデックス、ランダムアクセスプリアンブルを伝送するために使用される周波数リソースのインデックス、ランダムアクセスプリアンブルを伝送するために使用される時間リソースにおける開始時間リソース、およびランダムアクセスプリアンブルを伝送するために使用される開始周波数リソースのうちの1つまたは複数を含む、決定することと、
プリアンブル情報とランダムアクセス応答RARリソース情報との間の対応関係に従ってランダムアクセスプリアンブルに対応するRARリソースを決定することであって、RARリソース情報は、RARリソース、RARリソースインデックス、RARメッセージを伝送するために使用される時間リソースのインデックス、RARメッセージを伝送するために使用される周波数リソースのインデックス、RARメッセージを伝送するために使用される時間リソースにおける開始時間リソース、およびRARメッセージを伝送するために使用される開始周波数リソースのうちの1つまたは複数を含み、ならびにプリアンブル情報とRARリソース情報との間の対応関係は、シグナリングを使用することによって構成されるか、またはシステムによってプリセットされる、決定することとを実行する命令を実行し、
インターフェースは、ランダムアクセスプリアンブルに対応するRARリソース上でランダムアクセスプリアンブルに対応するRARメッセージをユーザ機器に送信するようにさらに構成される。
【０１３６】
第5の態様に関して、第1の可能な実装方式において、
RARリソースは、シグナリングを使用することによって構成されるか、またはシステムによってプリセットされ、シグナリングを使用することによって構成されるか、またはシステムによってプリセットされたRARリソースのうちの各RARリソースは、1つまたは複数のランダムアクセスプリアンブルに対応する。
【０１３７】
第5の態様の第1の可能な実装方式に関して、第2の可能な実装方式において、シグナリングを使用することによって構成されるか、またはシステムによってプリセットされたRARリソースは、
RARメッセージを伝送する際に占有される時間リソースの配置および/もしくは周波数リソースの配置、ならびに/または
RARメッセージを伝送する際に占有される時間リソースの開始配置および/もしくは周波数リソースの開始配置、ならびに/または
RARメッセージを伝送する際に占有される時間リソースのサイズおよび/もしくは周波数リソースのサイズ、ならびに/または
異なるRARを伝送する際に占有される時間リソース間の時間間隔および/もしくは周波数間隔、ならびに/または
1つの事前指定された時間範囲に含まれ、RARメッセージを伝送する際に占有される時間リソースの量、および1つの事前指定された周波数範囲に含まれ、RARメッセージを伝送する際に占有される周波数リソースの量を含む。
【０１３８】
第5の態様の第1の可能な実装方式に関して、第3の可能な実装方式において、
N個のRARリソースが、シグナリングを使用することによって構成されるか、またはシステムによってプリセットされ、N個のRARリソースが、N個のランダムアクセスプリアンブルに対応し、Nが1よりも大きい正整数である場合に、プリアンブル情報とRARリソース情報との間の対応関係は、
各ランダムアクセスプリアンブルが1つのRARリソースもしくはRARリソースインデックスに対応し、異なるランダムアクセスプリアンブルに対応するRARリソースもしくはRARリソースインデックスが異なること、または
各ランダムアクセスプリアンブルインデックスが1つのRARリソースもしくはRARリソースインデックスに対応し、異なるランダムアクセスプリアンブルインデックスに対応するRARリソースもしくはRARリソースインデックスが異なることを含む。
【０１３９】
第5の態様の第3の可能な実装方式に関して、第4の可能な実装方式において、1つのRARリソースがただ1つのランダムアクセスプリアンブルに対応する場合、RARリソース上で伝送される媒体アクセス制御MACパケットデータユニットPDUに含まれるRARメッセージは、ランダムアクセスプリアンブルまたはランダムアクセスプリアンブルインデックスを指示するための識別子を含まない。
【０１４０】
第5の態様の第1の可能な実装方式に関して、第5の可能な実装方式において、
N個のRARリソースが、シグナリングを使用することによって構成されるか、またはシステムによってプリセットされ、N個のRARリソースが、M個のランダムアクセスプリアンブルに対応し、NおよびMが1よりも大きい正整数であり、M>Nである場合に、プリアンブル情報とRARリソース情報との間の対応関係は、
各RARリソースまたはRARリソースインデックスが、少なくとも1つのランダムアクセスプリアンブルに対応し、複数のランダムアクセスプリアンブルに対応する少なくとも1つのRARリソースもしくはRARリソースインデックスがあること、または
各RARリソースまたはRARリソースインデックスが、少なくとも1つのランダムアクセスプリアンブルインデックスに対応し、複数のランダムアクセスプリアンブルインデックスに対応する少なくとも1つのRARリソースもしくはRARリソースインデックスがあることを含む。
【０１４１】
第5の態様の第5の可能な実装方式に関して、第6の可能な実装方式において、
1つのRARリソースが、複数のランダムアクセスプリアンブルに対応する場合、RARリソース上で伝送されるMAC PDUに含まれるRARメッセージは、ランダムアクセスプリアンブルもしくはランダムアクセスプリアンブルインデックスを指示するための識別子を含み、識別子の長さは、kビットに等しく、k=ceil(log2(RARリソースに対応するランダムアクセスプリアンブルの量))であり、ここにおいて、ceilは切り上げの関数を表し、logは対数関数を表す、または
RARリソースのうちの少なくとも1つのRARリソースが、複数のランダムアクセスプリアンブルに対応する場合、各RARリソース上で伝送されるMAC PDUに含まれるRARメッセージは、ランダムアクセスプリアンブルもしくはランダムアクセスプリアンブルインデックスを指示するための識別子を含み、識別子の長さは、hビット以下であり、h=ceil(log2(max(第1のRARリソースに対応するランダムアクセスプリアンブルの量、第2のRARリソースに対応するランダムアクセスプリアンブルの量、...、第NのRARリソースに対応するランダムアクセスプリアンブルの量)))であり、ここにおいて、ceilは切り上げの関数を表し、logは対数関数を表し、maxは最大値関数を表し、Nは1よりも大きい正整数である。
【０１４２】
第5の態様の第5の可能な実装方式に関して、第7の可能な実装方式において、N個のRARリソースがシグナリングを使用することによって構成されるか、またはシステムによってプリセットされ、N=2kである場合、
ランダムアクセスプリアンブルのプリアンブルインデックスは、sビットによって指示され、sビットのうちのkビットは、ランダムアクセスプリアンブルに対応するRARリソースインデックスに対応するkビットに従って決定され、sビットのうちの残りの(s-k)ビットは、ランダムアクセスプリアンブルまたはランダムアクセスプリアンブルインデックスを指示するための識別子を使用することによって決定される。
【０１４３】
第5の態様に関して、第8の可能な実装方式において、
プリアンブル情報とRARリソース情報との間の対応関係は、関数関係、表関係、または指定された関係であり、
プリアンブル情報とRARリソース情報との間の対応関係は、シグナリングを使用することによって構成されるか、またはシステムによってプリセットされ、シグナリングは、ブロードキャストまたはマルチキャストシグナリングを含み、プリアンブル情報とRARリソース情報との間の、シグナリングを使用することによって構成されるか、またはシステムによってプリセットされた、対応関係は、
ランダムアクセスプリアンブルとRARリソースとの間の対応関係、または
ランダムアクセスプリアンブルインデックスとRARリソースとの間の対応関係、または
ランダムアクセスプリアンブルとRARリソースインデックスとの間の対応関係、または
ランダムアクセスプリアンブルインデックスとRARリソースインデックスとの間の対応関係を含む。
【０１４４】
第5の態様の第8の可能な実装方式に関して、第9の可能な実装方式において、プリアンブル情報とRARリソース情報との間の対応関係は、
ランダムアクセスプリアンブルに対応するRARリソースインデックス=ランダムアクセスプリアンブルインデックスmodシグナリングを使用することによって構成されるか、またはシステムによってプリセットされたRARリソースの量、を含み、ここにおいてmodはモジュロ演算を表す。
【０１４５】
第5の態様の第1の可能な実装方式に関して、第10の可能な実装方式において、シグナリングを使用することによって構成されるか、またはシステムによってプリセットされたRARリソースの異なるRARリソースに対応するランダムアクセスプリアンブルは、同じであるか、または部分的に同じであるか、または完全に異なる。
【０１４６】
第5の態様に関して、第11の可能な実装方式において、プロセッサは、
指定されたパラメータとランダムアクセスプリアンブルとの間の対応関係に従って、指定されたパラメータに対応するランダムアクセスプリアンブルを決定することと、
指定されたパラメータに対応するランダムアクセスプリアンブルに従って、MAC PDUに含まれるRARメッセージにおいて、ランダムアクセスプリアンブルまたはランダムアクセスプリアンブルインデックスを指示するための、識別子のビットの量を決定することとをさらに実行する命令を実行する。
【０１４７】
第5の態様の第11の可能な実装方式に関して、第12の可能な実装方式において、
指定されたパラメータとランダムアクセスプリアンブルとの間の対応関係は、シグナリングを使用することによって構成されるか、またはシステムによってプリセットされ、ランダムアクセスプリアンブル、およびランダムアクセスプリアンブルまたはランダムアクセスプリアンブルインデックスを指示するための識別子のビットの量は、シグナリングを使用することによって構成されるか、またはシステムによってプリセットされ、
指定されたパラメータは、経路損失値もしくは範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０１４８】
第5の態様に関して、第13の可能な実装方式において、
ランダムアクセスプリアンブルに対応するRARメッセージは、一時識別子を指示するためのビットもしくはフィールドを含まず、一時識別子は、セル無線ネットワーク一時識別子、もしくは一時セル無線ネットワーク一時識別子を含み、および/または
ランダムアクセスプリアンブルに対応するRARメッセージは、アップリンクスケジューリング/グラント情報を含まず、および/または
ランダムアクセスプリアンブルに対応するRARメッセージは、事前定義されたタイミングアドバンスコマンドを含み、事前定義されたタイミングアドバンスコマンドの調整精度は、指定された調整精度よりも大きく、および/または
プリアンブル情報とRARリソース情報との間の対応関係は、1つまたは複数のセル共通パラメータをさらに含み、セル共通パラメータは、セル識別情報、サブフレーム番号、フレーム番号、タイムスロット番号、もしくは直交周波数分割多重シンボルインデックスを含み、および/または
RARメッセージを伝送する際に占有される時間リソースの開始時刻とユーザ機器によってランダムアクセスプリアンブルを伝送する際に占有される時間リソースの開始時刻との間にプリセットされたタイミング関係もしくはプリセットされた時間オフセットが存在するか、またはRARメッセージを伝送する際に占有される時間リソースの終了時刻とユーザ機器によってランダムアクセスプリアンブルを伝送する際に占有される時間リソースの終了時刻との間にプリセットされたタイミング関係もしくはプリセットされた時間オフセットが存在する。
【０１４９】
第5の態様に関して、第14の可能な実装方式において、インターフェースは、ユーザ機器によって送信されたRAR応答メッセージを受信するようにさらに構成され、RAR応答メッセージは、無線リソース制御RRC接続要求を含み、
RRC接続要求は、第1のユーザ識別情報を指示するためのビットまたはフィールドを含み、第1のユーザ識別情報は、ランダムアクセスの競合衝突解決においてユーザ機器を区別するために使用され、第1のユーザ識別情報を指示するためのビットまたはフィールドに含まれるビットの量は、第1の指定されたビットの量よりも少ない。
【０１５０】
第5の態様の第14の可能な実装方式に関して、第15の可能な実装方式において、RRC接続要求は、事前定義された確立原因をさらに含み、事前定義された確立原因を指示するためのビットの量は、第2の指定されたビットの量よりも多い。
【０１５１】
第5の態様の第13または第14の可能な実装方式に関して、第16の可能な実装方式において、RAR応答メッセージを伝送するために使用されるリソースは、シグナリングを使用することによって構成されるか、またはシステムによってプリセットされ、シグナリングを使用することによって構成されるか、またはシステムによってプリセットされ、RAR応答メッセージを伝送するために使用されるリソースは、
RAR応答メッセージを伝送する際に占有される時間リソースの配置および/もしくは周波数リソースの配置、ならびに/または
RAR応答メッセージを伝送する際に占有される時間リソースの開始配置および/もしくは周波数リソースの開始配置、ならびに/または
RAR応答メッセージを伝送する際に占有される時間リソースのサイズおよび/もしくは周波数リソースのサイズ、ならびに/または
異なるRAR応答メッセージを伝送する際に占有される時間リソース間の時間間隔および/または異なるRAR応答メッセージを伝送する際に占有される周波数リソース間の周波数間隔、ならびに/または
1つの事前指定された時間範囲に含まれ、RAR応答メッセージを伝送する際に占有される時間リソースの量、および1つの事前指定された周波数範囲に含まれ、RAR応答メッセージを伝送する際に占有される周波数リソースの量を含む。
【０１５２】
第5の態様の第13または第14の可能な実装方式に関して、第17の可能な実装方式において、プロセッサは、
RAR応答メッセージのリソースもしくはリソースインデックスとプリアンブル情報との間の対応関係に従って、RAR応答メッセージを受信するためのリソースを決定すること、または
RAR応答メッセージのリソースもしくはリソースインデックスとプリアンブル情報との間の対応関係およびセル共通パラメータに従って、RAR応答メッセージを受信するためのリソースを決定すること、または
RAR応答メッセージのリソースもしくはリソースインデックスとRARリソース情報との間の対応関係に従って、RAR応答メッセージを受信するためのリソースを決定すること、または
RAR応答メッセージのリソースもしくはリソースインデックスとRARリソース情報との間の対応関係およびセル共通パラメータに従って、RAR応答メッセージを受信するためのリソースを決定すること、または
RAR応答メッセージのリソースもしくはリソースインデックスと指定されたパラメータとの間の対応関係に従って、RAR応答メッセージを受信するためのリソースを決定すること、または
RAR応答メッセージのリソースもしくはリソースインデックスと指定されたパラメータとの間の対応関係およびセル共通パラメータに従って、RAR応答メッセージを受信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０１５３】
第5の態様の第17の可能な実装方式に関して、第18の可能な実装方式において、RAR応答メッセージのリソースインデックスとプリアンブル情報との間の対応関係は、
ランダムアクセスプリアンブルに対応するRAR応答メッセージのリソースインデックス=ランダムアクセスプリアンブルインデックスmodシグナリングを使用することによって構成されるか、またはシステムによってプリセットされたRAR応答メッセージのリソースの量、ここでmodはモジュロ演算を表す、または
RAR応答メッセージのリソースインデックス=ランダムアクセスプリアンブルに対応するRARリソースインデックス、を含む。
【０１５４】
第5の態様の第14の可能な実装方式に関して、第19の可能な実装方式において、RAR応答メッセージを伝送する際に占有される時間リソースの開始時刻とRARメッセージを伝送する際に占有される時間リソースの開始時刻との間にプリセットされたタイミング関係もしくはプリセットされた時間オフセットが存在するか、またはRAR応答メッセージを伝送する際に占有される時間リソースの終了時刻とRARメッセージを伝送する際に占有される時間リソースの終了時刻との間にプリセットされたタイミング関係もしくはプリセットされた時間オフセットが存在する。
【０１５５】
第5の態様に関して、第20の可能な実装方式において、インターフェースは、
競合解決メッセージをユーザ機器に送信するようにさらに構成され、
競合解決メッセージは、第2のユーザ識別情報を指示するためのビットまたはフィールドを含み、第2のユーザ識別情報は、ランダムアクセスの競合衝突解決においてユーザ機器を区別するために使用され、第2のユーザ識別情報を指示するためのビットまたはフィールドに含まれるビットの量は、第3の指定されたビットの量よりも少ない。
【０１５６】
第5の態様の第20の可能な実装方式に関して、第21の可能な実装方式において、競合解決メッセージは、一時識別子を指示するためのビットもしくはフィールドをさらに含み、一時識別子は、セル無線ネットワーク一時識別子、もしくは一時セル無線ネットワーク一時識別子を含む。
【０１５７】
第5の態様の第20または第21の可能な実装方式に関して、第22の可能な実装方式において、競合解決メッセージを伝送するために使用されるリソースは、シグナリングを使用することによって構成されるか、またはシステムによってプリセットされ、シグナリングを使用することによって構成されるか、またはシステムによってプリセットされ、競合解決メッセージを伝送するために使用されるリソースは、
競合解決メッセージを伝送する際に占有される時間リソースの配置および/もしくは周波数リソースの配置、ならびに/または
競合解決メッセージを伝送する際に占有される時間リソースの開始配置および/もしくは周波数リソースの開始配置、ならびに/または
競合解決メッセージを伝送する際に占有される時間リソースのサイズおよび/もしくは周波数リソースのサイズ、ならびに/または
異なる競合解決メッセージを伝送する際に占有される時間リソース間の時間間隔および/もしくは異なる競合解決メッセージを伝送する際に占有される周波数リソース間の周波数間隔、ならびに/または
1つの事前指定された時間範囲に含まれ、競合解決メッセージを伝送する際に占有される時間リソースの量、および1つの事前指定された周波数範囲に含まれ、競合解決メッセージを伝送する際に占有される周波数リソースの量を含む。
【０１５８】
第5の態様の第20または第21の可能な実装方式に関して、第23の可能な実装方式において、プロセッサは、
競合解決メッセージのリソースもしくはリソースインデックスとプリアンブル情報との間の対応関係に従って、競合解決メッセージを送信するためのリソースを決定すること、または
競合解決メッセージのリソースもしくはリソースインデックスとプリアンブル情報との間の対応関係およびセル共通パラメータに従って、競合解決メッセージを送信するためのリソースを決定すること、または
競合解決メッセージのリソースもしくはリソースインデックスとRARリソース情報との間の対応関係に従って、競合解決メッセージを送信するためのリソースを決定すること、または
競合解決メッセージのリソースもしくはリソースインデックスとRARリソース情報との間の対応関係およびセル共通パラメータに従って、競合解決メッセージを送信するためのリソースを決定すること、または
競合解決メッセージのリソースもしくはリソースインデックスと指定されたパラメータとの間の対応関係に従って、競合解決メッセージを送信するためのリソースを決定すること、または
競合解決メッセージのリソースもしくはリソースインデックスと指定されたパラメータとの間の対応関係およびセル共通パラメータに従って、競合解決メッセージを送信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０１５９】
第5の態様の第20の可能な実装方式に関して、第24の可能な実装方式において、競合解決メッセージを伝送する際に占有される時間リソースの開始時刻とRAR応答メッセージを伝送する際に占有される時間リソースの開始時刻との間にプリセットされたタイミング関係もしくはプリセットされた時間オフセットが存在するか、または競合解決メッセージを伝送する際に占有される時間リソースの終了時刻とRAR応答メッセージを伝送する際に占有される時間リソースの終了時刻との間にプリセットされたタイミング関係もしくはプリセットされた時間オフセットが存在する。
【０１６０】
第5の態様に関して、第25の可能な実装方式において、インターフェースは、
ユーザ機器によって再送されたRAR応答メッセージを受信し、および/または
再送競合解決メッセージをユーザ機器に送信するようにさらに構成される。
【０１６１】
第5の態様の第25の可能な実装方式に関して、第26の可能な実装方式において、
RAR応答メッセージを再送する際に占有される時間リソースおよび周波数リソースのサイズ、ならびに/またはRAR応答メッセージを再送する際に占有される時間リソースおよび周波数リソースの開始配置もしくは配置、ならびに/またはシステム内の特定の2つのRAR応答メッセージを再送する際に占有される時間リソースの間の間隔および/または周波数リソースの間の間隔、ならびに/またはRAR応答メッセージを再送する際に占有される時間リソースおよび周波数リソースの量は、シグナリングを使用することによって構成されるか、またはシステムによってプリセットされ、
競合解決メッセージを再送する際に占有される時間リソースおよび周波数リソースのサイズ、ならびに/または競合解決メッセージを再送する際に占有される時間リソースおよび周波数リソースの開始配置もしくは配置、ならびに/またはシステム内の特定の2つの競合解決メッセージを再送する際に占有される時間リソースの間の間隔および/または周波数リソースの間の間隔、ならびに/または競合解決メッセージを再送する際に占有される時間リソースおよび周波数リソースの量は、シグナリングを使用することによって構成されるか、またはシステムによってプリセットされる。
【０１６２】
第5の態様の第25の可能な実装方式に関して、第27の可能な実装方式において、プロセッサは、
再送RAR応答メッセージのリソースもしくはリソースインデックスとプリアンブル情報との間の対応関係およびプリセットされた時間オフセットに従って、再送RAR応答情報を受信するためのリソースを決定すること、または
再送RAR応答メッセージのリソースもしくはリソースインデックスとプリアンブル情報との間の対応関係、プリセットされた時間オフセット、およびセル共通パラメータに従って、再送RAR応答メッセージを受信するためのリソースを決定すること、または
再送RAR応答メッセージのリソースもしくはリソースインデックスとRARリソース情報との間の対応関係およびプリセットされた時間オフセットに従って、再送RAR応答メッセージを受信するためのリソースを決定すること、または
再送RAR応答メッセージのリソースもしくはリソースインデックスとRARリソース情報との間の対応関係、プリセットされた時間オフセット、およびセル共通パラメータに従って、再送RAR応答メッセージを受信するためのリソースを決定すること、または
再送RAR応答メッセージのリソースもしくはリソースインデックスと指定されたパラメータとの間の対応関係およびプリセットされた時間オフセットに従って、再送RAR応答メッセージを受信するためのリソースを決定すること、または
再送RAR応答メッセージのリソースもしくはリソースインデックスと指定されたパラメータとの間の対応関係、プリセットされた時間オフセット、およびセル共通パラメータに従って、再送RAR応答メッセージを受信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、RAR応答を送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０１６３】
第5の態様の第25または第26の可能な実装方式に関して、第28の可能な実装方式において、プロセッサは、
再送競合解決メッセージのリソースもしくはリソースインデックスとプリアンブル情報との間の対応関係およびプリセットされた時間オフセットに従って、再送競合解決メッセージを送信するためのリソースを決定すること、または
再送競合解決メッセージのリソースもしくはリソースインデックスとプリアンブル情報との間の対応関係、プリセットされた時間オフセット、およびセル共通パラメータに従って、再送競合解決メッセージを送信するためのリソースを決定すること、または
再送競合解決メッセージのリソースもしくはリソースインデックスとRARリソース情報との間の対応関係およびプリセットされた時間オフセットに従って、再送競合解決メッセージを送信するためのリソースを決定すること、または
再送競合解決メッセージのリソースもしくはリソースインデックスとRARリソース情報との間の対応関係、プリセットされた時間オフセット、およびセル共通パラメータに従って、再送競合解決メッセージを送信するためのリソースを決定すること、または
再送競合解決メッセージのリソースもしくはリソースインデックスと指定されたパラメータとの間の対応関係およびプリセットされた時間オフセットに従って、再送競合解決メッセージを送信するためのリソースを決定すること、または
再送競合解決メッセージのリソースもしくはリソースインデックスと指定されたパラメータとの間の対応関係、プリセットされた時間オフセット、およびセル共通パラメータに従って、再送競合解決メッセージを送信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、再送競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０１６４】
第5の態様の第25から第28の可能な実装方式のうちのいずれか1つに関して、第29の可能な実装方式において、
RAR応答メッセージに使用されるリソースは、RAR応答メッセージの伝送の回数に対応し、RAR応答メッセージの伝送の異なる回数で使用されるリソースは、時間、および/または周波数、および/またはコードワードに関して直交しており、
競合解決メッセージに使用されるリソースは、競合解決メッセージの伝送の回数に対応し、競合解決メッセージの伝送の異なる回数で使用されるリソースは、時間、および/または周波数、および/またはコードワードに関して直交しており、
第1のメッセージの伝送は、事前定義された第1のメッセージ構成を使用することによって実行され、第1の情報は、RARメッセージ、またはRAR応答メッセージ、または競合解決メッセージ、または再送RAR応答メッセージ、または再送競合解決メッセージであり、第1のメッセージ構成は、変調符号化方式、伝送ブロックのサイズ、電力設定のうちの1つまたは複数を含む。
【０１６５】
第5の態様の第29の可能な実装方式に関して、第30の可能な実装方式において、第1の情報を伝送するために使用されるリソースが、シグナリングを使用することによって構成される場合、インターフェースは、
構成シグナリングをユーザ機器に送信するようにさらに構成され、構成シグナリングは、第1の情報の伝送の際に使用されるリソース構成をユーザ機器に通知するために使用される。
【０１６６】
第6の態様によれば、ユーザ機器が実現され、ユーザ機器は、バスと、バスに接続されているプロセッサ、メモリ、およびインターフェースとを備え、メモリは、命令を記憶するように構成され、
プロセッサは、ランダムアクセスプリアンブルを決定する命令を実行し、
インターフェースは、第1のランダムアクセスプリアンブルを基地局に送信するように構成され、
プロセッサは、
第1のランダムアクセスプリアンブルに従ってプリアンブル情報を決定することであって、プリアンブル情報はランダムアクセスプリアンブル、ランダムアクセスプリアンブルインデックス、ランダムアクセスプリアンブルを伝送するために使用される時間リソースのインデックス、ランダムアクセスプリアンブルを伝送するために使用される周波数リソースのインデックス、ランダムアクセスプリアンブルを伝送するために使用される時間リソースにおける開始時間リソース、およびランダムアクセスプリアンブルを伝送するために使用される開始周波数リソースのうちの1つまたは複数を含む、決定することと、
プリアンブル情報とランダムアクセス応答RARリソース情報との間の対応関係に従って第1のランダムアクセスプリアンブルに対応するRARリソースを決定することであって、RARリソース情報は、RARリソース、RARリソースインデックス、RARメッセージを伝送するために使用される時間リソースのインデックス、RARメッセージを伝送するために使用される周波数リソースのインデックス、RARメッセージを伝送するために使用される時間リソースにおける開始時間リソース、およびRARメッセージを伝送するために使用される開始周波数リソースのうちの1つまたは複数を含み、ならびにプリアンブル情報とRARリソース情報との間の対応関係は、シグナリングを使用することによって構成されるか、またはシステムによってプリセットされる、決定することとをさらに実行する命令を実行し、
インターフェースは、第1のランダムアクセスプリアンブルに対応するRARリソース上で、基地局によって送信された媒体アクセス制御MACパケットデータユニットPDUを受信するようにさらに構成され、
プロセッサは、MAC PDUが第1のランダムアクセスプリアンブルに対応するRARメッセージを含むかどうかをさらに決定する命令を実行する。
【０１６７】
第6の態様に関して、第1の可能な実装方式において、
RARリソースは、シグナリングを使用することによって構成され、シグナリングは、基地局またはシステムがRARリソースをプリセットした後に送信され、プリセットされたRARリソースのうちの各RARリソースは、1つまたは複数のランダムアクセスプリアンブルに対応する。
【０１６８】
第6の態様の第1の可能な実装方式に関して、第2の可能な実装方式において、シグナリングを使用することによって構成されたRARリソースは、
RARメッセージを伝送する際に占有される時間リソースの配置および/もしくは周波数リソースの配置、ならびに/または
RARメッセージを伝送する際に占有される時間リソースの開始配置および/もしくは周波数リソースの開始配置、ならびに/または
RARメッセージを伝送する際に占有される時間リソースのサイズおよび/もしくは周波数リソースのサイズ、ならびに/または
異なるRARを伝送する際に占有される時間リソース間の時間間隔および/もしくは周波数間隔、ならびに/または
1つの事前指定された時間範囲に含まれ、RARメッセージを伝送する際に占有される時間リソースの量、および1つの事前指定された周波数範囲に含まれ、RARメッセージを伝送する際に占有される周波数リソースの量を含む。
【０１６９】
第6の態様の第1の可能な実装方式に関して、第3の可能な実装方式において、
N個のRARリソースが、シグナリングを使用することによって構成されるか、またはシステムによってプリセットされ、N個のRARリソースが、N個のランダムアクセスプリアンブルに対応し、Nが1よりも大きい正整数である場合に、プリアンブル情報とRARリソース情報との間の対応関係は、
各ランダムアクセスプリアンブルが1つのRARリソースもしくはRARリソースインデックスに対応し、異なるランダムアクセスプリアンブルに対応するRARリソースもしくはRARリソースインデックスが異なること、または
各ランダムアクセスプリアンブルインデックスが1つのRARリソースもしくはRARリソースインデックスに対応し、異なるランダムアクセスプリアンブルインデックスに対応するRARリソースもしくはRARリソースインデックスが異なることを含む。
【０１７０】
第6の態様の第3の可能な実装方式に関して、第4の可能な実装方式において、
1つのRARリソースがただ1つのランダムアクセスプリアンブルに対応する場合、RARリソース上で伝送される媒体アクセス制御MACパケットデータユニットPDUに含まれるRARメッセージは、ランダムアクセスプリアンブルまたはランダムアクセスプリアンブルインデックスを指示するための識別子を含まない。
【０１７１】
第6の態様の第1の可能な実装方式に関して、第5の可能な実装方式において、
N個のRARリソースが、シグナリングを使用することによって構成されるか、またはシステムによってプリセットされ、N個のRARリソースが、M個のランダムアクセスプリアンブルに対応し、NおよびMが1よりも大きい正整数であり、M>Nである場合に、プリアンブル情報とRARリソース情報との間の対応関係は、
各RARリソースまたはRARリソースインデックスが、少なくとも1つのランダムアクセスプリアンブルに対応し、複数のランダムアクセスプリアンブルに対応する少なくとも1つのRARリソースもしくはRARリソースインデックスがあること、または
各RARリソースまたはRARリソースインデックスが、少なくとも1つのランダムアクセスプリアンブルインデックスに対応し、複数のランダムアクセスプリアンブルインデックスに対応する少なくとも1つのRARリソースもしくはRARリソースインデックスがあることを含む。
【０１７２】
第6の態様の第5の可能な実装方式に関して、第6の可能な実装方式において、
1つのRARリソースが、複数のランダムアクセスプリアンブルに対応する場合、RARリソース上で伝送されるMAC PDUに含まれるRARメッセージは、ランダムアクセスプリアンブルもしくはランダムアクセスプリアンブルインデックスを指示するための識別子を含み、識別子の長さは、kビットに等しく、k=ceil(log2(RARリソースに対応するランダムアクセスプリアンブルの量))であり、ここにおいて、ceilは切り上げの関数を表し、logは対数関数を表す、または
RARリソースのうちの少なくとも1つのRARリソースが、複数のランダムアクセスプリアンブルに対応する場合、各RARリソース上で伝送されるMAC PDUに含まれるRARメッセージは、ランダムアクセスプリアンブルもしくはランダムアクセスプリアンブルインデックスを指示するための識別子を含み、識別子の長さは、hビット以下であり、h=ceil(log2(max(第1のRARリソースに対応するランダムアクセスプリアンブルの量、第2のRARリソースに対応するランダムアクセスプリアンブルの量、...、第NのRARリソースに対応するランダムアクセスプリアンブルの量)))であり、ここにおいて、ceilは切り上げの関数を表し、logは対数関数を表し、maxは最大値関数を表し、Nは1よりも大きい正整数である。
【０１７３】
第6の態様の第6の可能な実装方式に関して、第7の可能な実装方式において、プロセッサは、
RARメッセージが配置されているRARリソースまたはRARリソースインデックスに対応するビットが、ランダムアクセスプリアンブルおよび第1のランダムアクセスプリアンブルと同じであり、ランダムアクセスプリアンブルはランダムアクセスプリアンブルまたはランダムアクセスプリアンブルインデックスを指示するための識別子によって指示され、識別子はMAC PDUに含まれるRARメッセージに含まれる場合に、MAC PDUが第1のランダムアクセスプリアンブルに対応するRARメッセージを含むと決定すること、または
RARメッセージが配置されているRARリソースまたはRARリソースインデックスに対応するビットが、ランダムアクセスプリアンブルインデックスおよびユーザ機器によって決定される第1のランダムアクセスプリアンブルインデックスと同じであり、ランダムアクセスプリアンブルインデックスはランダムアクセスプリアンブルまたはランダムアクセスプリアンブルインデックスを指示するための識別子によって指示され、識別子はMAC PDUに含まれるRARメッセージに含まれる場合に、MAC PDUが第1のランダムアクセスプリアンブルに対応するRARメッセージを含むと決定すること、または
第1のランダムアクセスプリアンブルに対応するRARリソース上で受信されたMAC PDUに含まれるRARメッセージに含まれる、ランダムアクセスプリアンブルまたはランダムアクセスプリアンブルインデックスを指示するための、識別子の状態が、第1のランダムアクセスプリアンブルに対応するビットのうちのaビットの状態と同じである場合に、MAC PDUが、第1のランダムアクセスプリアンブルに対応するRARメッセージを含み、aはランダムアクセスプリアンブルまたはランダムアクセスプリアンブルインデックスを指示するための識別子のビットの量に等しく、第1のランダムアクセスプリアンブルインデックスに対応するビット内のaビットの配置は事前指定される、と決定することをさらに実行する命令を実行する。
【０１７４】
第6の態様の第5の可能な実装方式に関して、第8の可能な実装方式において、
N個のRARリソースがシグナリングを使用することによって構成されるか、またはシステムによってプリセットされ、N=2kである場合、
ランダムアクセスプリアンブルのプリアンブルインデックスは、sビットによって指示され、sビットのうちのkビットは、ランダムアクセスプリアンブルに対応するRARリソースインデックスに対応するkビットに従って決定され、sビットのうちの残りの(s-k)ビットは、ランダムアクセスプリアンブルまたはランダムアクセスプリアンブルインデックスを指示するための識別子を使用することによって決定される。
【０１７５】
第6の態様の第8の可能な実装方式に関して、第9の可能な実装方式において、プロセッサは、
第1のランダムアクセスプリアンブルに対応するRARリソースインデックスに対応するビット値を決定することであって、RARリソースインデックスに対応するビット値はプリセットされる、決定することと、
MAC PDU内の識別子に対応するビット値を決定することと、
ランダムアクセスプリアンブルに対応するRARリソースインデックスに対応するビット値とMAC PDU内の識別子に対応するビット値とを組み合わせてsビットを取得することと、
sビットによって指示されるランダムアクセスプリアンブルを決定することと、
第1のランダムアクセスプリアンブルがsビットによって指示されるランダムアクセスプリアンブルと同じであるかどうかを決定し、第1のランダムアクセスプリアンブルがsビットによって指示されるランダムアクセスプリアンブルと同じである場合に、MAC PDUが第1のランダムアクセスプリアンブルに対応するRARメッセージを含むと決定するか、または第1のランダムアクセスプリアンブルが、sビットによって指示されるランダムアクセスプリアンブルと異なる場合に、MAC PDUが第1のランダムアクセスプリアンブルに対応するRARメッセージを含まないと決定することとをさらに実行する命令を実行する。
【０１７６】
第6の態様に関して、第10の可能な実装方式において、プリアンブル情報とRARリソース情報との間の対応関係は、関数関係、表関係、または指定された関係であり、
プリアンブル情報とRARリソース情報との間の対応関係は、シグナリングを使用することによって構成されるか、またはシステムによってプリセットされ、プリアンブル情報とRARリソース情報との間の、シグナリングを使用することによって構成されるか、またはシステムによってプリセットされた、対応関係は、
ランダムアクセスプリアンブルとRARリソースとの間の対応関係、または
ランダムアクセスプリアンブルインデックスとRARリソースとの間の対応関係、または
ランダムアクセスプリアンブルとRARリソースインデックスとの間の対応関係、または
ランダムアクセスプリアンブルインデックスとRARリソースインデックスとの間の対応関係を含む。
【０１７７】
第6の態様の第10の可能な実装方式に関して、第11の可能な実装方式において、プリアンブル情報とRARリソース情報との間の対応関係は、
ランダムアクセスプリアンブルに対応するRARリソースインデックス=ランダムアクセスプリアンブルインデックスmodシグナリングを使用することによって構成されるか、またはシステムによってプリセットされたRARリソースの量、を含み、ここにおいてmodはモジュロ演算を表す。
【０１７８】
第6の態様の第1の可能な実装方式に関して、第12の可能な実装方式において、シグナリングを使用することによって構成されたRARリソースの異なるRARリソースに対応するランダムアクセスプリアンブルは、同じであるか、または部分的に同じであるか、または完全に異なる。
【０１７９】
第6の態様に関して、第13の可能な実装方式において、MAC PDUに含まれるRARメッセージにおいて、ランダムアクセスプリアンブルまたはランダムアクセスプリアンブルインデックスを指示するための、識別子のビットの量は、指定されたパラメータとランダムアクセスプリアンブルとの間の対応関係に従って基地局によって決定される。
【０１８０】
第6の態様の第13の可能な実装方式に関して、第14の可能な実装方式において、
指定されたパラメータとランダムアクセスプリアンブルとの間の対応関係は、シグナリングを使用することによって構成されるか、またはシステムによってプリセットされ、ランダムアクセスプリアンブルまたはランダムアクセスプリアンブルインデックスを指示するための識別子のビットの量は、シグナリングを使用することによって構成されるか、またはシステムによってプリセットされ、
指定されたパラメータは、経路損失値もしくは範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０１８１】
第6の態様に関して、第15の可能な実装方式において、
第1のランダムアクセスプリアンブルに対応するRARメッセージは、一時識別子を指示するためのビットもしくはフィールドを含まず、一時識別子は、セル無線ネットワーク一時識別子、もしくは一時セル無線ネットワーク一時識別子を含み、および/または
第1のランダムアクセスプリアンブルに対応するRARメッセージは、アップリンクスケジューリング/グラント情報を含まず、および/または
第1のランダムアクセスプリアンブルに対応するRARメッセージは、事前定義されたタイミングアドバンスコマンドを含み、事前定義されたタイミングアドバンスコマンドの調整精度は、指定された調整精度よりも大きく、および/または
プリアンブル情報とRARリソース情報との間の対応関係は、1つまたは複数のセル共通パラメータをさらに含み、セル共通パラメータは、セル識別情報、サブフレーム番号、フレーム番号、タイムスロット番号、もしくは直交周波数分割多重シンボルインデックスを含み、および/または
RARメッセージを伝送する際に占有される時間リソースの開始時刻とユーザ機器によってランダムアクセスプリアンブルを伝送する際に占有される時間リソースの開始時刻との間にプリセットされたタイミング関係もしくはプリセットされた時間オフセットが存在するか、またはRARメッセージを伝送する際に占有される時間リソースの終了時刻とユーザ機器によってランダムアクセスプリアンブルを伝送する際に占有される時間リソースの終了時刻との間にプリセットされたタイミング関係もしくはプリセットされた時間オフセットが存在する。
【０１８２】
第6の態様に関して、第16の可能な実装方式において、インターフェースは、
RAR応答メッセージを基地局に送信するようにさらに構成され、RAR応答メッセージは、無線リソース制御RRC接続要求を含み、
RRC接続要求は、第1のユーザ識別情報を指示するためのビットまたはフィールドを含み、第1のユーザ識別情報は、ランダムアクセスの競合衝突解決においてユーザ機器を区別するために使用され、第1のユーザ識別情報を指示するためのビットまたはフィールドに含まれるビットの量は、第1の指定されたビットの量よりも少ない。
【０１８３】
第6の態様の第16の可能な実装方式に関して、第17の可能な実装方式において、RRC接続要求は、事前定義された確立原因をさらに含み、事前定義された確立原因を指示するためのビットの量は、第2の指定されたビットの量よりも多い。
【０１８４】
第6の態様の第16または第17の可能な実装方式に関して、第18の可能な実装方式において、RAR応答メッセージを伝送するために使用されるリソースは、シグナリングを使用することによって構成されるか、またはシステムによってプリセットされ、シグナリングを使用することによって構成されるか、またはシステムによってプリセットされ、RAR応答メッセージを伝送するために使用されるリソースは、
RAR応答メッセージを伝送する際に占有される時間リソースの配置および/もしくは周波数リソースの配置、ならびに/または
RAR応答メッセージを伝送する際に占有される時間リソースの開始配置および/もしくは周波数リソースの開始配置、ならびに/または
RAR応答メッセージを伝送する際に占有される時間リソースのサイズおよび/もしくは周波数リソースのサイズ、ならびに/または
異なるRAR応答メッセージを伝送する際に占有される時間リソース間の時間間隔および/または異なるRAR応答メッセージを伝送する際に占有される周波数リソース間の周波数間隔、ならびに/または
1つの事前指定された時間範囲に含まれ、RAR応答メッセージを伝送する際に占有される時間リソースの量、および1つの事前指定された周波数範囲に含まれ、RAR応答メッセージを伝送する際に占有される周波数リソースの量を含む。
【０１８５】
第6の態様の第16または第17の可能な実装方式に関して、第19の可能な実装方式において、プロセッサは、
RAR応答メッセージのリソースもしくはリソースインデックスとプリアンブル情報との間の対応関係に従って、RAR応答メッセージを送信するためのリソースを決定すること、または
RAR応答メッセージのリソースもしくはリソースインデックスとプリアンブル情報との間の対応関係およびセル共通パラメータに従って、RAR応答メッセージを送信するためのリソースを決定すること、または
RAR応答メッセージのリソースもしくはリソースインデックスとRARリソース情報との間の対応関係に従って、RAR応答メッセージを送信するためのリソースを決定すること、または
RAR応答メッセージのリソースもしくはリソースインデックスとRARリソース情報との間の対応関係およびセル共通パラメータに従って、RAR応答メッセージを送信するためのリソースを決定すること、または
RAR応答メッセージのリソースもしくはリソースインデックスと指定されたパラメータとの間の対応関係に従って、RAR応答メッセージを送信するためのリソースを決定すること、または
RAR応答メッセージのリソースもしくはリソースインデックスと指定されたパラメータとの間の対応関係およびセル共通パラメータに従って、RARメッセージを送信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０１８６】
第6の態様の第19の可能な実装方式に関して、第20の可能な実装方式において、RAR応答メッセージのリソースインデックスとプリアンブル情報との間の対応関係は、
ランダムアクセスプリアンブルに対応するRAR応答メッセージのリソースインデックス=ランダムアクセスプリアンブルインデックスmodシグナリングを使用することによって構成されるか、またはシステムによってプリセットされたRAR応答メッセージのリソースの量、ここでmodはモジュロ演算を表す、または
RAR応答メッセージのリソースインデックス=ランダムアクセスプリアンブルに対応するRARリソースインデックス、を含む。
【０１８７】
第6の態様の第16の可能な実装方式に関して、第21の可能な実装方式において、RAR応答メッセージを伝送する際に占有される時間リソースの開始時刻とRARメッセージを伝送する際に占有される時間リソースの開始時刻との間にプリセットされたタイミング関係もしくはプリセットされた時間オフセットが存在するか、またはRAR応答メッセージを伝送する際に占有される時間リソースの終了時刻とRARメッセージを伝送する際に占有される時間リソースの終了時刻との間にプリセットされたタイミング関係もしくはプリセットされた時間オフセットが存在する。
【０１８８】
第6の態様に関して、第22の可能な実装方式において、インターフェースは、
基地局によって送信された競合解決メッセージを受信するようにさらに構成され、
競合解決メッセージは、第2のユーザ識別情報を指示するためのビットまたはフィールドを含み、第2のユーザ識別情報は、ランダムアクセスの競合衝突解決においてユーザ機器を区別するために使用され、第2のユーザ識別情報を指示するためのビットまたはフィールドに含まれるビットの量は、第3の指定されたビットの量よりも少ない。
【０１８９】
第6の態様の第22の可能な実装方式に関して、第23の可能な実装方式において、競合解決メッセージは、一時識別子を指示するためのビットもしくはフィールドをさらに含み、一時識別子は、セル無線ネットワーク一時識別子、もしくは一時セル無線ネットワーク一時識別子を含む。
【０１９０】
第6の態様の第22または第23の可能な実装方式に関して、第24の可能な実装方式において、競合解決メッセージを伝送するために使用されるリソースは、シグナリングを使用することによって構成されるか、またはシステムによってプリセットされ、シグナリングを使用することによって構成されるか、またはシステムによってプリセットされ、競合解決メッセージを伝送するために使用されるリソースは、
競合解決メッセージを伝送する際に占有される時間リソースの配置および/もしくは周波数リソースの配置、ならびに/または
競合解決メッセージを伝送する際に占有される時間リソースの開始配置および/もしくは周波数リソースの開始配置、ならびに/または
競合解決メッセージを伝送する際に占有される時間リソースのサイズおよび/もしくは周波数リソースのサイズ、ならびに/または
異なる競合解決メッセージを伝送する際に占有される時間リソース間の時間間隔および/もしくは異なる競合解決メッセージを伝送する際に占有される周波数リソース間の周波数間隔、ならびに/または
1つの事前指定された時間範囲に含まれ、競合解決メッセージを伝送する際に占有される時間リソースの量、および1つの事前指定された周波数範囲に含まれ、競合解決メッセージを伝送する際に占有される周波数リソースの量を含む。
【０１９１】
第6の態様の第22または第23の可能な実装方式に関して、第25の可能な実装方式において、プロセッサは、
競合解決メッセージのリソースもしくはリソースインデックスとプリアンブル情報との間の対応関係に従って、競合解決メッセージを受信するためのリソースを決定すること、または
競合解決メッセージのリソースもしくはリソースインデックスとプリアンブル情報との間の対応関係およびセル共通パラメータに従って、競合解決メッセージを受信するためのリソースを決定すること、または
競合解決メッセージのリソースもしくはリソースインデックスとRARリソース情報との間の対応関係に従って、競合解決メッセージを受信するためのリソースを決定すること、または
競合解決メッセージのリソースもしくはリソースインデックスとRARリソース情報との間の対応関係およびセル共通パラメータに従って、競合解決メッセージを受信するためのリソースを決定すること、または
競合解決メッセージのリソースもしくはリソースインデックスと指定されたパラメータとの間の対応関係に従って、競合解決メッセージを受信するためのリソースを決定すること、または
競合解決メッセージのリソースもしくはリソースインデックスと指定されたパラメータとの間の対応関係およびセル共通パラメータに従って、競合解決メッセージを受信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０１９２】
第6の態様の第22の可能な実装方式に関して、第26の可能な実装方式において、競合解決メッセージを伝送する際に占有される時間リソースの開始時刻とRAR応答メッセージを伝送する際に占有される時間リソースの開始時刻との間にプリセットされたタイミング関係もしくはプリセットされた時間オフセットが存在するか、または競合解決メッセージを伝送する際に占有される時間リソースの終了時刻とRAR応答メッセージを伝送する際に占有される時間リソースの終了時刻との間にプリセットされたタイミング関係もしくはプリセットされた時間オフセットが存在する。
【０１９３】
第6の態様に関して、第27の可能な実装方式において、インターフェースは、
再送RAR応答メッセージを基地局に送信し、および/または
基地局によって再送された競合解決メッセージを受信するようにさらに構成される。
【０１９４】
第6の態様の第27の可能な実装方式に関して、第28の可能な実装方式において、
RAR応答メッセージを再送する際に占有される時間リソースおよび周波数リソースのサイズ、ならびに/またはRAR応答メッセージを再送する際に占有される時間リソースおよび周波数リソースの開始配置もしくは配置、ならびに/またはシステム内の特定の2つのRAR応答メッセージを再送する際に占有される時間リソースの間の間隔および/または周波数リソースの間の間隔、ならびに/またはRAR応答メッセージを再送する際に占有される時間リソースおよび周波数リソースの量は、シグナリングを使用することによって構成されるか、またはシステムによってプリセットされ、
競合解決メッセージを再送する際に占有される時間リソースおよび周波数リソースのサイズ、ならびに/または競合解決メッセージを再送する際に占有される時間リソースおよび周波数リソースの開始配置もしくは配置、ならびに/またはシステム内の特定の2つの競合解決メッセージを再送する際に占有される時間リソースの間の間隔および/または周波数リソースの間の間隔、ならびに/または競合解決メッセージを再送する際に占有される時間リソースおよび周波数リソースの量は、シグナリングを使用することによって構成されるか、またはシステムによってプリセットされる。
【０１９５】
第6の態様の第27の可能な実装方式に関して、第29の可能な実装方式において、プロセッサは、
再送RAR応答メッセージのリソースもしくはリソースインデックスとプリアンブル情報との間の対応関係およびプリセットされた時間オフセットに従って、再送RAR応答情報を送信するためのリソースを決定すること、または
再送RAR応答メッセージのリソースもしくはリソースインデックスとプリアンブル情報との間の対応関係、プリセットされた時間オフセット、およびセル共通パラメータに従って、再送RAR応答メッセージを送信するためのリソースを決定すること、または
再送RAR応答メッセージのリソースもしくはリソースインデックスとRARリソース情報との間の対応関係およびプリセットされた時間オフセットに従って、再送RAR応答メッセージを送信するためのリソースを決定すること、または
再送RAR応答メッセージのリソースもしくはリソースインデックスとRARリソース情報との間の対応関係、プリセットされた時間オフセット、およびセル共通パラメータに従って、再送RAR応答メッセージを送信するためのリソースを決定すること、または
再送RAR応答メッセージのリソースもしくはリソースインデックスと指定されたパラメータとの間の対応関係およびプリセットされた時間オフセットに従って、再送RAR応答メッセージを送信するためのリソースを決定すること、または
再送RAR応答メッセージのリソースもしくはリソースインデックスと指定されたパラメータとの間の対応関係、プリセットされた時間オフセット、およびセル共通パラメータに従って、再送RAR応答メッセージを送信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、RAR応答を送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０１９６】
第6の態様の第27の可能な実装方式に関して、第30の可能な実装方式において、プロセッサは、
再送競合解決メッセージのリソースもしくはリソースインデックスとプリアンブル情報との間の対応関係およびプリセットされた時間オフセットに従って、再送競合解決メッセージを受信するためのリソースを決定すること、または
再送競合解決メッセージのリソースもしくはリソースインデックスとプリアンブル情報との間の対応関係、プリセットされた時間オフセット、およびセル共通パラメータに従って、再送競合解決メッセージを受信するためのリソースを決定すること、または
再送競合解決メッセージのリソースもしくはリソースインデックスとRARリソース情報との間の対応関係およびプリセットされた時間オフセットに従って、再送競合解決メッセージを受信するためのリソースを決定すること、または
再送競合解決メッセージのリソースもしくはリソースインデックスとRARリソース情報との間の対応関係、プリセットされた時間オフセット、およびセル共通パラメータに従って、再送競合解決メッセージを受信するためのリソースを決定すること、または
再送競合解決メッセージのリソースもしくはリソースインデックスと指定されたパラメータとの間の対応関係およびプリセットされた時間オフセットに従って、再送競合解決メッセージを受信するためのリソースを決定すること、または
再送競合解決メッセージのリソースもしくはリソースインデックスと指定されたパラメータとの間の対応関係、プリセットされた時間オフセット、およびセル共通パラメータに従って、再送競合解決メッセージを受信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、再送競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０１９７】
第6の態様の第27から第30の可能な実装方式のうちのいずれか1つに関して、第31の可能な実装方式において、RAR応答メッセージに使用されるリソースは、RAR応答メッセージの伝送の回数に対応し、RAR応答メッセージの伝送の異なる回数で使用されるリソースは、時間、および/または周波数、および/またはコードワードに関して直交しており、
競合解決メッセージに使用されるリソースは、競合解決メッセージの伝送の回数に対応し、競合解決メッセージの伝送の異なる回数で使用されるリソースは、時間、および/または周波数、および/またはコードワードに関して直交しており、
第1のメッセージの伝送は、事前定義された第1のメッセージ構成を使用することによって実行され、第1の情報は、RARメッセージ、またはRAR応答メッセージ、または競合解決メッセージ、または再送RAR応答メッセージ、または再送競合解決メッセージであり、第1のメッセージ構成は、変調符号化方式、伝送ブロックのサイズ、電力設定のうちの1つまたは複数を含む。
【０１９８】
本発明の実施形態で実現される、ランダムアクセスにおいてリソースを事前決定するための方法、ユーザ機器、および基地局を用いて、ランダムアクセスプリアンブルインデックスの識別子を指示するための暗黙の方式が使用され、ランダムアクセスプリアンブルインデックスの識別子のビットの量が低減され、これにより、RARメッセージが簡素化され得るか、または、指定されたパラメータに従ってランダムアクセスプリアンブルが設定されるものとしてよく、次いで、対応するランダムアクセスプリアンブルインデックスの識別子のビットの量が設定されたランダムアクセスプリアンブルに従って設定されるか、または、RARメッセージが一時識別子を指示するためのビットもしくはフィールドを含まないようにされ得るか、または、RARメッセージがアップリンクスケジューリング/グラント情報を含まないようにされ得るか、または、タイミングアドバンスコマンドが事前定義されるものとしてよく、事前定義されたタイミングアドバンスコマンドの調整精度は、指定された調整精度よりも大きく、ランダムアクセスの手順におけるメッセージは、簡素化され、それと同時に、RAR応答メッセージを伝送し、競合解決メッセージを伝送し、RAR応答メッセージを再送し、競合解決メッセージを再送するために使用されるリソースは、プリセットされ、それにより、スケジューリングを通じてリソースを割り振る必要がなくなり、それによって、ランダムアクセスのプロセスを簡素化し、ランダムアクセスのプロセスにおける情報伝送の信頼性を改善する。
【０１９９】
本発明の実施形態または従来技術における技術的解決方法をより明確に説明するために、次に、実施形態または従来技術を説明するために必要な添付図面について簡単に説明する。明らかに、以下の説明の添付図面は、本発明のいくつかの実施形態を示しているにすぎず、当業者であれば、創造的労力を費やすことなくこれらの添付図面からなおも他の図面を導き出すことができる。
【図面の簡単な説明】
【０２００】
【図１】本発明の一実施形態によりランダムアクセスにおいてリソースを事前決定するための方法の概略流れ図である。
【図２】本発明の一実施形態によりランダムアクセスにおいてリソースを事前決定するための方法の概略流れ図である。
【図３】本発明の一実施形態によりランダムアクセスにおいてリソースを事前決定するための方法の概略流れ図である。
【図４】本発明の一実施形態によりランダムアクセスにおいてリソースを事前決定するための方法の概略流れ図である。
【図５】本発明の一実施形態によりランダムアクセスにおいてリソースを事前決定するための方法の概略流れ図である。
【図６】本発明の一実施形態による基地局の概略構造図である。
【図７】本発明の一実施形態による基地局の概略構造図である。
【図８】本発明の一実施形態によるユーザ機器の概略構造図である。
【図９】本発明の一実施形態による別の基地局の概略構造図である。
【図１０】本発明の一実施形態による別のユーザ機器の概略構造図である。
【発明を実施するための形態】
【０２０１】
以下では、本発明の実施形態の添付図面を参照しつつ本発明の実施形態の技術的解決方法について明確に、かつ完全に説明する。明らかに、説明されている実施形態は、本発明の実施形態のすべてではなくむしろ一部にすぎない。創造的労力を費やすことなく本発明の実施形態に基づいて当業者が得る他のすべての実施形態は、本発明の保護の範囲内に収まるものとする。
【０２０２】
本発明の実施形態において提供されるランダムアクセスのプロセスにおいてリソースを事前決定するための方法は、マシンタイプ通信のシナリオに適用可能であり、たとえば、LTEシステムのランダムアクセスの手順に適用可能である。LTEシステムは、UEおよび基地局を備えるものとしてよく、基地局は、eNB(evolved Node B、発展型ノードB)であってよい。次の実施形態において、LTEシステムは、本発明の実施形態で提供されるランダムアクセスのプロセスにおいてリソースを事前決定するための方法を詳細に説明する例として使用される。説明を簡単にするために、以下の実施形態では、ユーザ機器は、UEと略称され、ランダムアクセス応答は、RARと略称される。
【０２０３】
本発明の実施形態において、ユーザ機器は端末(Terminal)、移動局(Mobile Station、MS)、モバイル端末(Mobile Terminal)、および同様のものであってよいことに留意されたい。ユーザ機器は、無線アクセスネットワーク(Radio Access Network、RAN)を使用することによって1つまたは複数のコアネットワークと通信し得る。たとえば、ユーザ機器は、携帯電話(もしくは「セルラー」フォンと称される)、またはモバイル端末を備えるコンピュータであってよく、たとえば、ユーザ機器は、携帯型、ポケットサイズ、ハンドヘルド、コンピュータ内蔵、または車載のモバイル装置であってよい。
【０２０４】
本発明の一実施形態は、ランダムアクセスのプロセスにおいてリソースの事前決定するための方法を提供する。図1に示されているように、この方法は、以下のステップを含む。
【０２０５】
101: 基地局は、UEによって送信されたランダムアクセスプリアンブルを受信し、受信されたランダムアクセスプリアンブルに従ってプリアンブル情報を決定する。
【０２０６】
プリアンブル情報は、ランダムアクセスプリアンブル、ランダムアクセスプリアンブルインデックス、ランダムアクセスプリアンブルを伝送するために使用される時間リソースのインデックス、ランダムアクセスプリアンブルを伝送するために使用される周波数リソースのインデックス、ランダムアクセスプリアンブルを伝送するために使用される時間リソースにおける開始時間リソース、およびランダムアクセスプリアンブルを伝送するために使用される開始周波数リソースのうちの1つまたは複数を含む。
【０２０７】
102: 基地局は、プリアンブル情報とランダムアクセス応答RARリソース情報との間の対応関係に従ってランダムアクセスプリアンブルに対応するRARリソースを決定する。
【０２０８】
RARリソース情報は、RARリソース、RARリソースインデックス、RARメッセージを伝送するために使用される時間リソースのインデックス、RARメッセージを伝送するために使用される周波数リソースのインデックス、RARメッセージを伝送するために使用される時間リソースにおける開始時間リソース、およびRARメッセージを伝送するために使用される開始周波数リソースのうちの1つまたは複数を含み、ならびにプリアンブル情報とRARリソース情報との間の対応関係は、シグナリングを使用することによって構成されるか、またはシステムによってプリセットされる。
【０２０９】
103: 基地局は、ランダムアクセスプリアンブルに対応するRARリソース上でランダムアクセスプリアンブルに対応するRARメッセージをUEに送信する。
【０２１０】
前述の方法は、基地局側に基づく方法である。実装例では、ランダムアクセスのプロセスにおいてリソースを事前決定するための方法をさらに提供し、この方法は、UE側に基づく。図2に示されているように、この方法は、以下のステップを含む。
【０２１１】
201: UEは、ランダムアクセスプリアンブルを決定し、決定された第1のランダムアクセスプリアンブルを基地局に送信する。
【０２１２】
202: UEは、第1のランダムアクセスプリアンブルに従ってプリアンブル情報を決定する。
【０２１３】
プリアンブル情報は、ランダムアクセスプリアンブル、ランダムアクセスプリアンブルインデックス、ランダムアクセスプリアンブルを伝送するために使用される時間リソースのインデックス、ランダムアクセスプリアンブルを伝送するために使用される周波数リソースのインデックス、ランダムアクセスプリアンブルを伝送するために使用される時間リソースにおける開始時間リソース、およびランダムアクセスプリアンブルを伝送するために使用される開始周波数リソースのうちの1つまたは複数を含む。
【０２１４】
203: UEは、プリアンブル情報とランダムアクセス応答RARリソース情報との間の対応関係に従って第1のランダムアクセスプリアンブルに対応するRARリソースを決定する。
【０２１５】
RARリソース情報は、RARリソース、RARリソースインデックス、RARメッセージを伝送するために使用される時間リソースのインデックス、RARメッセージを伝送するために使用される周波数リソースのインデックス、RARメッセージを伝送するために使用される時間リソースにおける開始時間リソース、およびRARメッセージを伝送するために使用される開始周波数リソースのうちの1つまたは複数を含み、ならびにプリアンブル情報とRARリソース情報との間の対応関係は、シグナリングを使用することによって構成されるか、またはシステムによってプリセットされる。
【０２１６】
本発明のこの実施形態では、リソースがシグナリングを使用することによって構成されるということは、リソースが基地局によって構成されることを意味することに留意されたい。リソースを構成した後、基地局は、シグナリングメッセージをユーザ機器に送信することによって、構成されたリソースをユーザ機器に通知する。リソースがシステムによってプリセットされることは、リソースがシステムによってプリセットされ、プリセットされたリソースがプロトコルの形で基地局およびユーザ機器に保存され得ることを意味する。したがって、プリセットされたリソースは、基地局とユーザ機器の両方に知られ、本発明のこの実施形態におけるリソースは、RARリソース、および基地局とユーザ機器との間でメッセージを伝送するために使用されるリソースを含む。
【０２１７】
204: UEは、第1のランダムアクセスプリアンブルに対応するRARリソース上で、基地局によって送信された媒体アクセス制御MACパケットデータユニットPDUを受信し、MAC PDUが第1のランダムアクセスプリアンブルに対応するRARメッセージを含むかどうかを決定する。
【０２１８】
本発明において言及されている「第1のランダムアクセスプリアンブル」における「第1」は、特定のランダムアクセスプリアンブルを意味せず、またランダムアクセスプリアンブルの順序も意味せず、UEによって送信されたランダムアクセスプリアンブルを別のランダムアクセスプリアンブルと都合よく区別するためにのみ使用される。
【０２１９】
本発明のこの実施形態で提供されるランダムアクセスにおいてリソースを事前決定するための方法を用いて、ランダムアクセスプリアンブルインデックスの識別子を指示するための暗黙の方式が使用され、ランダムアクセスプリアンブルインデックスの識別子のビットの量が低減され、したがって、RARメッセージが簡素化されるものとしてよく、それによって、ランダムアクセスのプロセスの簡素化を実装し、ランダムアクセスのプロセスにおける情報伝送の信頼性を改善する。
【０２２０】
当業者が本発明の実施形態において提供される技術的解決方法をより明確に理解できるようにするために、以下の特定の実施形態を用いて、本発明の一実施形態で提供されるランダムアクセスにおいてリソースを事前決定するための方法が詳しく説明される。図3に示されているように、この方法は、以下のステップを含む。
【０２２１】
301: UEは、ランダムアクセスプリアンブルを基地局に送信する。
【０２２２】
たとえば、基地局へのランダムアクセスプロセスを開始するときに、UEは、ランダムアクセスプリアンブルを基地局に送信する。たとえば、ランダムアクセスプロセスは、競合ベースのランダムアクセスであってよい。
【０２２３】
302: 基地局は、UEによって送信されたランダムアクセスプリアンブルを受信し、受信されたランダムアクセスプリアンブルに従ってプリアンブル情報を決定する。
【０２２４】
プリアンブル情報は、ランダムアクセスプリアンブル、ランダムアクセスプリアンブルインデックス、ランダムアクセスプリアンブルを伝送するために使用される時間リソースのインデックス、ランダムアクセスプリアンブルを伝送するために使用される周波数リソースのインデックス、ランダムアクセスプリアンブルを伝送するために使用される時間リソースにおける開始時間リソース、およびランダムアクセスプリアンブルを伝送するために使用される開始周波数リソースのうちの1つまたは複数を含み得る。ランダムアクセスプリアンブルを伝送するために使用される時間リソースにおける開始時間リソースは、ランダムアクセスプリアンブルを伝送するために使用される開始物理リソースブロックであり、ランダムアクセスプリアンブルを伝送するために使用される開始周波数リソースは、ランダムアクセスプリアンブルを伝送するために使用される時間リソースにおける開始無線フレームおよび/またはサブフレームであり得る。
【０２２５】
たとえば、本発明のこの実施形態において、プリアンブル情報はランダムアクセスプリアンブルインデックス(Index)であると仮定される。各ランダムアクセスプリアンブルは、1つのランダムアクセスプリアンブルインデックスに対応しており、インデックスは、ランダムアクセスプリアンブルの連番として理解され得る。したがって、対応するランダムアクセスプリアンブルインデックスは、ランダムアクセスプリアンブルに従って決定され得る。
【０２２６】
303: 基地局は、プリアンブル情報とランダムアクセス応答RARリソース情報との間の対応関係に従ってランダムアクセスプリアンブルに対応するRARリソースを決定する。
【０２２７】
RARリソース情報は、RARリソース、RARリソースインデックス、RARメッセージを伝送するために使用される時間リソースのインデックス、RARメッセージを伝送するために使用される周波数リソースのインデックス、RARメッセージを伝送するために使用される時間リソースにおける開始時間リソース、およびRARメッセージを伝送するために使用される開始周波数リソースのうちの1つまたは複数を含む。プリアンブル情報とRARリソース情報との間の対応関係は、関数関係、表関係、または指定された関係であってよい。
【０２２８】
たとえば、本発明のこの実施形態において、RARリソース情報はRARリソースインデックスであると仮定される。各RARリソースは、1つのRARリソースインデックスに対応しており、インデックスは、RARリソースの連番として理解され得る。したがって、対応するRARリソースインデックスは、RARリソースに従って決定され得る。この場合、プリアンブル情報とRARリソース情報との間の対応関係は、ランダムアクセスプリアンブルインデックスとRARリソースインデックスとの間の対応関係となる(ランダムアクセスプリアンブルインデックスとRARリソースインデックスとの間の対応関係は、これ以降一例として使用されるが、単なる例にすぎず、対応関係に対する制限をなさない)。
【０２２９】
RARリソースは、シグナリングを使用することによって構成されるか、またはシステムによってプリセットされる。シグナリングを使用することによる構成は、RARリソースが基地局によって構成され、構成の後、構成済みRARリソースをユーザ機器に通知するためにシグナリングメッセージが送信されることを意味する。システムによってプリセットされることは、システムによってプリセットされ、RARリソースが基地局およびユーザ機器に知られていることを意味する。前述のシグナリングは、ブロードキャストまたはマルチキャストシグナリングであってよく、RARリソースは、RARメッセージを伝送する際に占有される時間リソースの配置および/もしくは周波数リソースの配置、ならびに/または、RARメッセージを伝送する際に占有される時間リソースの開始配置および/もしくは周波数リソースの開始配置、ならびに/または、RARメッセージを伝送する際に占有される時間リソースのサイズおよび/もしくは周波数リソースのサイズ、ならびに/または、異なるRARを伝送する際に占有される時間リソース間の時間間隔および/もしくは周波数間隔、ならびに/または、1つの事前指定された時間範囲に含まれ、RARメッセージを伝送する際に占有される時間リソースの量、および1つの事前指定された周波数範囲に含まれ、RARメッセージを伝送する際に占有される周波数リソースの量を特に含み得る。
【０２３０】
プリアンブル情報とRARリソース情報との間の対応関係も、シグナリングを使用することによって構成されるか、またはシステムによってプリセットされるものとしてよく、プリセットされたRARリソースのうちの各RARリソースは、1つまたは複数のランダムアクセスプリアンブルに対応する。特定の構成方法は、RARリソースを構成するための方法と同じであり、詳細についてこれ以上説明しない。シグナリングは、ブロードキャストまたはマルチキャストシグナリングであってもよく、たとえば、ブロードキャストまたはマルチキャストシグナリングは、マスターシステム情報ブロック(Master Information Block、MIB)、またはシステム情報ブロック(System Information Block、SIB)、またはRRCシグナリングであってよい。
【０２３１】
たとえば、N個のRARリソースが、シグナリングを使用することによって構成されるか、またはシステムによってプリセットされ、N個のRARリソースが、N個のランダムアクセスプリアンブルに対応する(Nは1よりも大きい正整数である)場合に、各ランダムアクセスプリアンブルインデックスは、1つのRARリソースインデックスに対応し、異なるランダムアクセスプリアンブルインデックスに対応するRARリソースインデックスは、異なる。
【０２３２】
この場合、RARリソースインデックスとランダムアクセスプリアンブルインデックスとの間に一対一対応関係が存在するので、UEによって送信されたランダムアクセスプリアンブルが受信された後、ランダムアクセスプリアンブルに対応するRARリソースは、直接決定され得る。この場合、ランダムアクセスプリアンブルとRARリソースとの間にプリセットされた一対一対応関係が存在するので、決定されたRARリソース上で基地局によって伝送される媒体アクセス制御パッケージデータユニット(MAC PDU)に含まれるRARメッセージは、ランダムアクセスプリアンブルまたはランダムアクセスプリアンブルインデックスを指示するための識別子(Random Access Preamble Identifier、RAPID)を含まない。このようにして、ランダムアクセスプリアンブルとRARリソースとの間の関係は、暗黙のうちに指示され、それによって、RARメッセージを簡素化する。
【０２３３】
N個のRARリソースが、シグナリングを使用することによって構成されるか、またはシステムによってプリセットされ、N個のRARリソースが、M個のランダムアクセスプリアンブルに対応する(NおよびMは1よりも大きい正整数であり、M>N)場合に、各RARリソースインデックスは、少なくとも1つのランダムアクセスプリアンブルインデックスに対応し、複数のランダムアクセスプリアンブルインデックスに対応する少なくとも1つのRARリソースインデックスがある。この場合、RARメッセージに含まれるRAPIDのビットの量は、次の方式で決定され得る。
【０２３４】
1つのRARリソースが、複数のランダムアクセスプリアンブルに対応する場合、RARリソース上で伝送されるMAC PDUに含まれるRARメッセージに含まれるRAPIDの長さは、kビットに等しく、k=ceil(log2(RARリソースに対応するランダムアクセスプリアンブルの量))であり、ここにおいて、ceilは切り上げの関数を表し、logは対数関数を表す。
【０２３５】
代替的に、各RARリソース上で伝送されるMAC PDUに含まれるRARメッセージに含まれるRAPIDの長さは、hビット以下であり、h=ceil(log2(max(第1のRARリソースに対応するランダムアクセスプリアンブルの量、第2のRARリソースに対応するランダムアクセスプリアンブルの量、...、第NのRARリソースに対応するランダムアクセスプリアンブルの量)))であり、ここにおいて、ceilは切り上げの関数を表し、logは対数関数を表し、maxは最大値関数を表し、Nは1よりも大きい正整数である。
【０２３６】
この場合、プリアンブル情報とRARリソース情報との間の対応関係は、
RARリソースインデックス=ランダムアクセスプリアンブルインデックスmodシグナリングを使用することによって構成されるか、またはシステムによってプリセットされたRARリソースの量、ここにおいてmodはモジュロ演算を表す、という関数関係になるように設定され得る。
【０２３７】
たとえば、64個のランダムアクセスプリアンブル(64個のランダムアクセスプリアンブルのインデックスは、0から63である)が構成され、それに対応して4つのRARリソース(4つのRARリソースのインデックスは、0から3である)が64個のランダムアクセスプリアンブルに対して構成されると仮定される。
【０２３８】
プリアンブル情報とRARリソース情報との間の前述の対応関係は、
RARリソースインデックス=ランダムアクセスプリアンブルインデックスmod 4、
と書くことができ、
前述の関数関係に従って、計算を通じて、
プリアンブルインデックスが0、4、8、12、16、20、24、28、32、36、40、44、48、52、56、および60であるプリアンブルは、第1のRARリソースに対応する(すなわち、インデックスが0であるRARリソースに対応する)こと、
プリアンブルインデックスが1、5、9、13、17、21、25、29、33、37、41、45、49、53、57、および61であるプリアンブルは、第2のRARリソースに対応する(すなわち、インデックスが1であるRARリソースに対応する)こと、
プリアンブルインデックスが2、6、10、14、18、22、26、30、34、38、42、46、50、54、58、および62であるプリアンブルは、第3のRARリソースに対応する(すなわち、インデックスが2であるRARリソースに対応する)こと、および
プリアンブルインデックスが3、7、11、15、19、23、27、31、35、39、43、47、51、55、59、および63であるプリアンブルは、第4のRARリソースに対応する(すなわち、インデックスが3であるRARリソースに対応する)こと、が得られるものとしてよい。
【０２３９】
UEによって送信され、基地局によって受信されるランダムアクセスプリアンブルのランダムアクセスプリアンブルインデックスが9であると仮定され、前述の関係に従って、RARをUEに送信するためのリソースが、インデックスが1であるRARリソースであると決定され得る。このようにして64個のランダムアクセスプリアンブルインデックスは、4つのグループに分けられ、各グループは、16個のランダムアクセスプリアンブルインデックスを有する。このようにして、決定されたRARリソース上でRARメッセージを受信した後、UEは、RARを伝送するリソースのインデックス番号に従って、RARリソースが16個のプリアンブルに対応すると決定し得る。この場合、RARメッセージに含まれるRAPIDは、RARメッセージに対応するランダムアクセスプリアンブルを指示するために4bitのみを必要とする。UEによって受信されたRARメッセージに対応するランダムアクセスプリアンブルを指示するために64個のランダムアクセスプリアンブルに対して6bitのRAPIDが要求される従来技術と比較して、この方法は、RARメッセージを簡素化する。
【０２４０】
確かに、プリセットされたRARリソースの異なるRARリソースに対応するランダムアクセスプリアンブルは、同じであるか、または部分的に同じであるか、または完全に異なり得る。61個のランダムアクセスプリアンブル(61個のランダムアクセスプリアンブルのインデックスは、0から60である)が構成され、それに対応して4つのRARリソースが61個のランダムアクセスプリアンブルに対して構成される場合がある。この場合、61個のランダムアクセスプリアンブルをグループに分けることによって得られる4つのグループのうちの1つは、16個のランダムアクセスプリアンブルのみを有する、すなわち、インデックスが0であるRARリソースは、16個のランダムアクセスプリアンブルに対応し、インデックスが1から3であるRARリソースの各々は、15個のランダムアクセスプリアンブルに対応する。h=ceil(log2(max(第1のRARリソースに対応するランダムアクセスプリアンブルの量、第2のRARリソースに対応するランダムアクセスプリアンブルの量、...、第NのRARリソースに対応するランダムアクセスプリアンブルの量)))に従って、この場合、RARメッセージに対応するランダムアクセスプリアンブルを指示するために4bitも必要になる。
【０２４１】
代替的に、別の実装方式において、N個のRARリソースのM個のランダムアクセスプリアンブルが、シグナリングを使用することによって構成されるか、またはシステムによってプリセットされ、N<M、およびN=2kである。この場合、RAPIDのインデックスは、sビットによって指示され、sビットのうちのkビットは、RAPIDに対応するRARリソースインデックスに対応するkビットに従って決定され、sビットのうちの残りの(s-k)ビットは、RAPIDを使用することによって決定される。
【０２４２】
たとえば、64個のランダムアクセスプリアンブル(64個のランダムアクセスプリアンブルのインデックスは、0から63である)が構成され、それに対応して4つのRARリソースが64個のランダムアクセスプリアンブルに対して構成されるとなおも仮定される。前述のsビットは6ビットであり、2ビット(上位2ビットまたは下位2ビット)は、RARリソースに対応するビットの量に従って決定されるものとしてよく、ここにおいて、RARリソースに対応するビットの量はプリセットされ、たとえば、Table 1(表1)に示されているものとしてよい。
【０２４３】
【表１】
0006449954.tif 000002
【０２４４】
64個のランダムアクセスプリアンブルの指示において、RAPIDを指示するために元々6bitが必要である。しかしながら、2ビットは、RARリソースによってすでに暗黙のうちに決定されているので、この場合、RARメッセージに含まれるRAPIDを指示するために4bitのみが必要である。
【０２４５】
前述の方法によれば、RARメッセージは、RAPIDを送信すること、またはRAPIDのビットの量を減らすことなく簡素化され得ることがわかる。
【０２４６】
304: 基地局は、決定されたRARリソース上でMAC PDUをUEに送信し、MAC PDUは、RARメッセージを含む。
【０２４７】
たとえば、N個のRARリソースが、シグナリングを使用することによって構成されるか、またはシステムによってプリセットされ、N個のRARリソースがN個のランダムアクセスプリアンブルに対応している場合、RARメッセージは、RAPIDを含まない。
【０２４８】
N個のRARリソースが、シグナリングを使用することによって構成されるか、またはシステムによってプリセットされ、N個のRARリソースが、M個のランダムアクセスプリアンブルに対応している(NおよびMが1よりも大きい正整数であり、M>Nである)場合、RARメッセージは、RAPIDを含む(簡素化されたRAPID、および簡素化されたプロセスが303で示されている)。
【０２４９】
305: UEは、基地局によって送信されたMAC PDUを受信し、MAC PDUがUEのRARメッセージを含むかどうかを決定する。MAC PDUは、1つまたは複数のRARメッセージを含む。
【０２５０】
たとえば、N個のRARリソースが、シグナリングを使用することによって構成されるか、またはシステムによってプリセットされ、N個のRARリソースがN個のランダムアクセスプリアンブルに対応している場合、UEによって受信されたRARメッセージは、RAPIDを含まない。この場合、ランダムアクセスプリアンブルインデックスとRARリソースインデックスとの間の対応関係は、一対一対応であるので、対応するランダムアクセスプリアンブルは、RARメッセージを受信するためのRARリソースに従って決定されるものとしてよく、UEは、次いで、ランダムアクセスプリアンブルがステップ301で基地局に送信されたランダムアクセスプリアンブルと同じであるかどうかを決定する。ランダムアクセスプリアンブルが、ステップ301で基地局に送信されたランダムアクセスプリアンブルと同じである場合、UEは、RARメッセージがUEのRARメッセージであると決定し得る。
【０２５１】
代替的に、N個のRARリソースが、シグナリングを使用することによって構成されるか、またはシステムによってプリセットされ、N個のRARリソースが、M個のランダムアクセスプリアンブルに対応する(NおよびMが1よりも大きい正整数であり、M>Nである)場合に、UEによって受信されたRARメッセージは、RAPIDを含む。N個のRARリソースの設定は、3つの次元、すなわち、時間、周波数、およびコードワードのうちの少なくとも1つの次元に関して構成され得る。この場合、UEは、次の方式で、受信されたRARメッセージがUEのRARメッセージであるかどうかを決定し得る。
【０２５２】
一実装方式において、UEは、最初に、RARメッセージを受信するために使用されるRARリソースに従ってRARリソースに対応する少なくとも1つのランダムアクセスプリアンブルを決定し得る。RARリソースが複数のランダムアクセスプリアンブルに対応するときに、RARリソース上で受信されたRARメッセージ内のRAPIDに従って特定のRAPIDがさらに決定される。
【０２５３】
たとえば、64個のランダムアクセスプリアンブル(64個のランダムアクセスプリアンブルのインデックスは、0から63である)が構成され、それに対応して4つのRARリソースが64個のランダムアクセスプリアンブルに対して構成されるとなおも仮定される。
【０２５４】
ステップ301でUEによって基地局に送信されたランダムアクセスプリアンブルのインデックスは、33であると仮定され、またUEによって受信されたRARメッセージに使用されるRARリソースのインデックスは1であり、RARメッセージ内のRAPIDは、1001であると仮定される。UEは、最初に、受信されたRARメッセージに使用されるRARリソースのインデックスが1であることに従って、インデックスが1であるRARリソースに対応するランダムアクセスプリアンブルのインデックスが、1、5、9、13、17、21、25、29、33、37、41、45、49、53、57、61であると決定し、次いで、RAPIDが「1001」であることに従って、RAPIDが、ランダムアクセスプリアンブルのインデックスが、前述の16個のプリアンブルのインデックスのうちの第9のインデックス(ここにおいて、昇順の配置構成は、例として使用されており、この配置構成は、要求条件に従って特に設定され得る)、すなわち、33であることを指示すると決定する。したがって、UEは、受信されたRARメッセージ内のRAPIDによって指示されるランダムアクセスプリアンブルが、基地局に送信されたランダムアクセスプリアンブルと同じであると決定し、それにより、受信されたRARメッセージはUEのRARメッセージであると決定する。
【０２５５】
代替的に、好ましくは、別の実装方式において、UEは、UEによって基地局に送信されたランダムアクセスプリアンブルに従って決定されたRARリソース上で受信されたRARメッセージに含まれる、ランダムアクセスプリアンブルまたはランダムアクセスプリアンブルインデックスを指示するための、識別子の状態が、UEによって基地局に送信されたランダムアクセスプリアンブルに対応するビットのうちのaビットの状態と同じであるかどうかに従って、受信されたRARメッセージがUEのRARメッセージであるかどうかを決定するものとしてよく、aは、ランダムアクセスプリアンブルまたはランダムアクセスプリアンブルインデックスを指示するための識別子のビットの量に等しく、第1のランダムアクセスプリアンブルインデックスに対応するビットのうちのaビットの配置は、事前指定される。
【０２５６】
たとえば、64個のランダムアクセスプリアンブル(64個のランダムアクセスプリアンブルのインデックスは、0から63である)が構成され、それに対応して4つのRARリソースが64個のランダムアクセスプリアンブルに対して構成されるとなおも仮定される、したがって、a=4である。それに加えて、ステップ301でUEによって基地局に送信されたランダムアクセスプリアンブルのインデックスは、24であると仮定され、またUEによって受信されたRARメッセージに使用されるRARリソースのインデックスは0であり、RARメッセージ内のRAPIDは、0110であると仮定される。
【０２５７】
ランダムアクセスプリアンブルは64個あるので、実際には、1つのランダムアクセスプリアンブルは6ビット(bit)を必要とすると決定されるが、しかしながら、RARリソース(またはRARリソースインデックス)とランダムアクセスプリアンブル(またはプリアンブルインデックス)との間にプリセットされた対応関係が存在するので、6bit中の2bitは、RARリソース(またはRARリソースインデックス)に対応するビットを使用することによって暗黙のうちに決定されている。前述の2bitは、ランダムアクセスプリアンブルの下位2bitである(または上位2bitであってもよい)と仮定される。UEは、基地局に以前に送信されているランダムアクセスプリアンブルに従って決定されたRARリソース上でRARメッセージを受信するので、UEによって基地局に送信されたランダムアクセスプリアンブルに対応するビットのうちの下位2bitは、受信されたRARメッセージが配置されるRARリソースで指示されるランダムアクセスプリアンブルに対応するビットのうちの下位2bitと同じであるべきである。したがって、RARメッセージが受信された後、UEは、RAPIDを指示するための4bitと、基地局に送信される、インデックスが24である、ランダムアクセスプリアンブルに対応するビットのうちの上位4bitとの間のビット比較を実行することのみを必要とする。ビット比較の結果が同じである場合、受信されたRARメッセージがUEのRARメッセージであると決定される。そうでない場合、受信されたRARメッセージがUEのRARメッセージでないと決定される。インデックスが24であるランダムアクセスプリアンブルに対応するビットは、011000であるので、上位4ビット0110は、RAPIDを指示するためのビットと同じであることが学習され得、また受信されたRARメッセージは、UEのRARメッセージであることが知られ得る。
【０２５８】
代替的に、別の実装方式において、RAPIDがsビットによって指示される場合、sビットのうちの下位kビットは、RARリソースインデックスに対応するkビットに従って決定されることが仮定される。ステップ301でUEによって基地局に送信されたランダムアクセスプリアンブルのインデックスは、24であると仮定され、またUEによって受信されたRARメッセージに使用されるRARリソースのインデックスは0であり、RARメッセージ内のRAPIDは、0110であると仮定される。UEは、最初に、RARメッセージを受信するために使用されるRARリソースのインデックスが0であることに従ってRARメッセージ内のRAPIDの下位2ビットが00であると決定し、00および0110を組み合わせて011000を求め、それにより、011000が24を示すことが知られ得る。したがって、UEは、RARメッセージ内の受信されたRAPIDによって指示されるランダムアクセスプリアンブルが、基地局に送信されたランダムアクセスプリアンブルと同じであると決定し、それにより、受信されたRARメッセージはUEのRARメッセージであると決定する。
【０２５９】
プリアンブル情報とRARリソース情報との間の対応関係は、1つまたは複数のセル共通パラメータをさらに含むものとしてよく、またセル共通パラメータは、セル識別情報、サブフレーム番号、フレーム番号、タイムスロット番号、もしくは直交周波数分割多重シンボルインデックスを含むことに留意されたい。
【０２６０】
結論として、前述の方法において、プリアンブル情報とRARリソース情報との間の対応関係は、事前定義され、それにより、いくつかの、またはすべてのRAPIDは、ランダムアクセスプリアンブルの量およびRARリソースの量に従って暗黙のうちに指示されるものとしてよく、それによって、RARメッセージを簡素化する。
【０２６１】
別の実装方式において、RARメッセージ内のRAPIDは、
指定されたパラメータとランダムアクセスプリアンブルとの間の対応関係に従って、指定されたパラメータに対応するランダムアクセスプリアンブルを決定するステップ、および指定されたパラメータに対応するランダムアクセスプリアンブルに従って、MAC PDUに含まれるRARメッセージにおいて、ランダムアクセスプリアンブルまたはランダムアクセスプリアンブルインデックスを指示するための、識別子のビットの量を決定するステップでさらに簡素化され得る。
【０２６２】
指定されたパラメータとランダムアクセスプリアンブルとの間の対応関係は、シグナリングを使用することによって構成されるか、またはシステムによってプリセットされ、ランダムアクセスプリアンブル、およびランダムアクセスプリアンブルまたはランダムアクセスプリアンブルインデックスを指示するための識別子のビットの量は、シグナリングを使用することによって構成されるか、またはシステムによってプリセットされる。
【０２６３】
前述の指定されたパラメータは、経路損失値もしくは範囲、基準信号受信電力値もしくは範囲、基準信号受信品質値もしくは範囲、チャネル品質情報値もしくは範囲、UEのサービスタイプ、ユーザ機器の節電タイプ、UEの遅延タイプ、またはUEの移動性タイプを含む。
【０２６４】
特に、経路損失範囲は、一例として使用され、3つの経路損失範囲が、プリセットされ得る。各経路損失範囲は、異なるランダムアクセスプリアンブルに対応する。たとえば、経路損失範囲1に対応する利用可能なランダムアクセスプリアンブルの量は、64であり、6ビットは、RAPIDを指示するために使用されるものとしてよく、経路損失範囲2に対応する利用可能なランダムアクセスプリアンブルの量は、32であり、5ビットは、RAPIDを指示するために使用されるものとしてよく、経路損失範囲3に対応する利用可能なランダムアクセスプリアンブルの量は、16であり、4ビットは、RAPIDを指示するために使用されるものとしてよい。RAPIDを指示するために固定された6ビットが使用される従来技術と比較して、前述の方法では、経路損失範囲に従って柔軟な調整が実行され得る。利用可能なランダムアクセスプリアンブルの量が、比較的小さいときには、RAPIDのビットの量は低減され、それによって、RARメッセージを簡素化する。
【０２６５】
適宜、RARメッセージは、一時セル無線ネットワーク一時識別子(Temporary Cell Radio Network Temporary Identifier、TC-RNTI)を運び得ない。TC-RNTIの効果は、RAR応答メッセージおよび競合解決メッセージを伝送することであるので、RARメッセージは、TC-RNTIを含み得ない。
【０２６６】
適宜、RARメッセージは、アップリンクスケジューリング/グラント情報(UL grant)を含み得ない。UL grantの効果は、RAR応答メッセージを伝送することであるので、RARメッセージは、UL grantを含み得ない。
【０２６７】
適宜、タイミングアドバンスコマンド(Timing advance Command、TAC)が事前定義されるものとしてよく、事前定義されたTACの調整精度は、指定された調整精度よりも大きい。すなわち、TACの調整精度は、再定義される。既存のシステムにおいて、アドバンス時間=TA*16、TA=0、1、2、...、1282であり、したがって、調整範囲は0から1282*16、時間では0から1282*16Tsとすることができ、Tsは時間単位であり、ここでは制限されない。この場合、TAの値を指示するために、11bitが必要である。また、0から1282*16Tsの範囲内では、調整精度が24Tsに高められ、TA=0、1、2、...、855である場合、10bitで、TAの値を指示することができ、TACは簡素化され、それによって、RARメッセージを簡素化する。
【０２６８】
それに加えて、RARメッセージを伝送する際に占有される時間リソースの開始時刻とUEによってランダムアクセスプリアンブルを伝送する際に占有される時間リソースの開始時刻との間にプリセットされたタイミング関係もしくはプリセットされた時間オフセットが存在するか、またはRARメッセージを伝送する際に占有される時間リソースの終了時刻とUEによってランダムアクセスプリアンブルを伝送する際に占有される時間リソースの終了時刻との間にプリセットされたタイミング関係もしくはプリセットされた時間オフセットが存在することに留意されたい。すなわち、UEがランダムアクセスプリアンブルを基地局に送信した後、UEは、RARメッセージをいつ受信するかを知り、基地局は、ランダムアクセスプリアンブルをいつ受信するかを知り、ランダムアクセスプリアンブルを受信した後にRARメッセージいつ受信するかを知る。
【０２６９】
前述の方法は、RARメッセージを簡素化する方法であり、それに加えて、RAR応答メッセージおよび競合解決メッセージは、さらに簡素化され得る。図4に示されているように、この方法は、以下のステップをさらに含む。
【０２７０】
306: UEは、RAR応答メッセージを基地局に送信する。
【０２７１】
特に、受信されたRARメッセージがUEのものであると決定した後、UEは、RAR応答メッセージを基地局に送信し、RAR応答メッセージは、無線リソース制御RRC接続要求を含む。
【０２７２】
RRC接続要求は、ユーザ識別情報を指示するためのビットまたはフィールドを含み、ユーザ識別情報は、ランダムアクセスの競合衝突解決においてユーザ機器を区別するために使用され、ユーザ識別情報を指示するためのビットまたはフィールドに含まれるビットの量は、第1の指定されたビットの量よりも少ない。第1の指定されたビットの量は、本明細書では、既存のプロトコルにおいてユーザ識別情報を指示するためのビットまたはフィールドに含まれるビットの量を指す。
【０２７３】
たとえば、既存のRRC接続要求は、ユーザ識別情報を指示するためのビットまたはフィールドを含む。たとえば、ue-Identityの長さは、40bitであり、40bitは、240個のUEを指示し得る。しかしながら、実際の環境では、UEは220個しかあり得ず。したがって、ue-Identityの長さは、20bitまで圧縮され、それによって、RAR応答メッセージを簡素化し得る。
【０２７４】
適宜、RAR応答メッセージが簡素化された後、RRC接続要求における確立原因が事前定義されるものとしてよく、したがって、事前定義された確立原因を指示するためのビットの量は、第2の指定されたビットの量よりも多い。第2の指定されたビットの量は、本明細書では、既存のプロトコルにおける確立原因のビットの量である。
【０２７５】
たとえば、既存のRRC接続要求は、RRC接続の確立原因を含む。たとえば、establishmentCauseのビットの量は、3bitであり、establishmentCauseのビットの量は、4bitまで増やされて、それにより、16個のestablishmentCauseのうちの1つ、たとえば、UEの経路損失値もしくは範囲、基準信号受信電力値もしくは範囲、基準信号受信品質値もしくは範囲、チャネル品質情報値もしくは範囲、UEのサービスタイプ、ユーザ機器の節電タイプ、UEの遅延タイプ、UEのカテゴリ、UEのタイプ、UEのカバレッジ拡張レベル、またはUEの移動性タイプを指示し得る。このようにして、RAR応答メッセージは、RAR応答メッセージが簡素化されることに基づき最適化され得る。
【０２７６】
それに加えて、RARメッセージは、UL grantを含まず、すなわち、RAR応答メッセージを伝送するために使用されるリソースのスケジューリング情報を有していないので、RAR応答メッセージを伝送するために使用されるリソースは、シグナリングを使用することによってプリセットされるか、または構成される必要がある。特定の構成方法は次のとおりである。
【０２７７】
最初に、RAR応答メッセージを伝送する際に占有される様々なリソースが、シグナリングを使用することによって構成されるか、またはシステムによってプリセットされる。特定の構成方法は、RARリソースを構成するための方法と同じであり、詳細についてこれ以上説明しない。シグナリングを使用することによって構成されるか、またはプリセットされ、RAR応答メッセージを伝送する際に占有される様々なリソースは、
RAR応答メッセージを伝送する際に占有される時間リソースの配置および/もしくは周波数リソースの配置、ならびに/または、RAR応答メッセージを伝送する際に占有される時間リソースの開始配置および/もしくは周波数リソースの開始配置、ならびに/または、RAR応答メッセージを伝送する際に占有される時間リソースのサイズおよび/もしくは周波数リソースのサイズ、ならびに/または、異なるRAR応答メッセージを伝送する際に占有される時間リソース間の時間間隔および/または異なるRAR応答メッセージを伝送する際に占有される周波数リソース間の周波数間隔、ならびに/または、1つの事前指定された時間範囲に含まれ、RAR応答メッセージを伝送する際に占有される時間リソースの量、および1つの事前指定された周波数範囲に含まれ、RAR応答メッセージを伝送する際に占有される周波数リソースの量を含む。
【０２７８】
次に、RAR応答メッセージを伝送する際に占有される構成済みの様々なリソースにおいて、UEは、この時点でRAR応答メッセージを送信するために占有される特定のリソース(たとえば、リソースのインデックス)を決定し、これは特に、
RAR応答メッセージのリソースもしくはリソースインデックスとプリアンブル情報との間の対応関係に従って、RAR応答メッセージを送信するためのリソースを決定すること、または、RAR応答メッセージのリソースもしくはリソースインデックスとプリアンブル情報との間の対応関係およびセル共通パラメータに従って、RAR応答メッセージを送信するためのリソースを決定すること、または、RAR応答メッセージのリソースもしくはリソースインデックスとRARリソース情報との間の対応関係に従って、RAR応答メッセージを送信するためのリソースを決定すること、または、RAR応答メッセージのリソースもしくはリソースインデックスとRARリソース情報との間の対応関係およびセル共通パラメータに従って、RAR応答メッセージを送信するためのリソースを決定すること、または、RAR応答メッセージのリソースもしくはリソースインデックスと指定されたパラメータとの間の対応関係に従って、RAR応答メッセージを送信するためのリソースを決定すること、または、RAR応答メッセージのリソースもしくはリソースインデックスと指定されたパラメータとの間の対応関係およびセル共通パラメータに従って、RARメッセージを送信するためのリソースを決定することであってよい。
【０２７９】
セル共通パラメータは、セル識別情報、サブフレーム番号、フレーム番号、タイムスロット番号、もしくは直交周波数分割多重シンボルインデックスを含み、指定されたパラメータは、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０２８０】
それに対応して、RAR応答メッセージを受信したときに、基地局も、構成済みの様々なリソースにおいて、この時点でRAR応答メッセージを受信するために占有される特定のリソース(たとえば、リソースのインデックス)を決定する必要があり、これは特に、
RAR応答メッセージのリソースもしくはリソースインデックスとプリアンブル情報との間の対応関係に従って、RAR応答メッセージを受信するためのリソースを決定すること、または、RAR応答メッセージのリソースもしくはリソースインデックスとプリアンブル情報との間の対応関係およびセル共通パラメータに従って、RAR応答メッセージを受信するためのリソースを決定すること、または、RAR応答メッセージのリソースもしくはリソースインデックスとRARリソース情報との間の対応関係に従って、RAR応答メッセージを受信するためのリソースを決定すること、または、RAR応答メッセージのリソースもしくはリソースインデックスとRARリソース情報との間の対応関係およびセル共通パラメータに従って、RAR応答メッセージを受信するためのリソースを決定すること、または、RAR応答メッセージのリソースもしくはリソースインデックスと指定されたパラメータとの間の対応関係に従って、RAR応答メッセージを受信するためのリソースを決定すること、または、RAR応答メッセージのリソースもしくはリソースインデックスと指定されたパラメータとの間の対応関係およびセル共通パラメータに従って、RAR応答メッセージを受信するためのリソースを決定することであってよく、
セル共通パラメータは、セル識別情報、サブフレーム番号、フレーム番号、タイムスロット番号、もしくは直交周波数分割多重シンボルインデックスを含み、指定されたパラメータは、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０２８１】
UEによりRAR応答メッセージを送信するために使用されるリソースは、基地局によりRAR応答メッセージを受信するために使用されるリソースと同じである。
【０２８２】
それに加えて、前述の対応関係は、関数関係、表関係、または指定された関係であってよく、たとえば、RAR応答メッセージのリソースインデックスとプリアンブル情報との間の前述の対応関係は、
ランダムアクセスプリアンブルに対応するRAR応答メッセージのリソースインデックス=ランダムアクセスプリアンブルインデックスmodシグナリングを使用することによって構成されるか、またはシステムによってプリセットされたRAR応答メッセージのリソースの量、ここでmodはモジュロ演算を表す、または
RAR応答メッセージのリソースインデックス=ランダムアクセスプリアンブルに対応するRARリソースインデックス、を含む。
【０２８３】
それに加えて、RAR応答メッセージを伝送する際に占有される時間リソースの開始時刻とRARメッセージを伝送する際に占有される時間リソースの開始時刻との間にプリセットされたタイミング関係もしくはプリセットされた時間オフセットが存在するか、またはRAR応答メッセージを伝送する際に占有される時間リソースの終了時刻とRARメッセージを伝送する際に占有される時間リソースの終了時刻との間にプリセットされたタイミング関係もしくはプリセットされた時間オフセットが存在することに留意されたい。すなわち、基地局のRARメッセージを受信した後、UEは、RAR応答メッセージを基地局にいつ送信するかを知り、RARメッセージを送信した後、基地局は、RAR応答メッセージをいつ受信するかを知る。
【０２８４】
307: RAR応答メッセージを受信した後、基地局は、競合解決メッセージをUEに送信する。
【０２８５】
基地局によってUEに送信された競合解決メッセージは、ユーザ識別情報を指示するためのビットまたはフィールドを含み、ユーザ識別情報は、ランダムアクセスの競合衝突解決においてユーザ機器を区別するために使用される。ユーザ識別情報を指示するためのビットまたはフィールドに含まれるビットの量は、第3の指定されたビット量よりも少ない。第3の指定されたビット量は、本明細書では、既存のプロトコルにおいてユーザ識別情報を指示するためのビットまたはフィールドに含まれるビットの量を指す。
【０２８６】
たとえば、既存の競合解決メッセージは、ユーザ識別情報を指示するためのビットまたはフィールドを含む。たとえば、ue-Identityの長さは40bitである。40bitは、240個のUEを指示し得る。しかしながら、実際の環境では、UEは220個しかあり得ない。したがって、ue-Identityの長さは、20bitまで圧縮され、それによって、RAR応答メッセージを簡素化し得る。競合解決メッセージ内のue-Identityは、受信されたRAR応答メッセージ内のue-Identityと同じであることに留意されたい。
【０２８７】
競合解決メッセージが簡素化された後、ビットまたはフィールドが、競合解決メッセージに追加され得る。たとえば、16bitが一時C-RNTIまたはTC-RNTIを指示するように追加され得る。これは、簡素化されたRARメッセージがTC-RNTIを含み得ないからであり、したがって、TC-RNTIは、競合解決メッセージに追加される必要がある。
【０２８８】
それに加えて、競合解決メッセージを伝送するために使用されるリソースは、スケジューリングに基づき得ず、その代わりに、競合解決メッセージを伝送するために使用されるリソースは、シグナリングを使用することによってプリセットされるか、または構成される。特定の構成方法は次のとおりである。
【０２８９】
最初に、競合解決メッセージを伝送する際に占有される様々なリソースが、シグナリングを使用することによって構成されるか、またはシステムによってプリセットされる。特定の構成方法は、RARリソースを構成するための方法と同じであり、詳細についてこれ以上説明しない。シグナリングを使用することによって構成されるか、またはシステムによってプリセットされ、競合解決メッセージを伝送するために使用されるリソースは、
競合解決メッセージを伝送する際に占有される時間リソースの配置および/もしくは周波数リソースの配置、ならびに/または、競合解決メッセージを伝送する際に占有される時間リソースの開始配置および/もしくは周波数リソースの開始配置、ならびに/または、競合解決メッセージを伝送する際に占有される時間リソースのサイズおよび/もしくは周波数リソースのサイズ、ならびに/または、異なる競合解決メッセージを伝送する際に占有される時間リソース間の時間間隔および/または異なる競合解決メッセージを伝送する際に占有される周波数リソース間の周波数間隔、ならびに/または1つの事前指定された時間範囲に含まれ、競合解決メッセージを伝送する際に占有される時間リソースの量、および1つの事前指定された周波数範囲に含まれ、競合解決メッセージを伝送する際に占有される周波数リソースの量を含む。
【０２９０】
次に、競合解決メッセージを伝送する際に占有される構成済みの様々なリソースにおいて、基地局は、この時点で競合解決メッセージを送信するために占有される特定のリソース(たとえば、リソースのインデックス)を決定し、これは特に、
競合解決メッセージのリソースもしくはリソースインデックスとプリアンブル情報との間の対応関係に従って、競合解決メッセージを送信するためのリソースを決定すること、または、競合解決メッセージのリソースもしくはリソースインデックスとプリアンブル情報との間の対応関係およびセル共通パラメータに従って、競合解決メッセージを送信するためのリソースを決定すること、または、競合解決メッセージのリソースもしくはリソースインデックスとRARリソース情報との間の対応関係に従って、競合解決メッセージを送信するためのリソースを決定すること、または、競合解決メッセージのリソースもしくはリソースインデックスとRARリソース情報との間の対応関係およびセル共通パラメータに従って、競合解決メッセージを送信するためのリソースを決定すること、または、競合解決メッセージのリソースもしくはリソースインデックスと指定されたパラメータとの間の対応関係に従って、競合解決メッセージを送信するためのリソースを決定すること、または、競合解決メッセージのリソースもしくはリソースインデックスと指定されたパラメータとの間の対応関係およびセル共通パラメータに従って、競合解決メッセージを送信するためのリソースを決定することであってよく、
セル共通パラメータは、セル識別情報、サブフレーム番号、フレーム番号、タイムスロット番号、もしくは直交周波数分割多重シンボルインデックスを含み、指定されたパラメータは、競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０２９１】
それに対応して、競合解決メッセージを受信したときに、UEも、シグナリングを使用することによって構成されるか、またはシステムによってプリセットされ、競合解決メッセージを伝送するために占有される様々なリソースにおいて、この時点で競合解決メッセージを受信するために占有される特定のリソース(たとえば、リソースのインデックス)を決定する必要があり、これは特に、
競合解決メッセージのリソースもしくはリソースインデックスとプリアンブル情報との間の対応関係に従って、競合解決メッセージを受信するためのリソースを決定すること、または、競合解決メッセージのリソースもしくはリソースインデックスとプリアンブル情報との間の対応関係およびセル共通パラメータに従って、競合解決メッセージを受信するためのリソースを決定すること、または、競合解決メッセージのリソースもしくはリソースインデックスとRARリソース情報との間の対応関係に従って、競合解決メッセージを受信するためのリソースを決定すること、または、競合解決メッセージのリソースもしくはリソースインデックスとRARリソース情報との間の対応関係およびセル共通パラメータに従って、競合解決メッセージを受信するためのリソースを決定すること、または、競合解決メッセージのリソースもしくはリソースインデックスと指定されたパラメータとの間の対応関係に従って、競合解決メッセージを受信するためのリソースを決定すること、または、競合解決メッセージのリソースもしくはリソースインデックスと指定されたパラメータとの間の対応関係およびセル共通パラメータに従って、競合解決メッセージを受信するためのリソースを決定することであってよく、
セル共通パラメータは、セル識別情報、サブフレーム番号、フレーム番号、タイムスロット番号、もしくは直交周波数分割多重シンボルインデックスを含み、指定されたパラメータは、競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０２９２】
UEにより競合解決メッセージを送信するために使用されるリソースは、基地局により競合解決を受信するために使用されるリソースと同じである。
【０２９３】
それに加えて、前述の対応関係は、関数関係、表関係、または指定された関係であってよい。たとえば、競合解決メッセージのリソースインデックスとプリアンブル情報との間の前述の対応関係は、
ランダムアクセスプリアンブルに対応する競合解決メッセージのリソースインデックス=ランダムアクセスプリアンブルインデックスmodシグナリングを使用することによって構成されるか、またはシステムによってプリセットされた競合解決メッセージのリソースの量、ここでmodはモジュロ演算を表す、または
競合解決メッセージのリソースインデックス=ランダムアクセスプリアンブルに対応するRARリソースインデックス、を含む。
【０２９４】
それに加えて、競合解決メッセージを伝送する際に占有される時間リソースの開始時刻とRAR応答メッセージを伝送する際に占有される時間リソースの開始時刻との間にプリセットされたタイミング関係もしくはプリセットされた時間オフセットが存在するか、または競合解決メッセージを伝送する際に占有される時間リソースの終了時刻とRAR応答メッセージを伝送する際に占有される時間リソースの終了時刻との間にプリセットされたタイミング関係もしくはプリセットされた時間オフセットが存在することに留意されたい。すなわち、RAR応答メッセージを送信した後、UEは、競合解決メッセージをいつ受信するかを知り得、RAR応答メッセージを送信した後、基地局は、競合解決メッセージをいつ送信するかを知る。
【０２９５】
さらに、図5に示されているように、前述の方法は、次のステップ308およびステップ309のうちの少なくとも1つをさらに含むものとしてよく、実際の要求条件に従って、どのステップを特に実行するか、または両方のステップを実行するか、またはどちらのステップも実行しないかが決定される必要がある。
【０２９６】
308: UEは、RAR応答メッセージを基地局に再送する。
【０２９７】
309: 基地局は、再送競合解決メッセージをUEに送信する。
【０２９８】
現在のシステムでは、RAR応答メッセージおよび競合解決メッセージに対する再送メカニズムがあり、RAR応答メッセージおよび競合解決メッセージを伝送する信頼性を改善することが目的である。従来技術では、RAR応答メッセージおよび競合解決メッセージの伝送は、スケジューリングに基づく。基地局は、スケジューリングを用いて、RAR応答メッセージおよび競合解決メッセージを伝送するために使用されるリソースが重複されないことを可能にし得る。本発明のこの実施形態において、カバレッジ拡張要求条件の考察結果に基づき、RAR応答メッセージおよび競合解決メッセージに対するスケジューリング伝送リソースのメカニズムは採用されない。
【０２９９】
たとえば、最初に、RAR応答メッセージおよび競合解決メッセージを再送するために使用される様々なリソースが、シグナリングを使用することによって構成されるか、またはシステムによってプリセットされ得る。特定の構成方法は、RARリソースを構成するための方法と同じであり、詳細についてこれ以上説明しない。シグナリングを使用することによって構成されるか、またはシステムによってプリセットされたRAR応答メッセージおよび競合解決メッセージを再送するために使用される様々なリソースは、
RAR応答メッセージを再送する際に占有される時間リソースおよび周波数リソースのサイズ、ならびに/またはRAR応答メッセージを再送する際に占有される時間リソースおよび周波数リソースの開始配置もしくは配置、ならびに/またはシステム内の特定の2つのRAR応答メッセージを再送する際に占有される時間リソースの間の間隔および/または周波数リソースの間の間隔、ならびに/またはRAR応答メッセージを再送する際に占有される時間リソースおよび周波数リソースの量、ならびに
競合解決メッセージを再送する際に占有される時間リソースおよび周波数リソースのサイズ、ならびに/または競合解決メッセージを再送する際に占有される時間リソースおよび周波数リソースの開始配置もしくは配置、ならびに/またはシステム内の特定の2つの競合解決メッセージを再送する際に占有される時間リソースの間の間隔および/または周波数リソースの間の間隔、ならびに/または競合解決メッセージを再送する際に占有される時間リソースおよび周波数リソースの量を含む。
【０３００】
次に、UEは、シグナリングを使用することによって構成されるか、またはシステムによってプリセットされた、RAR応答メッセージを再送するための、様々なリソースにおいて、この時点で再送RAR応答メッセージを送信するために占有される特定のリソースを決定し、これは特に、
再送RAR応答メッセージのリソースもしくはリソースインデックスとプリアンブル情報との間の対応関係およびプリセットされた時間オフセットに従って、再送RAR応答情報を送信するためのリソースを決定すること、または、再送RAR応答メッセージのリソースもしくはリソースインデックスとプリアンブル情報との間の対応関係、プリセットされた時間オフセット、およびセル共通パラメータに従って、再送RAR応答メッセージを送信するためのリソースを決定すること、または、再送RAR応答メッセージのリソースもしくはリソースインデックスとRARリソース情報との間の対応関係およびプリセットされた時間オフセットに従って、再送RAR応答メッセージを送信するためのリソースを決定すること、または、再送RAR応答メッセージのリソースもしくはリソースインデックスとRARリソース情報との間の対応関係、プリセットされた時間オフセット、およびセル共通パラメータに従って、再送RAR応答メッセージを送信するためのリソースを決定すること、または、再送RAR応答メッセージのリソースもしくはリソースインデックスと指定されたパラメータとの間の対応関係およびプリセットされた時間オフセットに従って、再送RAR応答メッセージを送信するためのリソースを決定すること、または、再送RAR応答メッセージのリソースもしくはリソースインデックスと指定されたパラメータとの間の対応関係、プリセットされた時間オフセット、およびセル共通パラメータに従って、再送RAR応答メッセージを送信するためのリソースを決定することであってよく、ならびに/または
UEは、シグナリングを使用することによって構成されるか、またはシステムによってプリセットされた、競合解決メッセージを再送するための、様々なリソースにおいて、この時点で再送競合解決メッセージを受信するために占有される特定のリソースを決定し、これは特に、
再送競合解決メッセージのリソースもしくはリソースインデックスとプリアンブル情報との間の対応関係およびプリセットされた時間オフセットに従って、再送競合解決メッセージを受信するためのリソースを決定すること、または、再送競合解決メッセージのリソースもしくはリソースインデックスとプリアンブル情報との間の対応関係、プリセットされた時間オフセット、およびセル共通パラメータに従って、再送競合解決メッセージを受信するためのリソースを決定すること、または、再送競合解決メッセージのリソースもしくはリソースインデックスとRARリソース情報との間の対応関係およびプリセットされた時間オフセットに従って、再送競合解決メッセージを受信するためのリソースを決定すること、または、再送競合解決メッセージのリソースもしくはリソースインデックスとRARリソース情報との間の対応関係、プリセットされた時間オフセット、およびセル共通パラメータに従って、再送競合解決メッセージを受信するためのリソースを決定すること、または、再送競合解決メッセージのリソースもしくはリソースインデックスと指定されたパラメータとの間の対応関係およびプリセットされた時間オフセットに従って、再送競合解決メッセージを受信するためのリソースを決定すること、または、再送競合解決メッセージのリソースもしくはリソースインデックスと指定されたパラメータとの間の対応関係、プリセットされた時間オフセット、およびセル共通パラメータに従って、再送競合解決メッセージを受信するためのリソースを決定することであってよく、
セル共通パラメータは、セル識別情報、サブフレーム番号、フレーム番号、タイムスロット番号、もしくは直交周波数分割多重シンボルインデックスを含み、指定されたパラメータは、再送競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０３０１】
それに対応して、基地局は、シグナリングを使用することによって構成されるか、またはシステムによってプリセットされた、RAR応答メッセージを再送するための、様々なリソースにおいて、この時点で再送RAR応答メッセージを受信するために占有される特定のリソースを決定し、これは特に、
再送RAR応答メッセージのリソースもしくはリソースインデックスとプリアンブル情報との間の対応関係およびプリセットされた時間オフセットに従って、再送RAR応答情報を受信するためのリソースを決定すること、または、再送RAR応答メッセージのリソースもしくはリソースインデックスとプリアンブル情報との間の対応関係、プリセットされた時間オフセット、およびセル共通パラメータに従って、再送RAR応答メッセージを受信するためのリソースを決定すること、または、再送RAR応答メッセージのリソースもしくはリソースインデックスとRARリソース情報との間の対応関係およびプリセットされた時間オフセットに従って、再送RAR応答メッセージを受信するためのリソースを決定すること、または、再送RAR応答メッセージのリソースもしくはリソースインデックスとRARリソース情報との間の対応関係、プリセットされた時間オフセット、およびセル共通パラメータに従って、再送RAR応答メッセージを受信するためのリソースを決定すること、または、再送RAR応答メッセージのリソースもしくはリソースインデックスと指定されたパラメータとの間の対応関係およびプリセットされた時間オフセットに従って、再送RAR応答メッセージを受信するためのリソースを決定すること、または、再送RAR応答メッセージのリソースもしくはリソースインデックスと指定されたパラメータとの間の対応関係、プリセットされた時間オフセット、およびセル共通パラメータに従って、再送RAR応答メッセージを受信するためのリソースを決定することであってよく、ならびに/または
基地局は、シグナリングを使用することによって構成されるか、またはシステムによってプリセットされた、競合解決メッセージを再送するために使用される、様々なリソースにおいて、この時点で再送競合解決メッセージを送信するための特定のリソースを決定し、これは特に、
再送競合解決メッセージのリソースもしくはリソースインデックスとプリアンブル情報との間の対応関係およびプリセットされた時間オフセットに従って、再送競合解決メッセージを送信するためのリソースを決定すること、または、再送競合解決メッセージのリソースもしくはリソースインデックスとプリアンブル情報との間の対応関係、プリセットされた時間オフセット、およびセル共通パラメータに従って、再送競合解決メッセージを送信するためのリソースを決定すること、または、再送競合解決メッセージのリソースもしくはリソースインデックスとRARリソース情報との間の対応関係およびプリセットされた時間オフセットに従って、再送競合解決メッセージを送信するためのリソースを決定すること、または、再送競合解決メッセージのリソースもしくはリソースインデックスとRARリソース情報との間の対応関係、プリセットされた時間オフセット、およびセル共通パラメータに従って、再送競合解決メッセージを送信するためのリソースを決定すること、または、再送競合解決メッセージのリソースもしくはリソースインデックスと指定されたパラメータとの間の対応関係およびプリセットされた時間オフセットに従って、再送競合解決メッセージを送信するためのリソースを決定すること、または、再送競合解決メッセージのリソースもしくはリソースインデックスと指定されたパラメータとの間の対応関係、プリセットされた時間オフセット、およびセル共通パラメータに従って、再送競合解決メッセージを送信するためのリソースを決定することであってよく、
セル共通パラメータは、セル識別情報、サブフレーム番号、フレーム番号、タイムスロット番号、もしくは直交周波数分割多重シンボルインデックスを含み、指定されたパラメータは、再送競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０３０２】
UEにより再送RAR応答メッセージを送信するために使用されるリソースは、基地局により再送RAR応答メッセージを受信するために使用されるリソースと同じであり、UEにより再送競合解決メッセージを受信するために使用されるリソースは、基地局により再送競合解決メッセージを送信するために使用されるリソースと同じである。
【０３０３】
それに加えて、前述の様々な対応関係は、関数関係、表関係、または指定された関係であってよい。競合解決メッセージに使用されるリソースは、競合解決メッセージの伝送の回数に対応し、競合解決メッセージの伝送の異なる回数で使用されるリソースは、時間、および/または周波数、および/またはコードワードに関して直交している。たとえば、n回目に対するMsg3またはMsg4を伝送するためのリソースおよび(n+1)回目に対するMsg3またはMsg4を伝送するためのリソースは、時間、および/または周波数、および/またはコードワードに関して直交している。
【０３０４】
それに加えて、RARメッセージ、またはRAR応答メッセージ、または競合解決メッセージ、または再送RAR応答メッセージ、または再送競合解決メッセージは、事前定義されたメッセージ構成を使用することによって伝送されることに留意すべきであり、メッセージ構成は、変調符号化方式、伝送ブロックのサイズ、電力設定のうちの1つまたは複数を含む。
【０３０５】
本発明のこの実施形態で提供されるランダムアクセスにおいてリソースを事前決定するための方法を用いて、ランダムアクセスプリアンブルインデックスの識別子を指示するための暗黙の方式が使用され、ランダムアクセスプリアンブルインデックスの識別子のビットの量が低減され、これにより、RARメッセージが簡素化され得るか、または、指定されたパラメータに従ってランダムアクセスプリアンブルが設定されるものとしてよく、次いで、対応するランダムアクセスプリアンブルインデックスの識別子のビットの量が、設定されたランダムアクセスプリアンブルに従って設定されるか、または、RARメッセージが一時識別子を指示するためのビットもしくはフィールドを含まないようにされ得るか、または、RARメッセージがアップリンクスケジューリング/グラント情報を含まないようにされ得るか、または、タイミングアドバンスコマンドが事前定義されるものとしてよく、事前定義されたタイミングアドバンスコマンドの調整精度は、指定された調整精度よりも大きく、ランダムアクセスの手順におけるメッセージは、簡素化され、それと同時に、RAR応答メッセージを伝送し、競合解決メッセージを伝送し、RAR応答メッセージを再送し、競合解決メッセージを再送するために使用されるリソースは、プリセットされ、それにより、スケジューリングを通じてリソースを割り振る必要がなくなり、それによって、ランダムアクセスのプロセスを簡素化し、ランダムアクセスのプロセスにおける情報伝送の信頼性を改善する。
【０３０６】
本発明の一実施形態は、基地局01を実現する。図6に示されているように、基地局01は、
ユーザ機器によって送信されたランダムアクセスプリアンブルを受信し、受信されたランダムアクセスプリアンブルを情報決定ユニット012に送信するように構成された受信ユニット011と、
受信ユニット011から、ユーザ機器によって送信されたランダムアクセスプリアンブルを受信し、ユーザ機器によって送信されたランダムアクセスプリアンブルに従ってプリアンブル情報を決定し、決定されたプリアンブル情報をリソース決定ユニット013に送信するように構成された、情報決定ユニット012であって、プリアンブル情報は、ランダムアクセスプリアンブル、ランダムアクセスプリアンブルインデックス、ランダムアクセスプリアンブルを伝送するために使用される時間リソースのインデックス、ランダムアクセスプリアンブルを伝送するために使用される周波数リソースのインデックス、ランダムアクセスプリアンブルを伝送するために使用される時間リソースにおける開始時間リソース、およびランダムアクセスプリアンブルを伝送するために使用される開始周波数リソースのうちの1つまたは複数を含む、情報決定ユニット012と、
情報決定ユニットからプリアンブル情報を受信し、プリアンブル情報とランダムアクセス応答RARリソース情報との間の対応関係に従って、ユーザ機器によって送信されたランダムアクセスプリアンブルに対応するRARリソースを決定し、ユーザ機器によって送信されたランダムアクセスプリアンブルに対応するRARリソースを受信ユニット011に送信するように構成されたリソース決定ユニット013であって、RARリソース情報は、RARリソース、RARリソースインデックス、RARメッセージを伝送するために使用される時間リソースのインデックス、RARメッセージを伝送するために使用される周波数リソースのインデックス、RARメッセージを伝送するために使用される時間リソースにおける開始時間リソース、およびRARメッセージを伝送するために使用される開始周波数リソースのうちの1つまたは複数を含み、ならびにプリアンブル情報とRARリソース情報との間の対応関係は、シグナリングを使用することによって構成されるか、またはシステムによってプリセットされる、リソース決定ユニット013と、
リソース決定ユニットから、ユーザ機器によって送信されたランダムアクセスプリアンブルに対応するRARリソースを受信し、ユーザ機器によって送信されたランダムアクセスプリアンブルに対応するRARリソース上でランダムアクセスプリアンブルに対応するRARメッセージをユーザ機器に送信するように構成された送信ユニット014とを備える。
【０３０７】
適宜、RARリソースは、シグナリングを使用することによって構成されるか、またはシステムによってプリセットされるものとしてよく、シグナリングを使用することによって構成されるか、またはシステムによってプリセットされたRARリソースのうちの各RARリソースは、1つまたは複数のランダムアクセスプリアンブルに対応する。
【０３０８】
シグナリングを使用することによって構成されるか、またはシステムによってプリセットされたRARリソースは、
RARメッセージを伝送する際に占有される時間リソースの配置および/もしくは周波数リソースの配置、ならびに/または
RARメッセージを伝送する際に占有される時間リソースの開始配置および/もしくは周波数リソースの開始配置、ならびに/または
RARメッセージを伝送する際に占有される時間リソースのサイズおよび/もしくは周波数リソースのサイズ、ならびに/または
異なるRARを伝送する際に占有される時間リソース間の時間間隔および/もしくは周波数間隔、ならびに/または
1つの事前指定された時間範囲に含まれ、RARメッセージを伝送する際に占有される時間リソースの量、および1つの事前指定された周波数範囲に含まれ、RARメッセージを伝送する際に占有される周波数リソースの量を含む。
【０３０９】
特に、一実装方式において、N個のRARリソースが、シグナリングを使用することによって構成されるか、またはシステムによってプリセットされ、N個のRARリソースが、N個のランダムアクセスプリアンブルに対応し、Nが1よりも大きい正整数である場合に、プリアンブル情報とRARリソース情報との間の対応関係は、
各ランダムアクセスプリアンブルが1つのRARリソースもしくはRARリソースインデックスに対応し、異なるランダムアクセスプリアンブルに対応するRARリソースもしくはRARリソースインデックスが異なること、または
各ランダムアクセスプリアンブルインデックスが1つのRARリソースもしくはRARリソースインデックスに対応し、異なるランダムアクセスプリアンブルインデックスに対応するRARリソースもしくはRARリソースインデックスが異なることを含む。
【０３１０】
適宜、1つのRARリソースがただ1つのランダムアクセスプリアンブルに対応する場合、RARリソース上で伝送される媒体アクセス制御MACパケットデータユニットPDUに含まれるRARメッセージは、ランダムアクセスプリアンブルまたはランダムアクセスプリアンブルインデックスを指示するための識別子を含まない。
【０３１１】
特に、別の実装方式において、N個のRARリソースが、シグナリングを使用することによって構成されるか、またはシステムによってプリセットされ、N個のRARリソースが、M個のランダムアクセスプリアンブルに対応し、NおよびMが1よりも大きい正整数であり、M>Nである場合に、プリアンブル情報とRARリソース情報との間の対応関係は、
各RARリソースまたはRARリソースインデックスが、少なくとも1つのランダムアクセスプリアンブルに対応し、複数のランダムアクセスプリアンブルに対応する少なくとも1つのRARリソースもしくはRARリソースインデックスがあること、または
各RARリソースまたはRARリソースインデックスが、少なくとも1つのランダムアクセスプリアンブルインデックスに対応し、複数のランダムアクセスプリアンブルインデックスに対応する少なくとも1つのRARリソースもしくはRARリソースインデックスがあることを含む。
【０３１２】
たとえば、1つのRARリソースが、複数のランダムアクセスプリアンブルに対応する場合、RARリソース上で伝送されるMAC PDUに含まれるRARメッセージは、ランダムアクセスプリアンブルもしくはランダムアクセスプリアンブルインデックスを指示するための識別子を含み、識別子の長さは、kビットに等しく、k=ceil(log2(RARリソースに対応するランダムアクセスプリアンブルの量))であり、ここにおいて、ceilは切り上げの関数を表し、logは対数関数を表す、または
RARリソースのうちの少なくとも1つのRARリソースが、複数のランダムアクセスプリアンブルに対応する場合、各RARリソース上で伝送されるMAC PDUに含まれるRARメッセージは、ランダムアクセスプリアンブルもしくはランダムアクセスプリアンブルインデックスを指示するための識別子を含み、識別子の長さは、hビット以下であり、h=ceil(log2(max(第1のRARリソースに対応するランダムアクセスプリアンブルの量、第2のRARリソースに対応するランダムアクセスプリアンブルの量、...、第NのRARリソースに対応するランダムアクセスプリアンブルの量)))であり、ここにおいて、ceilは切り上げの関数を表し、logは対数関数を表し、maxは最大値関数を表し、Nは1よりも大きい正整数である。
【０３１３】
代替的に、たとえば、N個のRARリソースがシグナリングを使用することによって構成されるか、またはシステムによってプリセットされ、N=2kである場合、
ランダムアクセスプリアンブルのプリアンブルインデックスは、sビットによって指示され、sビットのうちのkビットは、ランダムアクセスプリアンブルに対応するRARリソースインデックスに対応するkビットに従って決定され、sビットのうちの残りの(s-k)ビットは、ランダムアクセスプリアンブルまたはランダムアクセスプリアンブルインデックスを指示するための識別子を使用することによって決定される。
【０３１４】
プリアンブル情報とRARリソース情報との間の前述の対応関係は、関数関係、表関係、または指定された関係であり、
プリアンブル情報とRARリソース情報との間の対応関係は、シグナリングを使用することによって構成されるか、またはシステムによってプリセットされ、シグナリングは、ブロードキャストまたはマルチキャストシグナリングを含み、プリアンブル情報とRARリソース情報との間の、シグナリングを使用することによって構成されるか、またはシステムによってプリセットされた、対応関係は、
ランダムアクセスプリアンブルとRARリソースとの間の対応関係、または
ランダムアクセスプリアンブルインデックスとRARリソースとの間の対応関係、または
ランダムアクセスプリアンブルとRARリソースインデックスとの間の対応関係、または
ランダムアクセスプリアンブルインデックスとRARリソースインデックスとの間の対応関係を含む。
【０３１５】
たとえば、プリアンブル情報とRARリソース情報との間の対応関係は、
ランダムアクセスプリアンブルに対応するRARリソースインデックス=ランダムアクセスプリアンブルインデックスmodシグナリングを使用することによって構成されるか、またはシステムによってプリセットされたRARリソースの量、を含むものとしてよく、ここにおいてmodはモジュロ演算を表す。
【０３１６】
それに加えて、シグナリングを使用することによって構成されるか、またはシステムによってプリセットされたRARリソースの異なるRARリソースに対応するランダムアクセスプリアンブルは、同じであるか、または部分的に同じであるか、または完全に異なり得る。
【０３１７】
適宜、図7に示されているように、基地局01は、
指定されたパラメータとランダムアクセスプリアンブルとの間の対応関係に従って、指定されたパラメータに対応するランダムアクセスプリアンブルを決定し、
指定されたパラメータに対応するランダムアクセスプリアンブルに従って、MAC PDUに含まれるRARメッセージにおいて、ランダムアクセスプリアンブルまたはランダムアクセスプリアンブルインデックスを指示するための、識別子のビットの量を決定するように構成された識別情報制御ユニット015をさらに備え得る。
【０３１８】
指定されたパラメータとランダムアクセスプリアンブルとの間の対応関係は、シグナリングを使用することによって構成されるか、またはシステムによってプリセットされ、ランダムアクセスプリアンブル、およびランダムアクセスプリアンブルまたはランダムアクセスプリアンブルインデックスを指示するための識別子のビットの量は、シグナリングを使用することによって構成されるか、またはシステムによってプリセットされ、
指定されたパラメータは、経路損失値もしくは範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０３１９】
適宜、ランダムアクセスプリアンブルに対応するRARメッセージは、一時識別子を指示するためのビットもしくはフィールドを含み得ず、一時識別子は、セル無線ネットワーク一時識別子、もしくは一時セル無線ネットワーク一時識別子を含む。
【０３２０】
適宜、ランダムアクセスプリアンブルに対応するRARメッセージは、アップリンクスケジューリング/グラント情報を含まない。
【０３２１】
適宜、ランダムアクセスプリアンブルに対応するRARメッセージは、事前定義されたタイミングアドバンスコマンドを含み、事前定義されたタイミングアドバンスコマンドの調整精度は、指定された調整精度よりも大きい。
【０３２２】
適宜、プリアンブル情報とRARリソース情報との間の対応関係は、1つまたは複数のセル共通パラメータをさらに含み、セル共通パラメータは、セル識別情報、サブフレーム番号、フレーム番号、タイムスロット番号、もしくは直交周波数分割多重シンボルインデックスを含む。
【０３２３】
適宜、RARメッセージを伝送する際に占有される時間リソースの開始時刻とユーザ機器によってランダムアクセスプリアンブルを伝送する際に占有される時間リソースの開始時刻との間にプリセットされたタイミング関係もしくはプリセットされた時間オフセットが存在するか、またはRARメッセージを伝送する際に占有される時間リソースの終了時刻とユーザ機器によってランダムアクセスプリアンブルを伝送する際に占有される時間リソースの終了時刻との間にプリセットされたタイミング関係もしくはプリセットされた時間オフセットが存在する。
【０３２４】
適宜、受信ユニット011は、ユーザ機器によって送信されたRAR応答メッセージを受信するようにさらに構成されるものとしてよく、RAR応答メッセージは、無線リソース制御RRC接続要求を含み、
RRC接続要求は、第1のユーザ識別情報を指示するためのビットまたはフィールドを含み、第1のユーザ識別情報は、ランダムアクセスの競合衝突解決においてユーザ機器を区別するために使用され、第1のユーザ識別情報を指示するためのビットまたはフィールドに含まれるビットの量は、第1の指定されたビットの量よりも少ない。
【０３２５】
適宜、RRC接続要求は、事前定義された確立原因をさらに含み、事前定義された確立原因を指示するためのビットの量は、第2の指定されたビットの量よりも多い。
【０３２６】
RAR応答メッセージを伝送するために使用されるリソースは、シグナリングを使用することによって構成されるか、またはシステムによってプリセットされ、シグナリングを使用することによって構成されるか、またはシステムによってプリセットされ、RAR応答メッセージを伝送するために使用されるリソースは、
RAR応答メッセージを伝送する際に占有される時間リソースの配置および/もしくは周波数リソースの配置、ならびに/または
RAR応答メッセージを伝送する際に占有される時間リソースの開始配置および/もしくは周波数リソースの開始配置、ならびに/または
RAR応答メッセージを伝送する際に占有される時間リソースのサイズおよび/もしくは周波数リソースのサイズ、ならびに/または
異なるRAR応答メッセージを伝送する際に占有される時間リソース間の時間間隔および/または異なるRAR応答メッセージを伝送する際に占有される周波数リソース間の周波数間隔、ならびに/または
1つの事前指定された時間範囲に含まれ、RAR応答メッセージを伝送する際に占有される時間リソースの量、および1つの事前指定された周波数範囲に含まれ、RAR応答メッセージを伝送する際に占有される周波数リソースの量を含む。
【０３２７】
適宜、リソース決定ユニット013は、
RAR応答メッセージのリソースもしくはリソースインデックスとプリアンブル情報との間の対応関係に従って、RAR応答メッセージを受信するためのリソースを決定すること、または
RAR応答メッセージのリソースもしくはリソースインデックスとプリアンブル情報との間の対応関係およびセル共通パラメータに従って、RAR応答メッセージを受信するためのリソースを決定すること、または
RAR応答メッセージのリソースもしくはリソースインデックスとRARリソース情報との間の対応関係に従って、RAR応答メッセージを受信するためのリソースを決定すること、または
RAR応答メッセージのリソースもしくはリソースインデックスとRARリソース情報との間の対応関係およびセル共通パラメータに従って、RAR応答メッセージを受信するためのリソースを決定すること、または
RAR応答メッセージのリソースもしくはリソースインデックスと指定されたパラメータとの間の対応関係に従って、RAR応答メッセージを受信するためのリソースを決定すること、または
RAR応答メッセージのリソースもしくはリソースインデックスと指定されたパラメータとの間の対応関係およびセル共通パラメータに従って、RAR応答メッセージを受信するためのリソースを決定することを実行するようにさらに構成されるものとしてよく、
セル共通パラメータは、セル識別情報、サブフレーム番号、フレーム番号、タイムスロット番号、もしくは直交周波数分割多重シンボルインデックスを含み、指定されたパラメータは、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０３２８】
たとえば、RAR応答メッセージのリソースインデックスとプリアンブル情報との間の対応関係は、
ランダムアクセスプリアンブルに対応するRAR応答メッセージのリソースインデックス=ランダムアクセスプリアンブルインデックスmodシグナリングを使用することによって構成されるか、またはシステムによってプリセットされたRAR応答メッセージのリソースの量、ここでmodはモジュロ演算を表す、または
RAR応答メッセージのリソースインデックス=ランダムアクセスプリアンブルに対応するRARリソースインデックス、を含む。
【０３２９】
適宜、RAR応答メッセージを伝送する際に占有される時間リソースの開始時刻とRARメッセージを伝送する際に占有される時間リソースの開始時刻との間にプリセットされたタイミング関係もしくはプリセットされた時間オフセットが存在するか、またはRAR応答メッセージを伝送する際に占有される時間リソースの終了時刻とRARメッセージを伝送する際に占有される時間リソースの終了時刻との間にプリセットされたタイミング関係もしくはプリセットされた時間オフセットが存在する。
【０３３０】
適宜、送信ユニット014は、競合解決メッセージをユーザ機器に送信するようにさらに構成されるものとしてよく、
競合解決メッセージは、第2のユーザ識別情報を指示するためのビットまたはフィールドを含み、第2のユーザ識別情報は、ランダムアクセスの競合衝突解決においてユーザ機器を区別するために使用され、第2のユーザ識別情報を指示するためのビットまたはフィールドに含まれるビットの量は、第3の指定されたビットの量よりも少ない。
【０３３１】
競合解決メッセージは、一時識別子を指示するためのビットもしくはフィールドをさらに含み、一時識別子は、セル無線ネットワーク一時識別子、もしくは一時セル無線ネットワーク一時識別子を含む。
【０３３２】
適宜、競合解決メッセージを伝送するために使用されるリソースは、シグナリングを使用することによって構成されるか、またはシステムによってプリセットされ、シグナリングを使用することによって構成されるか、またはシステムによってプリセットされ、競合解決メッセージを伝送するために使用されるリソースは、
競合解決メッセージを伝送する際に占有される時間リソースの配置および/もしくは周波数リソースの配置、ならびに/または
競合解決メッセージを伝送する際に占有される時間リソースの開始配置および/もしくは周波数リソースの開始配置、ならびに/または
競合解決メッセージを伝送する際に占有される時間リソースのサイズおよび/もしくは周波数リソースのサイズ、ならびに/または
異なる競合解決メッセージを伝送する際に占有される時間リソース間の時間間隔および/もしくは異なる競合解決メッセージを伝送する際に占有される周波数リソース間の周波数間隔、ならびに/または
1つの事前指定された時間範囲に含まれ、競合解決メッセージを伝送する際に占有される時間リソースの量、および1つの事前指定された周波数範囲に含まれ、競合解決メッセージを伝送する際に占有される周波数リソースの量を含む。
【０３３３】
適宜、リソース決定ユニット013は、
競合解決メッセージのリソースもしくはリソースインデックスとプリアンブル情報との間の対応関係に従って、競合解決メッセージを送信するためのリソースを決定すること、または
競合解決メッセージのリソースもしくはリソースインデックスとプリアンブル情報との間の対応関係およびセル共通パラメータに従って、競合解決メッセージを送信するためのリソースを決定すること、または
競合解決メッセージのリソースもしくはリソースインデックスとRARリソース情報との間の対応関係に従って、競合解決メッセージを送信するためのリソースを決定すること、または
競合解決メッセージのリソースもしくはリソースインデックスとRARリソース情報との間の対応関係およびセル共通パラメータに従って、競合解決メッセージを送信するためのリソースを決定すること、または
競合解決メッセージのリソースもしくはリソースインデックスと指定されたパラメータとの間の対応関係に従って、競合解決メッセージを送信するためのリソースを決定すること、または
競合解決メッセージのリソースもしくはリソースインデックスと指定されたパラメータとの間の対応関係およびセル共通パラメータに従って、競合解決メッセージを送信するためのリソースを決定することを実行するようにさらに構成されるものとしてよく、
セル共通パラメータは、セル識別情報、サブフレーム番号、フレーム番号、タイムスロット番号、もしくは直交周波数分割多重シンボルインデックスを含み、指定されたパラメータは、競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０３３４】
適宜、競合解決メッセージを伝送する際に占有される時間リソースの開始時刻とRAR応答メッセージを伝送する際に占有される時間リソースの開始時刻との間にプリセットされたタイミング関係もしくはプリセットされた時間オフセットが存在するか、または競合解決メッセージを伝送する際に占有される時間リソースの終了時刻とRAR応答メッセージを伝送する際に占有される時間リソースの終了時刻との間にプリセットされたタイミング関係もしくはプリセットされた時間オフセットが存在する。
【０３３５】
適宜、
受信ユニット011は、ユーザ機器によって再送されたRAR応答メッセージを受信するようにさらに構成されるものとしてよく、および/または
送信ユニット014は、再送競合解決メッセージをユーザ機器に送信するようにさらに構成されるものとしてよい。
【０３３６】
RAR応答メッセージを再送する際に占有される時間リソースおよび周波数リソースのサイズ、ならびに/またはRAR応答メッセージを再送する際に占有される時間リソースおよび周波数リソースの開始配置もしくは配置、ならびに/またはシステム内の特定の2つのRAR応答メッセージを再送する際に占有される時間リソースの間の間隔および/または周波数リソースの間の間隔、ならびに/またはRAR応答メッセージを再送する際に占有される時間リソースおよび周波数リソースの量は、シグナリングを使用することによって構成されるか、またはシステムによってプリセットされ、
競合解決メッセージを再送する際に占有される時間リソースおよび周波数リソースのサイズ、ならびに/または競合解決メッセージを再送する際に占有される時間リソースおよび周波数リソースの開始配置もしくは配置、ならびに/またはシステム内の特定の2つの競合解決メッセージを再送する際に占有される時間リソースの間の間隔および/または周波数リソースの間の間隔、ならびに/または競合解決メッセージを再送する際に占有される時間リソースおよび周波数リソースの量は、シグナリングを使用することによって構成されるか、またはシステムによってプリセットされる。
【０３３７】
適宜、リソース決定ユニット013は、
再送RAR応答メッセージのリソースもしくはリソースインデックスとプリアンブル情報との間の対応関係およびプリセットされた時間オフセットに従って、再送RAR応答情報を受信するためのリソースを決定すること、または
再送RAR応答メッセージのリソースもしくはリソースインデックスとプリアンブル情報との間の対応関係、プリセットされた時間オフセット、およびセル共通パラメータに従って、再送RAR応答メッセージを受信するためのリソースを決定すること、または
再送RAR応答メッセージのリソースもしくはリソースインデックスとRARリソース情報との間の対応関係およびプリセットされた時間オフセットに従って、再送RAR応答メッセージを受信するためのリソースを決定すること、または
再送RAR応答メッセージのリソースもしくはリソースインデックスとRARリソース情報との間の対応関係、プリセットされた時間オフセット、およびセル共通パラメータに従って、再送RAR応答メッセージを受信するためのリソースを決定すること、または
再送RAR応答メッセージのリソースもしくはリソースインデックスと指定されたパラメータとの間の対応関係およびプリセットされた時間オフセットに従って、再送RAR応答メッセージを受信するためのリソースを決定すること、または
再送RAR応答メッセージのリソースもしくはリソースインデックスと指定されたパラメータとの間の対応関係、プリセットされた時間オフセット、およびセル共通パラメータに従って、再送RAR応答メッセージを受信するためのリソースを決定することを実行するようにさらに構成されるものとしてよく、
セル共通パラメータは、セル識別情報、サブフレーム番号、フレーム番号、タイムスロット番号、もしくは直交周波数分割多重シンボルインデックスを含み、指定されたパラメータは、RAR応答を送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
前述の対応関係は、関数関係、表関係、または指定された関係であり、対応関係は、シグナリングを使用することによって構成されるか、またはシステムによってプリセットされる。
【０３３８】
適宜、リソース決定ユニット013は、
再送競合解決メッセージのリソースもしくはリソースインデックスとプリアンブル情報との間の対応関係およびプリセットされた時間オフセットに従って、再送競合解決メッセージを送信するためのリソースを決定すること、または
再送競合解決メッセージのリソースもしくはリソースインデックスとプリアンブル情報との間の対応関係、プリセットされた時間オフセット、およびセル共通パラメータに従って、再送競合解決メッセージを送信するためのリソースを決定すること、または
再送競合解決メッセージのリソースもしくはリソースインデックスとRARリソース情報との間の対応関係およびプリセットされた時間オフセットに従って、再送競合解決メッセージを送信するためのリソースを決定すること、または
再送競合解決メッセージのリソースもしくはリソースインデックスとRARリソース情報との間の対応関係、プリセットされた時間オフセット、およびセル共通パラメータに従って、再送競合解決メッセージを送信するためのリソースを決定すること、または
再送競合解決メッセージのリソースもしくはリソースインデックスと指定されたパラメータとの間の対応関係およびプリセットされた時間オフセットに従って、再送競合解決メッセージを送信するためのリソースを決定すること、または
再送競合解決メッセージのリソースもしくはリソースインデックスと指定されたパラメータとの間の対応関係、プリセットされた時間オフセット、およびセル共通パラメータに従って、再送競合解決メッセージを送信するためのリソースを決定することを実行するようにさらに構成されるものとしてよく、
セル共通パラメータは、セル識別情報、サブフレーム番号、フレーム番号、タイムスロット番号、もしくは直交周波数分割多重シンボルインデックスを含み、指定されたパラメータは、再送競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
前述の対応関係は、関数関係、表関係、または指定された関係であり、対応関係は、シグナリングを使用することによって構成されるか、またはシステムによってプリセットされる。
【０３３９】
それに加えて、RAR応答メッセージに使用されるリソースは、RAR応答メッセージの伝送の回数に対応し、RAR応答メッセージの伝送の異なる回数で使用されるリソースは、時間、および/または周波数、および/またはコードワードに関して直交しており、
競合解決メッセージに使用されるリソースは、競合解決メッセージの伝送の回数に対応し、競合解決メッセージの伝送の異なる回数で使用されるリソースは、時間、および/または周波数、および/またはコードワードに関して直交しており、
第1のメッセージの伝送は、事前定義された第1のメッセージ構成を使用することによって実行され、第1の情報は、RARメッセージ、またはRAR応答メッセージ、または競合解決メッセージ、または再送RAR応答メッセージ、または再送競合解決メッセージであり、第1のメッセージ構成は、変調符号化方式、伝送ブロックのサイズ、電力設定のうちの1つまたは複数を含むことに留意されたい。
【０３４０】
適宜、リソースを伝送するために使用される前記第1の情報が、シグナリングを使用することによって構成される場合、送信ユニット104は、
構成シグナリングをユーザ機器に送信するようにさらに構成されるものとしてよく、構成シグナリングは、第1の情報を伝送するために使用されるリソース構成をユーザ機器に通知するために使用される。
【０３４１】
本発明のこの実施形態で実現される基地局を用いて、ランダムアクセスプリアンブルインデックスの識別子を指示するための暗黙の方式が使用され、ランダムアクセスプリアンブルインデックスの識別子のビットの量が低減され、これにより、RARメッセージが簡素化され得るか、または、指定されたパラメータに従ってランダムアクセスプリアンブルが設定されるものとしてよく、次いで、対応するランダムアクセスプリアンブルインデックスの識別子のビットの量が、設定されたランダムアクセスプリアンブルに従って設定されるか、または、RARメッセージが一時識別子を指示するためのビットもしくはフィールドを含まないようにされ得るか、または、RARメッセージがアップリンクスケジューリング/グラント情報を含まないようにされ得るか、または、タイミングアドバンスコマンドが事前定義されるものとしてよく、事前定義されたタイミングアドバンスコマンドの調整精度は、指定された調整精度よりも大きく、ランダムアクセスの手順におけるメッセージは、簡素化され、それと同時に、RAR応答メッセージを伝送し、競合解決メッセージを伝送し、RAR応答メッセージを再送し、競合解決メッセージを再送するために使用されるリソースは、プリセットされ、それにより、スケジューリングを通じてリソースを割り振る必要がなくなり、それによって、ランダムアクセスのプロセスを簡素化し、ランダムアクセスのプロセスにおける情報伝送の信頼性を改善する。
【０３４２】
本発明の一実施形態は、ユーザ機器02を実現する。図8に示されているように、ユーザ機器02は、
ランダムアクセスプリアンブルを決定し、決定された第1のランダムアクセスプリアンブルを送信ユニット022に送信するように構成されたプリアンブル決定ユニット021と、
プリアンブル決定ユニット021から第1のランダムアクセスプリアンブルを受信し、第1のランダムアクセスプリアンブルを基地局に送信するように構成された送信ユニット022と、
第1のランダムアクセスプリアンブルに従ってプリアンブル情報を決定し、プリアンブル情報をリソース決定ユニット024に送信するように構成された情報決定ユニット023であって、プリアンブル情報は、ランダムアクセスプリアンブル、ランダムアクセスプリアンブルインデックス、ランダムアクセスプリアンブルを伝送するために使用される時間リソースのインデックス、ランダムアクセスプリアンブルを伝送するために使用される周波数リソースのインデックス、ランダムアクセスプリアンブルを伝送するために使用される時間リソースにおける開始時間リソース、およびランダムアクセスプリアンブルを伝送するために使用される開始周波数リソースのうちの1つまたは複数を含む、情報決定ユニット023と、
情報決定ユニット023からプリアンブル情報を受信し、プリアンブル情報とランダムアクセス応答RARリソース情報との間の対応関係に従って第1のランダムアクセスプリアンブルに対応するRARリソースを決定し、第1のランダムアクセスプリアンブルに対応するRARリソースを受信ユニット025に送信するように構成されたリソース決定ユニット024であって、RARリソース情報は、RARリソース、RARリソースインデックス、RARメッセージを伝送するために使用される時間リソースのインデックス、RARメッセージを伝送するために使用される周波数リソースのインデックス、RARメッセージを伝送するために使用される時間リソースにおける開始時間リソース、およびRARメッセージを伝送するために使用される開始周波数リソースのうちの1つまたは複数を含み、ならびにプリアンブル情報とRARリソース情報との間の対応関係は、シグナリングを使用することによって構成されるか、またはシステムによってプリセットされる、リソース決定ユニット024と、
リソース決定ユニットから、第1のランダムアクセスプリアンブルに対応するRARリソースを受信し、第1のランダムアクセスプリアンブルに対応するRARリソース上で、基地局によって送信された媒体アクセス制御MACパケットデータユニットPDUを受信するように構成された受信ユニット025と、
MAC PDUが第1のランダムアクセスプリアンブルに対応するRARメッセージを含むかどうかを決定するように構成されたメッセージ決定ユニットとを備える。
【０３４３】
RARリソースは、シグナリングを使用することによって構成され、シグナリングは、基地局またはシステムがRARリソースをプリセットした後に送信され、プリセットされたRARリソースのうちの各RARリソースは、1つまたは複数のランダムアクセスプリアンブルに対応する。
【０３４４】
適宜、シグナリングを使用することによって構成されたRARリソースは、
RARメッセージを伝送する際に占有される時間リソースの配置および/もしくは周波数リソースの配置、ならびに/または
RARメッセージを伝送する際に占有される時間リソースの開始配置および/もしくは周波数リソースの開始配置、ならびに/または
RARメッセージを伝送する際に占有される時間リソースのサイズおよび/もしくは周波数リソースのサイズ、ならびに/または
異なるRARを伝送する際に占有される時間リソース間の時間間隔および/もしくは周波数間隔、ならびに/または
1つの事前指定された時間範囲に含まれ、RARメッセージを伝送する際に占有される時間リソースの量、および1つの事前指定された周波数範囲に含まれ、RARメッセージを伝送する際に占有される周波数リソースの量を含む。
【０３４５】
適宜、一実装方式において、N個のRARリソースが、シグナリングを使用することによって構成されるか、またはシステムによってプリセットされ、N個のRARリソースが、N個のランダムアクセスプリアンブルに対応し、Nが1よりも大きい正整数である場合に、プリアンブル情報とRARリソース情報との間の対応関係は、
各ランダムアクセスプリアンブルが1つのRARリソースもしくはRARリソースインデックスに対応し、異なるランダムアクセスプリアンブルに対応するRARリソースもしくはRARリソースインデックスが異なること、または
各ランダムアクセスプリアンブルインデックスが1つのRARリソースもしくはRARリソースインデックスに対応し、異なるランダムアクセスプリアンブルインデックスに対応するRARリソースもしくはRARリソースインデックスが異なることを含む。
【０３４６】
適宜、1つのRARリソースがただ1つのランダムアクセスプリアンブルに対応する場合、RARリソース上で伝送される媒体アクセス制御MACパケットデータユニットPDUに含まれるRARメッセージは、ランダムアクセスプリアンブルまたはランダムアクセスプリアンブルインデックスを指示するための識別子を含まない。
【０３４７】
適宜に、別の実装方式において、N個のRARリソースが、シグナリングを使用することによって構成されるか、またはシステムによってプリセットされ、N個のRARリソースが、M個のランダムアクセスプリアンブルに対応し、NおよびMが1よりも大きい正整数であり、M>Nである場合に、プリアンブル情報とRARリソース情報との間の対応関係は、
各RARリソースまたはRARリソースインデックスが、少なくとも1つのランダムアクセスプリアンブルに対応し、複数のランダムアクセスプリアンブルに対応する少なくとも1つのRARリソースもしくはRARリソースインデックスがあること、または
各RARリソースまたはRARリソースインデックスが、少なくとも1つのランダムアクセスプリアンブルインデックスに対応し、複数のランダムアクセスプリアンブルインデックスに対応する少なくとも1つのRARリソースもしくはRARリソースインデックスがあることを含む。
【０３４８】
たとえば、1つのRARリソースが、複数のランダムアクセスプリアンブルに対応する場合、RARリソース上で伝送されるMAC PDUに含まれるRARメッセージは、ランダムアクセスプリアンブルもしくはランダムアクセスプリアンブルインデックスを指示するための識別子を含み、識別子の長さは、kビットに等しく、k=ceil(log2(RARリソースに対応するランダムアクセスプリアンブルの量))であり、ここにおいて、ceilは切り上げの関数を表し、logは対数関数を表す、または
RARリソースのうちの少なくとも1つのRARリソースが、複数のランダムアクセスプリアンブルに対応する場合、各RARリソース上で伝送されるMAC PDUに含まれるRARメッセージは、ランダムアクセスプリアンブルもしくはランダムアクセスプリアンブルインデックスを指示するための識別子を含み、識別子の長さは、hビット以下であり、h=ceil(log2(max(第1のRARリソースに対応するランダムアクセスプリアンブルの量、第2のRARリソースに対応するランダムアクセスプリアンブルの量、...、第NのRARリソースに対応するランダムアクセスプリアンブルの量)))であり、ここにおいて、ceilは切り上げの関数を表し、logは対数関数を表し、maxは最大値関数を表し、Nは1よりも大きい正整数である。
【０３４９】
適宜、メッセージ決定ユニット023は、
RARメッセージが配置されているRARリソースまたはRARリソースインデックスに対応するビットが、ランダムアクセスプリアンブルおよび第1のランダムアクセスプリアンブルと同じであり、ランダムアクセスプリアンブルはランダムアクセスプリアンブルまたはランダムアクセスプリアンブルインデックスを指示するための識別子によって指示され、識別子はMAC PDUに含まれるRARメッセージに含まれる場合に、MAC PDUが第1のランダムアクセスプリアンブルに対応するRARメッセージを含むと決定すること、または
RARメッセージが配置されているRARリソースまたはRARリソースインデックスに対応するビットが、ランダムアクセスプリアンブルインデックスおよびユーザ機器によって決定される第1のランダムアクセスプリアンブルインデックスと同じであり、ランダムアクセスプリアンブルインデックスはランダムアクセスプリアンブルまたはランダムアクセスプリアンブルインデックスを指示するための識別子によって指示され、識別子はMAC PDUに含まれるRARメッセージに含まれる場合に、MAC PDUが第1のランダムアクセスプリアンブルに対応するRARメッセージを含むと決定すること、または
第1のランダムアクセスプリアンブルに対応するRARリソース上で受信されたMAC PDUに含まれるRARメッセージに含まれる、ランダムアクセスプリアンブルまたはランダムアクセスプリアンブルインデックスを指示するための、識別子の状態が、第1のランダムアクセスプリアンブルに対応するビットのうちのaビットの状態と同じである場合に、MAC PDUが、第1のランダムアクセスプリアンブルに対応するRARメッセージを含み、aはランダムアクセスプリアンブルまたはランダムアクセスプリアンブルインデックスを指示するための識別子のビットの量に等しく、第1のランダムアクセスプリアンブルインデックスに対応するビット内のaビットの配置は事前指定される、と決定することを実行するように特に構成され得る。
【０３５０】
代替的に、たとえば、N個のRARリソースがシグナリングを使用することによって構成されるか、またはシステムによってプリセットされ、N=2kである場合、
ランダムアクセスプリアンブルのプリアンブルインデックスは、sビットによって指示され、sビットのうちのkビットは、ランダムアクセスプリアンブルに対応するRARリソースインデックスに対応するkビットに従って決定され、sビットのうちの残りの(s-k)ビットは、ランダムアクセスプリアンブルまたはランダムアクセスプリアンブルインデックスを指示するための識別子を使用することによって決定される。
【０３５１】
適宜、メッセージ決定ユニット023は、
第1のランダムアクセスプリアンブルに対応するRARリソースインデックスに対応するビット値を決定することであって、RARリソースインデックスに対応するビット値はプリセットされる、決定することと、
MAC PDU内の識別子に対応するビット値を決定することと、
ランダムアクセスプリアンブルに対応するRARリソースインデックスに対応するビット値とMAC PDU内の識別子に対応するビット値とを組み合わせてsビットを取得することと、
sビットによって指示されるランダムアクセスプリアンブルを決定することと、
第1のランダムアクセスプリアンブルがsビットによって指示されるランダムアクセスプリアンブルと同じであるかどうかを決定し、第1のランダムアクセスプリアンブルがsビットによって指示されるランダムアクセスプリアンブルと同じである場合に、MAC PDUが第1のランダムアクセスプリアンブルに対応するRARメッセージを含むと決定するか、または第1のランダムアクセスプリアンブルが、sビットによって指示されるランダムアクセスプリアンブルと異なる場合に、MAC PDUが第1のランダムアクセスプリアンブルに対応するRARメッセージを含まないと決定することとを実行するようにさらに特に構成され得る。
【０３５２】
適宜、プリアンブル情報とRARリソース情報との間の対応関係は、関数関係、表関係、または指定された関係であり、
プリアンブル情報とRARリソース情報との間の対応関係は、シグナリングを使用することによって構成され、シグナリングは、基地局またはシステムがプリアンブル情報とRARリソース情報との間の対応関係をプリセットした後に送信され、プリアンブル情報とRARリソース情報との間の、シグナリングを使用することによって構成される、対応関係は、
ランダムアクセスプリアンブルとRARリソースとの間の対応関係、または
ランダムアクセスプリアンブルインデックスとRARリソースとの間の対応関係、または
ランダムアクセスプリアンブルとRARリソースインデックスとの間の対応関係、または
ランダムアクセスプリアンブルインデックスとRARリソースインデックスとの間の対応関係を含む。
【０３５３】
たとえば、プリアンブル情報とRARリソース情報との間の対応関係は、
ランダムアクセスプリアンブルに対応するRARリソースインデックス=ランダムアクセスプリアンブルインデックスmodシグナリングを使用することによって構成されるか、またはシステムによってプリセットされたRARリソースの量、を含むものとしてよく、ここにおいてmodはモジュロ演算を表す。
【０３５４】
それに加えて、シグナリングを使用することによって構成されたRARリソースの異なるRARリソースに対応するランダムアクセスプリアンブルは、同じであるか、または部分的に同じであるか、または完全に異なり得る。
【０３５５】
適宜、MAC PDUに含まれるRARメッセージにおいて、ランダムアクセスプリアンブルまたはランダムアクセスプリアンブルインデックスを指示するための、識別子のビットの量は、指定されたパラメータとランダムアクセスプリアンブルとの間の対応関係に従って基地局によって決定される。
【０３５６】
指定されたパラメータとランダムアクセスプリアンブルとの間の対応関係は、シグナリングを使用することによって構成されるか、またはシステムによってプリセットされ、ランダムアクセスプリアンブルまたはランダムアクセスプリアンブルインデックスを指示するための識別子のビットの量は、シグナリングを使用することによって構成されるか、またはシステムによってプリセットされ、
指定されたパラメータは、経路損失値もしくは範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０３５７】
適宜、第1のランダムアクセスプリアンブルに対応するRARメッセージは、一時識別子を指示するためのビットもしくはフィールドを含まず、一時識別子は、セル無線ネットワーク一時識別子、もしくは一時セル無線ネットワーク一時識別子を含む。
【０３５８】
適宜、第1のランダムアクセスプリアンブルに対応するRARメッセージは、アップリンクスケジューリング/グラント情報を含まない。
【０３５９】
適宜、第1のランダムアクセスプリアンブルに対応するRARメッセージは、事前定義されたタイミングアドバンスコマンドを含み、事前定義されたタイミングアドバンスコマンドの調整精度は、指定された調整精度よりも大きい。
【０３６０】
適宜、プリアンブル情報とRARリソース情報との間の対応関係は、1つまたは複数のセル共通パラメータをさらに含み、セル共通パラメータは、セル識別情報、サブフレーム番号、フレーム番号、タイムスロット番号、もしくは直交周波数分割多重シンボルインデックスを含む。
【０３６１】
適宜、RARメッセージを伝送する際に占有される時間リソースの開始時刻とユーザ機器によってランダムアクセスプリアンブルを伝送する際に占有される時間リソースの開始時刻との間にプリセットされたタイミング関係もしくはプリセットされた時間オフセットが存在するか、またはRARメッセージを伝送する際に占有される時間リソースの終了時刻とユーザ機器によってランダムアクセスプリアンブルを伝送する際に占有される時間リソースの終了時刻との間にプリセットされたタイミング関係もしくはプリセットされた時間オフセットが存在する。
【０３６２】
適宜、送信ユニット022は、RAR応答メッセージを基地局に送信するようにさらに構成されるものとしてよく、RAR応答メッセージは、無線リソース制御RRC接続要求を含み、
RRC接続要求は、第1のユーザ識別情報を指示するためのビットまたはフィールドを含み、第1のユーザ識別情報は、ランダムアクセスの競合衝突解決においてユーザ機器を区別するために使用され、第1のユーザ識別情報を指示するためのビットまたはフィールドに含まれるビットの量は、第1の指定されたビットの量よりも少ない。
【０３６３】
適宜、RRC接続要求は、事前定義された確立原因をさらに含み、事前定義された確立原因を指示するためのビットの量は、第2の指定されたビットの量よりも多い。
【０３６４】
RAR応答メッセージを伝送するために使用されるリソースは、シグナリングを使用することによって構成されるか、またはシステムによってプリセットされ、シグナリングを使用することによって構成されるか、またはシステムによってプリセットされ、RAR応答メッセージを伝送するために使用されるリソースは、
RAR応答メッセージを伝送する際に占有される時間リソースの配置および/もしくは周波数リソースの配置、ならびに/または
RAR応答メッセージを伝送する際に占有される時間リソースの開始配置および/もしくは周波数リソースの開始配置、ならびに/または
RAR応答メッセージを伝送する際に占有される時間リソースのサイズおよび/もしくは周波数リソースのサイズ、ならびに/または
異なるRAR応答メッセージを伝送する際に占有される時間リソース間の時間間隔および/または異なるRAR応答メッセージを伝送する際に占有される周波数リソース間の周波数間隔、ならびに/または
1つの事前指定された時間範囲に含まれ、RAR応答メッセージを伝送する際に占有される時間リソースの量、および1つの事前指定された周波数範囲に含まれ、RAR応答メッセージを伝送する際に占有される周波数リソースの量を含む。
【０３６５】
適宜、リソース決定ユニット024は、
RAR応答メッセージのリソースもしくはリソースインデックスとプリアンブル情報との間の対応関係に従って、RAR応答メッセージを送信するためのリソースを決定すること、または
RAR応答メッセージのリソースもしくはリソースインデックスとプリアンブル情報との間の対応関係およびセル共通パラメータに従って、RAR応答メッセージを送信するためのリソースを決定すること、または
RAR応答メッセージのリソースもしくはリソースインデックスとRARリソース情報との間の対応関係に従って、RAR応答メッセージを送信するためのリソースを決定すること、または
RAR応答メッセージのリソースもしくはリソースインデックスとRARリソース情報との間の対応関係およびセル共通パラメータに従って、RAR応答メッセージを送信するためのリソースを決定すること、または
RAR応答メッセージのリソースもしくはリソースインデックスと指定されたパラメータとの間の対応関係に従って、RAR応答メッセージを送信するためのリソースを決定すること、または
RAR応答メッセージのリソースもしくはリソースインデックスと指定されたパラメータとの間の対応関係およびセル共通パラメータに従って、RARメッセージを送信するためのリソースを決定することを実行するようにさらに構成されるものとしてよく、
セル共通パラメータは、セル識別情報、サブフレーム番号、フレーム番号、タイムスロット番号、もしくは直交周波数分割多重シンボルインデックスを含み、指定されたパラメータは、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
前述の対応関係は、関数関係、表関係、または指定された関係であり、対応関係は、シグナリングを使用することによって構成されるか、またはシステムによってプリセットされる。
【０３６６】
たとえば、RAR応答メッセージのリソースインデックスとプリアンブル情報との間の対応関係は、
ランダムアクセスプリアンブルに対応するRAR応答メッセージのリソースインデックス=ランダムアクセスプリアンブルインデックスmodシグナリングを使用することによって構成されるか、またはシステムによってプリセットされたRAR応答メッセージのリソースの量、ここでmodはモジュロ演算を表す、または
RAR応答メッセージのリソースインデックス=ランダムアクセスプリアンブルに対応するRARリソースインデックス、を含み得る。
【０３６７】
適宜、RAR応答メッセージを伝送する際に占有される時間リソースの開始時刻とRARメッセージを伝送する際に占有される時間リソースの開始時刻との間にプリセットされたタイミング関係もしくはプリセットされた時間オフセットが存在するか、またはRAR応答メッセージを伝送する際に占有される時間リソースの終了時刻とRARメッセージを伝送する際に占有される時間リソースの終了時刻との間にプリセットされたタイミング関係もしくはプリセットされた時間オフセットが存在する。
【０３６８】
適宜、受信ユニット025は、基地局によって送信された競合解決メッセージを受信するようにさらに構成され、
競合解決メッセージは、第2のユーザ識別情報を指示するためのビットまたはフィールドを含み、第2のユーザ識別情報は、ランダムアクセスの競合衝突解決においてユーザ機器を区別するために使用され、第2のユーザ識別情報を指示するためのビットまたはフィールドに含まれるビットの量は、第3の指定されたビットの量よりも少ない。
【０３６９】
競合解決メッセージは、一時識別子を指示するためのビットもしくはフィールドをさらに含み、一時識別子は、セル無線ネットワーク一時識別子、もしくは一時セル無線ネットワーク一時識別子を含む。
【０３７０】
適宜、競合解決メッセージを伝送するために使用されるリソースは、シグナリングを使用することによって構成されるか、またはシステムによってプリセットされ、シグナリングを使用することによって構成されるか、またはシステムによってプリセットされ、競合解決メッセージを伝送するために使用されるリソースは、
競合解決メッセージを伝送する際に占有される時間リソースの配置および/もしくは周波数リソースの配置、ならびに/または
競合解決メッセージを伝送する際に占有される時間リソースの開始配置および/もしくは周波数リソースの開始配置、ならびに/または
競合解決メッセージを伝送する際に占有される時間リソースのサイズおよび/もしくは周波数リソースのサイズ、ならびに/または
異なる競合解決メッセージを伝送する際に占有される時間リソース間の時間間隔および/もしくは異なる競合解決メッセージを伝送する際に占有される周波数リソース間の周波数間隔、ならびに/または
1つの事前指定された時間範囲に含まれ、競合解決メッセージを伝送する際に占有される時間リソースの量、および1つの事前指定された周波数範囲に含まれ、競合解決メッセージを伝送する際に占有される周波数リソースの量を含む。
【０３７１】
適宜、リソース決定ユニット024は、
競合解決メッセージのリソースもしくはリソースインデックスとプリアンブル情報との間の対応関係に従って、競合解決メッセージを受信するためのリソースを決定すること、または
競合解決メッセージのリソースもしくはリソースインデックスとプリアンブル情報との間の対応関係およびセル共通パラメータに従って、競合解決メッセージを受信するためのリソースを決定すること、または
競合解決メッセージのリソースもしくはリソースインデックスとRARリソース情報との間の対応関係に従って、競合解決メッセージを受信するためのリソースを決定すること、または
競合解決メッセージのリソースもしくはリソースインデックスとRARリソース情報との間の対応関係およびセル共通パラメータに従って、競合解決メッセージを受信するためのリソースを決定すること、または
競合解決メッセージのリソースもしくはリソースインデックスと指定されたパラメータとの間の対応関係に従って、競合解決メッセージを受信するためのリソースを決定すること、または
競合解決メッセージのリソースもしくはリソースインデックスと指定されたパラメータとの間の対応関係およびセル共通パラメータに従って、競合解決メッセージを受信するためのリソースを決定することを実行するようにさらに構成されるものとしてよく、
セル共通パラメータは、セル識別情報、サブフレーム番号、フレーム番号、タイムスロット番号、もしくは直交周波数分割多重シンボルインデックスを含み、指定されたパラメータは、競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０３７２】
適宜、競合解決メッセージを伝送する際に占有される時間リソースの開始時刻とRAR応答メッセージを伝送する際に占有される時間リソースの開始時刻との間にプリセットされたタイミング関係もしくはプリセットされた時間オフセットが存在するか、または競合解決メッセージを伝送する際に占有される時間リソースの終了時刻とRAR応答メッセージを伝送する際に占有される時間リソースの終了時刻との間にプリセットされたタイミング関係もしくはプリセットされた時間オフセットが存在する。
【０３７３】
適宜、送信ユニット022は、再送RAR応答メッセージを基地局に送信するようにさらに構成されるものとしてよく、
および/または、受信ユニット025は、基地局によって再送された競合解決メッセージを受信するようにさらに構成されるものとしてよい。
【０３７４】
RAR応答メッセージを再送する際に占有される時間リソースおよび周波数リソースのサイズ、ならびに/またはRAR応答メッセージを再送する際に占有される時間リソースおよび周波数リソースの開始配置もしくは配置、ならびに/またはシステム内の特定の2つのRAR応答メッセージを再送する際に占有される時間リソースの間の間隔および/または周波数リソースの間の間隔、ならびに/またはRAR応答メッセージを再送する際に占有される時間リソースおよび周波数リソースの量は、シグナリングを使用することによって構成されるか、またはシステムによってプリセットされ、
競合解決メッセージを再送する際に占有される時間リソースおよび周波数リソースのサイズ、ならびに/または競合解決メッセージを再送する際に占有される時間リソースおよび周波数リソースの開始配置もしくは配置、ならびに/またはシステム内の特定の2つの競合解決メッセージを再送する際に占有される時間リソースの間の間隔および/または周波数リソースの間の間隔、ならびに/または競合解決メッセージを再送する際に占有される時間リソースおよび周波数リソースの量は、シグナリングを使用することによって構成されるか、またはシステムによってプリセットされる。
【０３７５】
適宜、リソース決定ユニット024は、
再送RAR応答メッセージのリソースもしくはリソースインデックスとプリアンブル情報との間の対応関係およびプリセットされた時間オフセットに従って、再送RAR応答情報を送信するためのリソースを決定すること、または
再送RAR応答メッセージのリソースもしくはリソースインデックスとプリアンブル情報との間の対応関係、プリセットされた時間オフセット、およびセル共通パラメータに従って、再送RAR応答メッセージを送信するためのリソースを決定すること、または
再送RAR応答メッセージのリソースもしくはリソースインデックスとRARリソース情報との間の対応関係およびプリセットされた時間オフセットに従って、再送RAR応答メッセージを送信するためのリソースを決定すること、または
再送RAR応答メッセージのリソースもしくはリソースインデックスとRARリソース情報との間の対応関係、プリセットされた時間オフセット、およびセル共通パラメータに従って、再送RAR応答メッセージを送信するためのリソースを決定すること、または
再送RAR応答メッセージのリソースもしくはリソースインデックスと指定されたパラメータとの間の対応関係およびプリセットされた時間オフセットに従って、再送RAR応答メッセージを送信するためのリソースを決定すること、または
再送RAR応答メッセージのリソースもしくはリソースインデックスと指定されたパラメータとの間の対応関係、プリセットされた時間オフセット、およびセル共通パラメータに従って、再送RAR応答メッセージを送信するためのリソースを決定することを実行するようにさらに構成されるものとしてよく、
セル共通パラメータは、セル識別情報、サブフレーム番号、フレーム番号、タイムスロット番号、もしくは直交周波数分割多重シンボルインデックスを含み、指定されたパラメータは、RAR応答を送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０３７６】
適宜、リソース決定ユニット024は、
再送競合解決メッセージのリソースもしくはリソースインデックスとプリアンブル情報との間の対応関係およびプリセットされた時間オフセットに従って、再送競合解決メッセージを受信するためのリソースを決定すること、または
再送競合解決メッセージのリソースもしくはリソースインデックスとプリアンブル情報との間の対応関係、プリセットされた時間オフセット、およびセル共通パラメータに従って、再送競合解決メッセージを受信するためのリソースを決定すること、または
再送競合解決メッセージのリソースもしくはリソースインデックスとRARリソース情報との間の対応関係およびプリセットされた時間オフセットに従って、再送競合解決メッセージを受信するためのリソースを決定すること、または
再送競合解決メッセージのリソースもしくはリソースインデックスとRARリソース情報との間の対応関係、プリセットされた時間オフセット、およびセル共通パラメータに従って、再送競合解決メッセージを受信するためのリソースを決定すること、または
再送競合解決メッセージのリソースもしくはリソースインデックスと指定されたパラメータとの間の対応関係およびプリセットされた時間オフセットに従って、再送競合解決メッセージを受信するためのリソースを決定すること、または
再送競合解決メッセージのリソースもしくはリソースインデックスと指定されたパラメータとの間の対応関係、プリセットされた時間オフセット、およびセル共通パラメータに従って、再送競合解決メッセージを受信するためのリソースを決定することを実行するようにさらに構成されるものとしてよく、
セル共通パラメータは、セル識別情報、サブフレーム番号、フレーム番号、タイムスロット番号、もしくは直交周波数分割多重シンボルインデックスを含み、指定されたパラメータは、再送競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
前述の対応関係は、関数関係、表関係、または指定された関係であり、対応関係は、シグナリングを使用することによって構成されるか、またはシステムによってプリセットされる。
【０３７７】
それに加えて、RAR応答メッセージに使用されるリソースは、RAR応答メッセージの伝送の回数に対応し、RAR応答メッセージの伝送の異なる回数で使用されるリソースは、時間、および/または周波数、および/またはコードワードに関して直交しており、
競合解決メッセージに使用されるリソースは、競合解決メッセージの伝送の回数に対応し、競合解決メッセージの伝送の異なる回数で使用されるリソースは、時間、および/または周波数、および/またはコードワードに関して直交しており、
第1のメッセージの伝送は、事前定義された第1のメッセージ構成を使用することによって実行され、第1の情報は、RARメッセージ、またはRAR応答メッセージ、または競合解決メッセージ、または再送RAR応答メッセージ、または再送競合解決メッセージであり、第1のメッセージ構成は、変調符号化方式、伝送ブロックのサイズ、電力設定のうちの1つまたは複数を含むことに留意されたい。
【０３７８】
本発明のこの実施形態で実現されるユーザ機器が暗黙の方式を受けることは、ランダムアクセスプリアンブルインデックスの識別子を指示するために使用され、ランダムアクセスプリアンブルインデックスの識別子のビットの量が低減され、これにより、RARメッセージが簡素化され得るか、または、指定されたパラメータに従ってランダムアクセスプリアンブルが設定されるものとしてよく、次いで、対応するランダムアクセスプリアンブルインデックスの識別子のビットの量が、設定されたランダムアクセスプリアンブルに従って設定されるか、または、RARメッセージが一時識別子を指示するためのビットもしくはフィールドを含まないようにされ得るか、または、RARメッセージがアップリンクスケジューリング/グラント情報を含まないようにされ得るか、または、タイミングアドバンスコマンドが事前定義されるものとしてよく、事前定義されたタイミングアドバンスコマンドの調整精度は、指定された調整精度よりも大きく、ランダムアクセスの手順におけるメッセージは、簡素化され、それと同時に、RAR応答メッセージを伝送し、競合解決メッセージを伝送し、RAR応答メッセージを再送し、競合解決メッセージを再送するために使用されるリソースは、プリセットされ、それにより、スケジューリングを通じてリソースを割り振る必要がなくなり、それによって、ランダムアクセスのプロセスを簡素化し、ランダムアクセスのプロセスにおける情報伝送の信頼性を改善する。
【０３７９】
本発明の一実施形態は、別の基地局03をさらに実現し、図9に示されているように、基地局03は、バス031と、バス031に接続されているプロセッサ032、メモリ033、およびインターフェース034とを備え、メモリは、命令を記憶するように構成され、
インターフェース034は、ユーザ機器によって送信されたランダムアクセスプリアンブルを受信するように構成され、
プロセッサ032は、
ユーザ機器によって送信されたランダムアクセスプリアンブルに従ってプリアンブル情報を決定することであって、プリアンブル情報は、ランダムアクセスプリアンブル、ランダムアクセスプリアンブルインデックス、ランダムアクセスプリアンブルを伝送するために使用される時間リソースのインデックス、ランダムアクセスプリアンブルを伝送するために使用される周波数リソースのインデックス、ランダムアクセスプリアンブルを伝送するために使用される時間リソースにおける開始時間リソース、およびランダムアクセスプリアンブルを伝送するために使用される開始周波数リソースのうちの1つまたは複数を含む、決定することと、
プリアンブル情報とランダムアクセス応答RARリソース情報との間の対応関係に従って、ユーザ機器によって送信されたランダムアクセスプリアンブルに対応するRARリソースを決定することであって、RARリソース情報は、RARリソース、RARリソースインデックス、RARメッセージを伝送するために使用される時間リソースのインデックス、RARメッセージを伝送するために使用される周波数リソースのインデックス、RARメッセージを伝送するために使用される時間リソースにおける開始時間リソース、およびRARメッセージを伝送するために使用される開始周波数リソースのうちの1つまたは複数を含み、ならびにプリアンブル情報とRARリソース情報との間の対応関係は、シグナリングを使用することによって構成されるか、またはシステムによってプリセットされる、決定することとを実行するように構成された命令を実行し、
インターフェース034は、ユーザ機器によって送信されたランダムアクセスプリアンブルに対応するRARリソース上でランダムアクセスプリアンブルに対応するRARメッセージをユーザ機器に送信するようにさらに構成される。
【０３８０】
RARリソースは、シグナリングを使用することによって構成されるか、またはシステムによってプリセットされ、シグナリングを使用することによって構成されるか、またはシステムによってプリセットされたRARリソースのうちの各RARリソースは、1つまたは複数のランダムアクセスプリアンブルに対応する。
【０３８１】
適宜、シグナリングを使用することによって構成されるか、またはシステムによってプリセットされたRARリソースは、
RARメッセージを伝送する際に占有される時間リソースの配置および/もしくは周波数リソースの配置、ならびに/または
RARメッセージを伝送する際に占有される時間リソースの開始配置および/もしくは周波数リソースの開始配置、ならびに/または
RARメッセージを伝送する際に占有される時間リソースのサイズおよび/もしくは周波数リソースのサイズ、ならびに/または
異なるRARを伝送する際に占有される時間リソース間の時間間隔および/もしくは周波数間隔、ならびに/または
1つの事前指定された時間範囲に含まれ、RARメッセージを伝送する際に占有される時間リソースの量、および1つの事前指定された周波数範囲に含まれ、RARメッセージを伝送する際に占有される周波数リソースの量を含む。
【０３８２】
適宜、一実装方式において、N個のRARリソースが、シグナリングを使用することによって構成されるか、またはシステムによってプリセットされ、N個のRARリソースが、N個のランダムアクセスプリアンブルに対応し、Nが1よりも大きい正整数である場合に、プリアンブル情報とRARリソース情報との間の対応関係は、
各ランダムアクセスプリアンブルが1つのRARリソースもしくはRARリソースインデックスに対応し、異なるランダムアクセスプリアンブルに対応するRARリソースもしくはRARリソースインデックスが異なること、または
各ランダムアクセスプリアンブルインデックスが1つのRARリソースもしくはRARリソースインデックスに対応し、異なるランダムアクセスプリアンブルインデックスに対応するRARリソースもしくはRARリソースインデックスが異なることを含む。
【０３８３】
適宜、1つのRARリソースがただ1つのランダムアクセスプリアンブルに対応する場合、RARリソース上で基地局によって伝送される媒体アクセス制御MACパケットデータユニットPDUに含まれるRARメッセージは、ランダムアクセスプリアンブルまたはランダムアクセスプリアンブルインデックスを指示するための識別子を含まない。
【０３８４】
適宜に、別の実装方式において、N個のRARリソースが、シグナリングを使用することによって構成されるか、またはシステムによってプリセットされ、N個のRARリソースが、M個のランダムアクセスプリアンブルに対応し、NおよびMが1よりも大きい正整数であり、M>Nである場合に、プリアンブル情報とRARリソース情報との間の対応関係は、
各RARリソースまたはRARリソースインデックスが、少なくとも1つのランダムアクセスプリアンブルに対応し、複数のランダムアクセスプリアンブルに対応する少なくとも1つのRARリソースもしくはRARリソースインデックスがあること、または
各RARリソースまたはRARリソースインデックスが、少なくとも1つのランダムアクセスプリアンブルインデックスに対応し、複数のランダムアクセスプリアンブルインデックスに対応する少なくとも1つのRARリソースもしくはRARリソースインデックスがあることを含む。
【０３８５】
たとえば、1つのRARリソースが、複数のランダムアクセスプリアンブルに対応する場合、RARリソース上で基地局によって伝送されるMAC PDUに含まれるRARメッセージは、ランダムアクセスプリアンブルもしくはランダムアクセスプリアンブルインデックスを指示するための識別子を含み、識別子の長さは、kビットに等しく、k=ceil(log2(RARリソースに対応するランダムアクセスプリアンブルの量))であり、ここにおいて、ceilは切り上げの関数を表し、logは対数関数を表す、または
RARリソースのうちの少なくとも1つのRARリソースが、複数のランダムアクセスプリアンブルに対応する場合、各RARリソース上で伝送されるMAC PDUに含まれるRARメッセージは、ランダムアクセスプリアンブルもしくはランダムアクセスプリアンブルインデックスを指示するための識別子を含み、識別子の長さは、hビット以下であり、h=ceil(log2(max(第1のRARリソースに対応するランダムアクセスプリアンブルの量、第2のRARリソースに対応するランダムアクセスプリアンブルの量、...、第NのRARリソースに対応するランダムアクセスプリアンブルの量)))であり、ここにおいて、ceilは切り上げの関数を表し、logは対数関数を表し、maxは最大値関数を表し、Nは1よりも大きい正整数である。
【０３８６】
代替的に、たとえば、N個のRARリソースがシグナリングを使用することによって構成されるか、またはシステムによってプリセットされ、N=2kである場合、
ランダムアクセスプリアンブルのプリアンブルインデックスは、sビットによって指示され、sビットのうちのkビットは、ランダムアクセスプリアンブルに対応するRARリソースインデックスに対応するkビットに従って決定され、sビットのうちの残りの(s-k)ビットは、ランダムアクセスプリアンブルまたはランダムアクセスプリアンブルインデックスを指示するための識別子を使用することによって決定される。
【０３８７】
適宜、プリアンブル情報とRARリソース情報との間の対応関係は、関数関係、表関係、または指定された関係であり、
プリアンブル情報とRARリソース情報との間の対応関係は、シグナリングを使用することによって構成されるか、またはシステムによってプリセットされ、シグナリングは、ブロードキャストまたはマルチキャストシグナリングを含み、プリアンブル情報とRARリソース情報との間の、シグナリングを使用することによって構成されるか、またはシステムによってプリセットされた、対応関係は、
ランダムアクセスプリアンブルとRARリソースとの間の対応関係、または
ランダムアクセスプリアンブルインデックスとRARリソースとの間の対応関係、または
ランダムアクセスプリアンブルとRARリソースインデックスとの間の対応関係、または
ランダムアクセスプリアンブルインデックスとRARリソースインデックスとの間の対応関係を含む。
【０３８８】
たとえば、プリアンブル情報とRARリソース情報との間の対応関係は、
ランダムアクセスプリアンブルに対応するRARリソースインデックス=ランダムアクセスプリアンブルインデックスmodシグナリングを使用することによって構成されるか、またはシステムによってプリセットされたRARリソースの量、を含むものとしてよく、ここにおいてmodはモジュロ演算を表す。
【０３８９】
適宜、シグナリングを使用することによって構成されるか、またはシステムによってプリセットされたRARリソースの異なるRARリソースに対応するランダムアクセスプリアンブルは、同じであるか、または部分的に同じであるか、または完全に異なり得る。
【０３９０】
適宜、プロセッサ032は、
指定されたパラメータとランダムアクセスプリアンブルとの間の対応関係に従って、指定されたパラメータに対応するランダムアクセスプリアンブルを決定することと、
指定されたパラメータに対応するランダムアクセスプリアンブルに従って、MAC PDUに含まれるRARメッセージにおいて、ランダムアクセスプリアンブルまたはランダムアクセスプリアンブルインデックスを指示するための、識別子のビットの量を決定することとをさらに実行する命令を実行する。
【０３９１】
指定されたパラメータとランダムアクセスプリアンブルとの間の対応関係は、シグナリングを使用することによって構成されるか、またはシステムによってプリセットされ、ランダムアクセスプリアンブル、およびランダムアクセスプリアンブルまたはランダムアクセスプリアンブルインデックスを指示するための識別子のビットの量は、シグナリングを使用することによって構成されるか、またはシステムによってプリセットされ、
指定されたパラメータは、経路損失値もしくは範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０３９２】
適宜、ランダムアクセスプリアンブルに対応するRARメッセージは、一時識別子を指示するためのビットもしくはフィールドを含まず、一時識別子は、セル無線ネットワーク一時識別子、もしくは一時セル無線ネットワーク一時識別子を含む。
【０３９３】
適宜、ランダムアクセスプリアンブルに対応するRARメッセージは、アップリンクスケジューリング/グラント情報を含まない。
【０３９４】
適宜、ランダムアクセスプリアンブルに対応するRARメッセージは、事前定義されたタイミングアドバンスコマンドを含み、事前定義されたタイミングアドバンスコマンドの調整精度は、指定された調整精度よりも大きい。
【０３９５】
適宜、プリアンブル情報とRARリソース情報との間の対応関係は、1つまたは複数のセル共通パラメータをさらに含み、セル共通パラメータは、セル識別情報、サブフレーム番号、フレーム番号、タイムスロット番号、もしくは直交周波数分割多重シンボルインデックスを含む。
【０３９６】
適宜、RARメッセージを伝送する際に占有される時間リソースの開始時刻とユーザ機器によってランダムアクセスプリアンブルを伝送する際に占有される時間リソースの開始時刻との間にプリセットされたタイミング関係もしくはプリセットされた時間オフセットが存在するか、またはRARメッセージを伝送する際に占有される時間リソースの終了時刻とユーザ機器によってランダムアクセスプリアンブルを伝送する際に占有される時間リソースの終了時刻との間にプリセットされたタイミング関係もしくはプリセットされた時間オフセットが存在する。
【０３９７】
適宜、インターフェース034は、ユーザ機器によって送信されたRAR応答メッセージを受信するようにさらに構成され、RAR応答メッセージは、無線リソース制御RRC接続要求を含み、
RRC接続要求は、第1のユーザ識別情報を指示するためのビットまたはフィールドを含み、第1のユーザ識別情報は、ランダムアクセスの競合衝突解決においてユーザ機器を区別するために使用され、第1のユーザ識別情報を指示するためのビットまたはフィールドに含まれるビットの量は、第1の指定されたビットの量よりも少ない。
【０３９８】
適宜、RRC接続要求は、事前定義された確立原因をさらに含み、事前定義された確立原因を指示するためのビットの量は、第2の指定されたビットの量よりも多い。
【０３９９】
適宜、RAR応答メッセージを伝送するために使用されるリソースは、シグナリングを使用することによって構成されるか、またはシステムによってプリセットされ、シグナリングを使用することによって構成されるか、またはシステムによってプリセットされ、RAR応答メッセージを伝送するために使用されるリソースは、
RAR応答メッセージを伝送する際に占有される時間リソースの配置および/もしくは周波数リソースの配置、ならびに/または
RAR応答メッセージを伝送する際に占有される時間リソースの開始配置および/もしくは周波数リソースの開始配置、ならびに/または
RAR応答メッセージを伝送する際に占有される時間リソースのサイズおよび/もしくは周波数リソースのサイズ、ならびに/または
異なるRAR応答メッセージを伝送する際に占有される時間リソース間の時間間隔および/または異なるRAR応答メッセージを伝送する際に占有される周波数リソース間の周波数間隔、ならびに/または
1つの事前指定された時間範囲に含まれ、RAR応答メッセージを伝送する際に占有される時間リソースの量、および1つの事前指定された周波数範囲に含まれ、RAR応答メッセージを伝送する際に占有される周波数リソースの量を含む。
【０４００】
適宜、プロセッサ032は、
RAR応答メッセージのリソースもしくはリソースインデックスとプリアンブル情報との間の対応関係に従って、RAR応答メッセージを受信するためのリソースを決定すること、または
RAR応答メッセージのリソースもしくはリソースインデックスとプリアンブル情報との間の対応関係およびセル共通パラメータに従って、RAR応答メッセージを受信するためのリソースを決定すること、または
RAR応答メッセージのリソースもしくはリソースインデックスとRARリソース情報との間の対応関係に従って、RAR応答メッセージを受信するためのリソースを決定すること、または
RAR応答メッセージのリソースもしくはリソースインデックスとRARリソース情報との間の対応関係およびセル共通パラメータに従って、RAR応答メッセージを受信するためのリソースを決定すること、または
RAR応答メッセージのリソースもしくはリソースインデックスと指定されたパラメータとの間の対応関係に従って、RAR応答メッセージを受信するためのリソースを決定すること、または
RAR応答メッセージのリソースもしくはリソースインデックスと指定されたパラメータとの間の対応関係およびセル共通パラメータに従って、RAR応答メッセージを受信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
前述の対応関係は、関数関係、表関係、または指定された関係であり、対応関係は、シグナリングを使用することによって構成されるか、またはシステムによってプリセットされる。
【０４０１】
たとえば、RAR応答メッセージのリソースインデックスとプリアンブル情報との間の対応関係は、
ランダムアクセスプリアンブルに対応するRAR応答メッセージのリソースインデックス=ランダムアクセスプリアンブルインデックスmodシグナリングを使用することによって構成されるか、またはシステムによってプリセットされたRAR応答メッセージのリソースの量、ここでmodはモジュロ演算を表す、または
RAR応答メッセージのリソースインデックス=ランダムアクセスプリアンブルに対応するRARリソースインデックス、を含む。
【０４０２】
適宜、RAR応答メッセージを伝送する際に占有される時間リソースの開始時刻とRARメッセージを伝送する際に占有される時間リソースの開始時刻との間にプリセットされたタイミング関係もしくはプリセットされた時間オフセットが存在するか、またはRAR応答メッセージを伝送する際に占有される時間リソースの終了時刻とRARメッセージを伝送する際に占有される時間リソースの終了時刻との間にプリセットされたタイミング関係もしくはプリセットされた時間オフセットが存在する。
【０４０３】
適宜、インターフェース034は、
競合解決メッセージをユーザ機器に送信するようにさらに構成されるものとしてよく、
競合解決メッセージは、第2のユーザ識別情報を指示するためのビットまたはフィールドを含み、第2のユーザ識別情報は、ランダムアクセスの競合衝突解決においてユーザ機器を区別するために使用され、第2のユーザ識別情報を指示するためのビットまたはフィールドに含まれるビットの量は、第3の指定されたビットの量よりも少ない。
【０４０４】
適宜、競合解決メッセージは、一時識別子を指示するためのビットもしくはフィールドをさらに含み、一時識別子は、セル無線ネットワーク一時識別子、もしくは一時セル無線ネットワーク一時識別子を含み得る。
【０４０５】
競合解決メッセージを伝送するために使用されるリソースは、シグナリングを使用することによって構成されるか、またはシステムによってプリセットされ、シグナリングを使用することによって構成されるか、またはシステムによってプリセットされ、競合解決メッセージを伝送するために使用されるリソースは、
競合解決メッセージを伝送する際に占有される時間リソースの配置および/もしくは周波数リソースの配置、ならびに/または
競合解決メッセージを伝送する際に占有される時間リソースの開始配置および/もしくは周波数リソースの開始配置、ならびに/または
競合解決メッセージを伝送する際に占有される時間リソースのサイズおよび/もしくは周波数リソースのサイズ、ならびに/または
異なる競合解決メッセージを伝送する際に占有される時間リソース間の時間間隔および/もしくは異なる競合解決メッセージを伝送する際に占有される周波数リソース間の周波数間隔、ならびに/または
1つの事前指定された時間範囲に含まれ、競合解決メッセージを伝送する際に占有される時間リソースの量、および1つの事前指定された周波数範囲に含まれ、競合解決メッセージを伝送する際に占有される周波数リソースの量を含む。
【０４０６】
適宜、プロセッサ032は、
競合解決メッセージのリソースもしくはリソースインデックスとプリアンブル情報との間の対応関係に従って、競合解決メッセージを送信するためのリソースを決定すること、または
競合解決メッセージのリソースもしくはリソースインデックスとプリアンブル情報との間の対応関係およびセル共通パラメータに従って、競合解決メッセージを送信するためのリソースを決定すること、または
競合解決メッセージのリソースもしくはリソースインデックスとRARリソース情報との間の対応関係に従って、競合解決メッセージを送信するためのリソースを決定すること、または
競合解決メッセージのリソースもしくはリソースインデックスとRARリソース情報との間の対応関係およびセル共通パラメータに従って、競合解決メッセージを送信するためのリソースを決定すること、または
競合解決メッセージのリソースもしくはリソースインデックスと指定されたパラメータとの間の対応関係に従って、競合解決メッセージを送信するためのリソースを決定すること、または
競合解決メッセージのリソースもしくはリソースインデックスと指定されたパラメータとの間の対応関係およびセル共通パラメータに従って、競合解決メッセージを送信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０４０７】
適宜、競合解決メッセージを伝送する際に占有される時間リソースの開始時刻とRAR応答メッセージを伝送する際に占有される時間リソースの開始時刻との間にプリセットされたタイミング関係もしくはプリセットされた時間オフセットが存在するか、または競合解決メッセージを伝送する際に占有される時間リソースの終了時刻とRAR応答メッセージを伝送する際に占有される時間リソースの終了時刻との間にプリセットされたタイミング関係もしくはプリセットされた時間オフセットが存在する。
【０４０８】
適宜、インターフェース034は、
ユーザ機器によって再送されたRAR応答メッセージを受信し、および/または
再送競合解決メッセージをユーザ機器に送信するようにさらに構成され得る。
【０４０９】
RAR応答メッセージを再送する際に占有される時間リソースおよび周波数リソースのサイズ、ならびに/またはRAR応答メッセージを再送する際に占有される時間リソースおよび周波数リソースの開始配置もしくは配置、ならびに/またはシステム内の特定の2つのRAR応答メッセージを再送する際に占有される時間リソースの間の間隔および/または周波数リソースの間の間隔、ならびに/またはRAR応答メッセージを再送する際に占有される時間リソースおよび周波数リソースの量は、シグナリングを使用することによって構成されるか、またはシステムによってプリセットされ、
競合解決メッセージを再送する際に占有される時間リソースおよび周波数リソースのサイズ、ならびに/または競合解決メッセージを再送する際に占有される時間リソースおよび周波数リソースの開始配置もしくは配置、ならびに/またはシステム内の特定の2つの競合解決メッセージを再送する際に占有される時間リソースの間の間隔および/または周波数リソースの間の間隔、ならびに/または競合解決メッセージを再送する際に占有される時間リソースおよび周波数リソースの量は、シグナリングを使用することによって構成されるか、またはシステムによってプリセットされる。
【０４１０】
適宜、プロセッサ032は、
再送RAR応答メッセージのリソースもしくはリソースインデックスとプリアンブル情報との間の対応関係およびプリセットされた時間オフセットに従って、再送RAR応答情報を受信するためのリソースを決定すること、または
再送RAR応答メッセージのリソースもしくはリソースインデックスとプリアンブル情報との間の対応関係、プリセットされた時間オフセット、およびセル共通パラメータに従って、再送RAR応答メッセージを受信するためのリソースを決定すること、または
再送RAR応答メッセージのリソースもしくはリソースインデックスとRARリソース情報との間の対応関係およびプリセットされた時間オフセットに従って、再送RAR応答メッセージを受信するためのリソースを決定すること、または
再送RAR応答メッセージのリソースもしくはリソースインデックスとRARリソース情報との間の対応関係、プリセットされた時間オフセット、およびセル共通パラメータに従って、再送RAR応答メッセージを受信するためのリソースを決定すること、または
再送RAR応答メッセージのリソースもしくはリソースインデックスと指定されたパラメータとの間の対応関係およびプリセットされた時間オフセットに従って、再送RAR応答メッセージを受信するためのリソースを決定すること、または
再送RAR応答メッセージのリソースもしくはリソースインデックスと指定されたパラメータとの間の対応関係、プリセットされた時間オフセット、およびセル共通パラメータに従って、再送RAR応答メッセージを受信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、RAR応答を送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
前述の対応関係は、関数関係、表関係、または指定された関係であり、対応関係は、シグナリングを使用することによって構成されるか、またはシステムによってプリセットされる。
【０４１１】
適宜、プロセッサ032は、
再送競合解決メッセージのリソースもしくはリソースインデックスとプリアンブル情報との間の対応関係およびプリセットされた時間オフセットに従って、再送競合解決メッセージを送信するためのリソースを決定すること、または
再送競合解決メッセージのリソースもしくはリソースインデックスとプリアンブル情報との間の対応関係、プリセットされた時間オフセット、およびセル共通パラメータに従って、再送競合解決メッセージを送信するためのリソースを決定すること、または
再送競合解決メッセージのリソースもしくはリソースインデックスとRARリソース情報との間の対応関係およびプリセットされた時間オフセットに従って、再送競合解決メッセージを送信するためのリソースを決定すること、または
再送競合解決メッセージのリソースもしくはリソースインデックスとRARリソース情報との間の対応関係、プリセットされた時間オフセット、およびセル共通パラメータに従って、再送競合解決メッセージを送信するためのリソースを決定すること、または
再送競合解決メッセージのリソースもしくはリソースインデックスと指定されたパラメータとの間の対応関係およびプリセットされた時間オフセットに従って、再送競合解決メッセージを送信するためのリソースを決定すること、または
再送競合解決メッセージのリソースもしくはリソースインデックスと指定されたパラメータとの間の対応関係、プリセットされた時間オフセット、およびセル共通パラメータに従って、再送競合解決メッセージを送信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、再送競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
対応関係は、関数関係、表関係、または指定された関係であり、対応関係は、シグナリングを使用することによって構成されるか、またはシステムによってプリセットされる。
【０４１２】
それに加えて、RAR応答メッセージに使用されるリソースは、RAR応答メッセージの伝送の回数に対応し、RAR応答メッセージの伝送の異なる回数で使用されるリソースは、時間、および/または周波数、および/またはコードワードに関して直交しており、
競合解決メッセージに使用されるリソースは、競合解決メッセージの伝送の回数に対応し、競合解決メッセージの伝送の異なる回数で使用されるリソースは、時間、および/または周波数、および/またはコードワードに関して直交しており、
第1のメッセージの伝送は、事前定義された第1のメッセージ構成を使用することによって実行され、第1の情報は、RARメッセージ、またはRAR応答メッセージ、または競合解決メッセージ、または再送RAR応答メッセージ、または再送競合解決メッセージであり、第1のメッセージ構成は、変調符号化方式、伝送ブロックのサイズ、電力設定のうちの1つまたは複数を含むことに留意されたい。
【０４１３】
適宜、第1の情報を伝送するために使用されるリソースが、シグナリングを使用することによって構成される場合、プロセッサ032は、
構成シグナリングをユーザ機器に送信することをさらに実行する命令を実行し、構成シグナリングは、第1の情報を伝送するために使用されるリソースをユーザ機器に通知するために使用される。
【０４１４】
本発明のこの実施形態で実現される基地局を用いて、ランダムアクセスプリアンブルインデックスの識別子を指示するための暗黙の方式が使用され、ランダムアクセスプリアンブルインデックスの識別子のビットの量が低減され、これにより、RARメッセージが簡素化され得るか、または、指定されたパラメータに従ってランダムアクセスプリアンブルが設定されるものとしてよく、次いで、対応するランダムアクセスプリアンブルインデックスの識別子のビットの量が、設定されたランダムアクセスプリアンブルに従って設定されるか、または、RARメッセージが一時識別子を指示するためのビットもしくはフィールドを含まないようにされ得るか、または、RARメッセージがアップリンクスケジューリング/グラント情報を含まないようにされ得るか、または、タイミングアドバンスコマンドが事前定義されるものとしてよく、事前定義されたタイミングアドバンスコマンドの調整精度は、指定された調整精度よりも大きく、ランダムアクセスの手順におけるメッセージは、簡素化され、それと同時に、RAR応答メッセージを伝送し、競合解決メッセージを伝送し、RAR応答メッセージを再送し、競合解決メッセージを再送するために使用されるリソースは、プリセットされ、それにより、スケジューリングを通じてリソースを割り振る必要がなくなり、それによって、ランダムアクセスのプロセスを簡素化し、ランダムアクセスのプロセスにおける情報伝送の信頼性を改善する。
【０４１５】
本発明の一実施形態は、別のユーザ機器04をさらに実現する。図10に示されているように、ユーザ機器は、バス041と、バス041に接続されているプロセッサ042、メモリ043、およびインターフェース044とを備える。メモリ044は、命令を記憶するように構成され、
プロセッサ042は、ランダムアクセスプリアンブルを決定する命令を実行し、
インターフェース034は、基地局に第1のランダムアクセスプリアンブルを送信するように構成され、
プロセッサ042は、
第1のランダムアクセスプリアンブルに従ってプリアンブル情報を決定することであって、プリアンブル情報はランダムアクセスプリアンブル、ランダムアクセスプリアンブルインデックス、ランダムアクセスプリアンブルを伝送するために使用される時間リソースのインデックス、ランダムアクセスプリアンブルを伝送するために使用される周波数リソースのインデックス、ランダムアクセスプリアンブルを伝送するために使用される時間リソースにおける開始時間リソース、およびランダムアクセスプリアンブルを伝送するために使用される開始周波数リソースのうちの1つまたは複数を含む、決定することと、
プリアンブル情報とランダムアクセス応答RARリソース情報との間の対応関係に従って第1のランダムアクセスプリアンブルに対応するRARリソースを決定することであって、RARリソース情報は、RARリソース、RARリソースインデックス、RARメッセージを伝送するために使用される時間リソースのインデックス、RARメッセージを伝送するために使用される周波数リソースのインデックス、RARメッセージを伝送するために使用される時間リソースにおける開始時間リソース、およびRARメッセージを伝送するために使用される開始周波数リソースのうちの1つまたは複数を含み、ならびにプリアンブル情報とRARリソース情報との間の対応関係は、シグナリングを使用することによって構成されるか、またはシステムによってプリセットされる、決定することとをさらに実行する命令を実行する。
【０４１６】
インターフェース044は、第1のランダムアクセスプリアンブルに対応するRARリソース上で、基地局によって送信された媒体アクセス制御MACパケットデータユニットPDUを受信するようにさらに構成され、
プロセッサ042は、MAC PDUが第1のランダムアクセスプリアンブルに対応するRARメッセージを含むかどうかをさらに決定する命令を実行する。
【０４１７】
RARリソースは、シグナリングを使用することによって構成され、シグナリングは、基地局またはシステムがRARリソースをプリセットした後に送信され、プリセットされたRARリソースのうちの各RARリソースは、1つまたは複数のランダムアクセスプリアンブルに対応する。
【０４１８】
適宜、シグナリングを使用することによって構成されたRARリソースは、
RARメッセージを伝送する際に占有される時間リソースの配置および/もしくは周波数リソースの配置、ならびに/または
RARメッセージを伝送する際に占有される時間リソースの開始配置および/もしくは周波数リソースの開始配置、ならびに/または
RARメッセージを伝送する際に占有される時間リソースのサイズおよび/もしくは周波数リソースのサイズ、ならびに/または
異なるRARを伝送する際に占有される時間リソース間の時間間隔および/もしくは周波数間隔、ならびに/または
1つの事前指定された時間範囲に含まれ、RARメッセージを伝送する際に占有される時間リソースの量、および1つの事前指定された周波数範囲に含まれ、RARメッセージを伝送する際に占有される周波数リソースの量を含む。
【０４１９】
適宜、一実装方式において、N個のRARリソースが、シグナリングを使用することによって構成されるか、またはシステムによってプリセットされ、N個のRARリソースが、N個のランダムアクセスプリアンブルに対応し、Nが1よりも大きい正整数である場合に、プリアンブル情報とRARリソース情報との間の対応関係は、
各ランダムアクセスプリアンブルが1つのRARリソースもしくはRARリソースインデックスに対応し、異なるランダムアクセスプリアンブルに対応するRARリソースもしくはRARリソースインデックスが異なること、または
各ランダムアクセスプリアンブルインデックスが1つのRARリソースもしくはRARリソースインデックスに対応し、異なるランダムアクセスプリアンブルインデックスに対応するRARリソースもしくはRARリソースインデックスが異なることを含む。
【０４２０】
適宜、1つのRARリソースがただ1つのランダムアクセスプリアンブルに対応する場合、RARリソース上で伝送される媒体アクセス制御MACパケットデータユニットPDUに含まれるRARメッセージは、ランダムアクセスプリアンブルまたはランダムアクセスプリアンブルインデックスを指示するための識別子を含まない。
【０４２１】
適宜に、別の実装方式において、N個のRARリソースが、シグナリングを使用することによって構成されるか、またはシステムによってプリセットされ、N個のRARリソースが、M個のランダムアクセスプリアンブルに対応し、NおよびMが1よりも大きい正整数であり、M>Nである場合に、プリアンブル情報とRARリソース情報との間の対応関係は、
各RARリソースまたはRARリソースインデックスが、少なくとも1つのランダムアクセスプリアンブルに対応し、複数のランダムアクセスプリアンブルに対応する少なくとも1つのRARリソースもしくはRARリソースインデックスがあること、または
各RARリソースまたはRARリソースインデックスが、少なくとも1つのランダムアクセスプリアンブルインデックスに対応し、複数のランダムアクセスプリアンブルインデックスに対応する少なくとも1つのRARリソースもしくはRARリソースインデックスがあることを含む。
【０４２２】
たとえば、1つのRARリソースが、複数のランダムアクセスプリアンブルに対応する場合、RARリソース上で伝送されるMAC PDUに含まれるRARメッセージは、ランダムアクセスプリアンブルもしくはランダムアクセスプリアンブルインデックスを指示するための識別子を含み、識別子の長さは、kビットに等しく、k=ceil(log2(RARリソースに対応するランダムアクセスプリアンブルの量))であり、ここにおいて、ceilは切り上げの関数を表し、logは対数関数を表す、または
RARリソースのうちの少なくとも1つのRARリソースが、複数のランダムアクセスプリアンブルに対応する場合、各RARリソース上で伝送されるMAC PDUに含まれるRARメッセージは、ランダムアクセスプリアンブルもしくはランダムアクセスプリアンブルインデックスを指示するための識別子を含み、識別子の長さは、hビット以下であり、h=ceil(log2(max(第1のRARリソースに対応するランダムアクセスプリアンブルの量、第2のRARリソースに対応するランダムアクセスプリアンブルの量、...、第NのRARリソースに対応するランダムアクセスプリアンブルの量)))であり、ここにおいて、ceilは切り上げの関数を表し、logは対数関数を表し、maxは最大値関数を表し、Nは1よりも大きい正整数である。
【０４２３】
適宜、プロセッサ042は、
RARメッセージが配置されているRARリソースまたはRARリソースインデックスに対応するビットが、ランダムアクセスプリアンブルおよび第1のランダムアクセスプリアンブルと同じであり、ランダムアクセスプリアンブルはランダムアクセスプリアンブルまたはランダムアクセスプリアンブルインデックスを指示するための識別子によって指示され、識別子はMAC PDUに含まれるRARメッセージに含まれる場合に、MAC PDUが第1のランダムアクセスプリアンブルに対応するRARメッセージを含むと決定すること、または
RARメッセージが配置されているRARリソースまたはRARリソースインデックスに対応するビットが、ランダムアクセスプリアンブルインデックスおよびユーザ機器によって決定される第1のランダムアクセスプリアンブルインデックスと同じであり、ランダムアクセスプリアンブルインデックスはランダムアクセスプリアンブルまたはランダムアクセスプリアンブルインデックスを指示するための識別子によって指示され、識別子はMAC PDUに含まれるRARメッセージに含まれる場合に、MAC PDUが第1のランダムアクセスプリアンブルに対応するRARメッセージを含むと決定すること、または
第1のランダムアクセスプリアンブルに対応するRARリソース上で受信されたMAC PDUに含まれるRARメッセージに含まれる、ランダムアクセスプリアンブルまたはランダムアクセスプリアンブルインデックスを指示するための、識別子の状態が、第1のランダムアクセスプリアンブルに対応するビットのうちのaビットの状態と同じである場合に、MAC PDUが、第1のランダムアクセスプリアンブルに対応するRARメッセージを含み、aはランダムアクセスプリアンブルまたはランダムアクセスプリアンブルインデックスを指示するための識別子のビットの量に等しく、第1のランダムアクセスプリアンブルインデックスに対応するビット内のaビットの配置は事前指定される、と決定することをさらに実行する命令を実行する。
【０４２４】
代替的に、たとえば、N個のRARリソースがシグナリングを使用することによって構成されるか、またはシステムによってプリセットされ、N=2kである場合、
ランダムアクセスプリアンブルのプリアンブルインデックスは、sビットによって指示され、sビットのうちのkビットは、ランダムアクセスプリアンブルに対応するRARリソースインデックスに対応するkビットに従って決定され、sビットのうちの残りの(s-k)ビットは、ランダムアクセスプリアンブルまたはランダムアクセスプリアンブルインデックスを指示するための識別子を使用することによって決定される。
【０４２５】
適宜、プロセッサ042は、
第1のランダムアクセスプリアンブルに対応するRARリソースインデックスに対応するビット値を決定することであって、RARリソースインデックスに対応するビット値はプリセットされる、決定することと、
MAC PDU内の識別子に対応するビット値を決定することと、
ランダムアクセスプリアンブルに対応するRARリソースインデックスに対応するビット値とMAC PDU内の識別子に対応するビット値とを組み合わせてsビットを取得することと、
sビットによって指示されるランダムアクセスプリアンブルを決定することと、
第1のランダムアクセスプリアンブルがsビットによって指示されるランダムアクセスプリアンブルと同じであるかどうかを決定し、第1のランダムアクセスプリアンブルがsビットによって指示されるランダムアクセスプリアンブルと同じである場合に、MAC PDUが第1のランダムアクセスプリアンブルに対応するRARメッセージを含むと決定するか、または第1のランダムアクセスプリアンブルが、sビットによって指示されるランダムアクセスプリアンブルと異なる場合に、MAC PDUが第1のランダムアクセスプリアンブルに対応するRARメッセージを含まないと決定することとをさらに実行する命令を実行する。
【０４２６】
適宜、プリアンブル情報とRARリソース情報との間の対応関係は、関数関係、表関係、または指定された関係であり、
プリアンブル情報とRARリソース情報との間の対応関係は、シグナリングを使用することによって構成されるか、またはシステムによってプリセットされ、プリアンブル情報とRARリソース情報との間の、シグナリングを使用することによって構成されるか、またはシステムによってプリセットされた、対応関係は、
ランダムアクセスプリアンブルとRARリソースとの間の対応関係、または
ランダムアクセスプリアンブルインデックスとRARリソースとの間の対応関係、または
ランダムアクセスプリアンブルとRARリソースインデックスとの間の対応関係、または
ランダムアクセスプリアンブルインデックスとRARリソースインデックスとの間の対応関係を含む。
【０４２７】
たとえば、プリアンブル情報とRARリソース情報との間の対応関係は、
ランダムアクセスプリアンブルに対応するRARリソースインデックス=ランダムアクセスプリアンブルインデックスmodシグナリングを使用することによって構成されるか、またはシステムによってプリセットされたRARリソースの量、を含むものとしてよく、ここにおいてmodはモジュロ演算を表す。
【０４２８】
適宜、シグナリングを使用することによって構成されたRARリソースの異なるRARリソースに対応するランダムアクセスプリアンブルは、同じであるか、または部分的に同じであるか、または完全に異なり得る。
【０４２９】
適宜、MAC PDUに含まれるRARメッセージにおいて、ランダムアクセスプリアンブルまたはランダムアクセスプリアンブルインデックスを指示するための、識別子のビットの量は、指定されたパラメータとランダムアクセスプリアンブルとの間の対応関係に従って基地局によって決定される。
【０４３０】
指定されたパラメータとランダムアクセスプリアンブルとの間の対応関係は、シグナリングを使用することによって構成されるか、またはシステムによってプリセットされ、ランダムアクセスプリアンブルまたはランダムアクセスプリアンブルインデックスを指示するための識別子のビットの量は、シグナリングを使用することによって構成されるか、またはシステムによってプリセットされる。
【０４３１】
指定されたパラメータは、経路損失値もしくは範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含む。
【０４３２】
適宜、第1のランダムアクセスプリアンブルに対応するRARメッセージは、一時識別子を指示するためのビットもしくはフィールドを含まず、一時識別子は、セル無線ネットワーク一時識別子として、もしくは一時セル無線ネットワーク一時識別子を含む。
【０４３３】
適宜、第1のランダムアクセスプリアンブルに対応するRARメッセージは、アップリンクスケジューリング/グラント情報を含まない。
【０４３４】
適宜、第1のランダムアクセスプリアンブルに対応するRARメッセージは、事前定義されたタイミングアドバンスコマンドを含み、事前定義されたタイミングアドバンスコマンドの調整精度は、指定された調整精度よりも大きい。
【０４３５】
適宜、プリアンブル情報とRARリソース情報との間の対応関係は、1つまたは複数のセル共通パラメータをさらに含み、セル共通パラメータは、セル識別情報、サブフレーム番号、フレーム番号、タイムスロット番号、もしくは直交周波数分割多重シンボルインデックスを含む。
【０４３６】
適宜、RARメッセージを伝送する際に占有される時間リソースの開始時刻とユーザ機器によってランダムアクセスプリアンブルを伝送する際に占有される時間リソースの開始時刻との間にプリセットされたタイミング関係もしくはプリセットされた時間オフセットが存在するか、またはRARメッセージを伝送する際に占有される時間リソースの終了時刻とユーザ機器によってランダムアクセスプリアンブルを伝送する際に占有される時間リソースの終了時刻との間にプリセットされたタイミング関係もしくはプリセットされた時間オフセットが存在する。
【０４３７】
適宜、インターフェース044は、RAR応答メッセージを基地局に送信するようにさらに構成されるものとしてもよく、RAR応答メッセージは、無線リソース制御RRC接続要求を含み、
RRC接続要求は、第1のユーザ識別情報を指示するためのビットまたはフィールドを含み、第1のユーザ識別情報は、ランダムアクセスの競合衝突解決においてユーザ機器を区別するために使用され、第1のユーザ識別情報を指示するためのビットまたはフィールドに含まれるビットの量は、第1の指定されたビットの量よりも少ない。
【０４３８】
適宜、RRC接続要求は、事前定義された確立原因をさらに含み、事前定義された確立原因を指示するためのビットの量は、第2の指定されたビットの量よりも多い。
【０４３９】
適宜、RAR応答メッセージを伝送するために使用されるリソースは、シグナリングを使用することによって構成されるか、またはシステムによってプリセットされ、シグナリングを使用することによって構成されるか、またはシステムによってプリセットされ、RAR応答メッセージを伝送するために使用されるリソースは、
RAR応答メッセージを伝送する際に占有される時間リソースの配置および/もしくは周波数リソースの配置、ならびに/または
RAR応答メッセージを伝送する際に占有される時間リソースの開始配置および/もしくは周波数リソースの開始配置、ならびに/または
RAR応答メッセージを伝送する際に占有される時間リソースのサイズおよび/もしくは周波数リソースのサイズ、ならびに/または
異なるRAR応答メッセージを伝送する際に占有される時間リソース間の時間間隔および/または異なるRAR応答メッセージを伝送する際に占有される周波数リソース間の周波数間隔、ならびに/または
1つの事前指定された時間範囲に含まれ、RAR応答メッセージを伝送する際に占有される時間リソースの量、および1つの事前指定された周波数範囲に含まれ、RAR応答メッセージを伝送する際に占有される周波数リソースの量を含む。
【０４４０】
適宜、プロセッサ042は、
RAR応答メッセージのリソースもしくはリソースインデックスとプリアンブル情報との間の対応関係に従って、RAR応答メッセージを送信するためのリソースを決定すること、または
RAR応答メッセージのリソースもしくはリソースインデックスとプリアンブル情報との間の対応関係およびセル共通パラメータに従って、RAR応答メッセージを送信するためのリソースを決定すること、または
RAR応答メッセージのリソースもしくはリソースインデックスとRARリソース情報との間の対応関係に従って、RAR応答メッセージを送信するためのリソースを決定すること、または
RAR応答メッセージのリソースもしくはリソースインデックスとRARリソース情報との間の対応関係およびセル共通パラメータに従って、RAR応答メッセージを送信するためのリソースを決定すること、または
RAR応答メッセージのリソースもしくはリソースインデックスと指定されたパラメータとの間の対応関係に従って、RAR応答メッセージを送信するためのリソースを決定すること、または
RAR応答メッセージのリソースもしくはリソースインデックスと指定されたパラメータとの間の対応関係およびセル共通パラメータに従って、RARメッセージを送信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
前述の対応関係は、関数関係、表関係、または指定された関係であり、対応関係は、シグナリングを使用することによって構成されるか、またはシステムによってプリセットされる。
【０４４１】
たとえば、RAR応答メッセージのリソースインデックスとプリアンブル情報との間の対応関係は、
ランダムアクセスプリアンブルに対応するRAR応答メッセージのリソースインデックス=ランダムアクセスプリアンブルインデックスmodシグナリングを使用することによって構成されるか、またはシステムによってプリセットされたRAR応答メッセージのリソースの量、ここでmodはモジュロ演算を表す、または
RAR応答メッセージのリソースインデックス=ランダムアクセスプリアンブルに対応するRARリソースインデックス、を含み得る。
【０４４２】
適宜、RAR応答メッセージを伝送する際に占有される時間リソースの開始時刻とRARメッセージを伝送する際に占有される時間リソースの開始時刻との間にプリセットされたタイミング関係もしくはプリセットされた時間オフセットが存在するか、またはRAR応答メッセージを伝送する際に占有される時間リソースの終了時刻とRARメッセージを伝送する際に占有される時間リソースの終了時刻との間にプリセットされたタイミング関係もしくはプリセットされた時間オフセットが存在する。
【０４４３】
適宜、インターフェース044は、
基地局によって送信された競合解決メッセージを受信するようにさらに構成されるものとしてよく、
競合解決メッセージは、第2のユーザ識別情報を指示するためのビットまたはフィールドを含み、第2のユーザ識別情報は、ランダムアクセスの競合衝突解決においてユーザ機器を区別するために使用され、第2のユーザ識別情報を指示するためのビットまたはフィールドに含まれるビットの量は、第3の指定されたビットの量よりも少ない。
【０４４４】
適宜、競合解決メッセージは、一時識別子を指示するためのビットもしくはフィールドをさらに含み、一時識別子は、セル無線ネットワーク一時識別子、もしくは一時セル無線ネットワーク一時識別子を含む。
【０４４５】
適宜、競合解決メッセージを伝送するために使用されるリソースは、シグナリングを使用することによって構成されるか、またはシステムによってプリセットされ、シグナリングを使用することによって構成されるか、またはシステムによってプリセットされ、競合解決メッセージを伝送するために使用されるリソースは、
競合解決メッセージを伝送する際に占有される時間リソースの配置および/もしくは周波数リソースの配置、ならびに/または
競合解決メッセージを伝送する際に占有される時間リソースの開始配置および/もしくは周波数リソースの開始配置、ならびに/または
競合解決メッセージを伝送する際に占有される時間リソースのサイズおよび/もしくは周波数リソースのサイズ、ならびに/または
異なる競合解決メッセージを伝送する際に占有される時間リソース間の時間間隔および/もしくは異なる競合解決メッセージを伝送する際に占有される周波数リソース間の周波数間隔、ならびに/または
1つの事前指定された時間範囲に含まれ、競合解決メッセージを伝送する際に占有される時間リソースの量、および1つの事前指定された周波数範囲に含まれ、競合解決メッセージを伝送する際に占有される周波数リソースの量を含む。
【０４４６】
適宜、プロセッサ042は、
競合解決メッセージのリソースもしくはリソースインデックスとプリアンブル情報との間の対応関係に従って、競合解決メッセージを受信するためのリソースを決定すること、または
競合解決メッセージのリソースもしくはリソースインデックスとプリアンブル情報との間の対応関係およびセル共通パラメータに従って、競合解決メッセージを受信するためのリソースを決定すること、または
競合解決メッセージのリソースもしくはリソースインデックスとRARリソース情報との間の対応関係に従って、競合解決メッセージを受信するためのリソースを決定すること、または
競合解決メッセージのリソースもしくはリソースインデックスとRARリソース情報との間の対応関係およびセル共通パラメータに従って、競合解決メッセージを受信するためのリソースを決定すること、または
競合解決メッセージのリソースもしくはリソースインデックスと指定されたパラメータとの間の対応関係に従って、競合解決メッセージを受信するためのリソースを決定すること、または
競合解決メッセージのリソースもしくはリソースインデックスと指定されたパラメータとの間の対応関係およびセル共通パラメータに従って、競合解決メッセージを受信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
前述の対応関係は、関数関係、表関係、または指定された関係であり、対応関係は、シグナリングを使用することによって構成されるか、またはシステムによってプリセットされる。
【０４４７】
適宜、競合解決メッセージを伝送する際に占有される時間リソースの開始時刻とRAR応答メッセージを伝送する際に占有される時間リソースの開始時刻との間にプリセットされたタイミング関係もしくはプリセットされた時間オフセットが存在するか、または競合解決メッセージを伝送する際に占有される時間リソースの終了時刻とRAR応答メッセージを伝送する際に占有される時間リソースの終了時刻との間にプリセットされたタイミング関係もしくはプリセットされた時間オフセットが存在する。
【０４４８】
適宜、インターフェース044は、
再送RAR応答メッセージを基地局に送信し、および/または
基地局によって再送された競合解決メッセージを受信するようにさらに構成され得る。
【０４４９】
RAR応答メッセージを再送する際に占有される時間リソースおよび周波数リソースのサイズ、ならびに/またはRAR応答メッセージを再送する際に占有される時間リソースおよび周波数リソースの開始配置もしくは配置、ならびに/またはシステム内の特定の2つのRAR応答メッセージを再送する際に占有される時間リソースの間の間隔および/または周波数リソースの間の間隔、ならびに/またはRAR応答メッセージを再送する際に占有される時間リソースおよび周波数リソースの量は、シグナリングを使用することによって構成されるか、またはシステムによってプリセットされ、
競合解決メッセージを再送する際に占有される時間リソースおよび周波数リソースのサイズ、ならびに/または競合解決メッセージを再送する際に占有される時間リソースおよび周波数リソースの開始配置もしくは配置、ならびに/またはシステム内の特定の2つの競合解決メッセージを再送する際に占有される時間リソースの間の間隔および/または周波数リソースの間の間隔、ならびに/または競合解決メッセージを再送する際に占有される時間リソースおよび周波数リソースの量は、シグナリングを使用することによって構成されるか、またはシステムによってプリセットされる。
【０４５０】
適宜、プロセッサ042は、
再送RAR応答メッセージのリソースもしくはリソースインデックスとプリアンブル情報との間の対応関係およびプリセットされた時間オフセットに従って、再送RAR応答情報を送信するためのリソースを決定すること、または
再送RAR応答メッセージのリソースもしくはリソースインデックスとプリアンブル情報との間の対応関係、プリセットされた時間オフセット、およびセル共通パラメータに従って、再送RAR応答メッセージを送信するためのリソースを決定すること、または
再送RAR応答メッセージのリソースもしくはリソースインデックスとRARリソース情報との間の対応関係およびプリセットされた時間オフセットに従って、再送RAR応答メッセージを送信するためのリソースを決定すること、または
再送RAR応答メッセージのリソースもしくはリソースインデックスとRARリソース情報との間の対応関係、プリセットされた時間オフセット、およびセル共通パラメータに従って、再送RAR応答メッセージを送信するためのリソースを決定すること、または
再送RAR応答メッセージのリソースもしくはリソースインデックスと指定されたパラメータとの間の対応関係およびプリセットされた時間オフセットに従って、再送RAR応答メッセージを送信するためのリソースを決定すること、または
再送RAR応答メッセージのリソースもしくはリソースインデックスと指定されたパラメータとの間の対応関係、プリセットされた時間オフセット、およびセル共通パラメータに従って、再送RAR応答メッセージを送信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、RAR応答を送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
前述の対応関係は、関数関係、表関係、または指定された関係であり、対応関係は、シグナリングを使用することによって構成されるか、またはシステムによってプリセットされる。
【０４５１】
適宜、プロセッサ042は、
再送競合解決メッセージのリソースもしくはリソースインデックスとプリアンブル情報との間の対応関係およびプリセットされた時間オフセットに従って、再送競合解決メッセージを受信するためのリソースを決定すること、または
再送競合解決メッセージのリソースもしくはリソースインデックスとプリアンブル情報との間の対応関係、プリセットされた時間オフセット、およびセル共通パラメータに従って、再送競合解決メッセージを受信するためのリソースを決定すること、または
再送競合解決メッセージのリソースもしくはリソースインデックスとRARリソース情報との間の対応関係およびプリセットされた時間オフセットに従って、再送競合解決メッセージを受信するためのリソースを決定すること、または
再送競合解決メッセージのリソースもしくはリソースインデックスとRARリソース情報との間の対応関係、プリセットされた時間オフセット、およびセル共通パラメータに従って、再送競合解決メッセージを受信するためのリソースを決定すること、または
再送競合解決メッセージのリソースもしくはリソースインデックスと指定されたパラメータとの間の対応関係およびプリセットされた時間オフセットに従って、再送競合解決メッセージを受信するためのリソースを決定すること、または
再送競合解決メッセージのリソースもしくはリソースインデックスと指定されたパラメータとの間の対応関係、プリセットされた時間オフセット、およびセル共通パラメータに従って、再送競合解決メッセージを受信するためのリソースを決定することをさらに実行する命令を実行し、
セル共通パラメータは、セル識別情報、サブフレーム番号、フレーム番号、タイムスロット番号、もしくは直交周波数分割多重シンボルインデックスを含み、指定されたパラメータは、再送競合解決メッセージを送信するために使用されるリソースインデックス、経路損失範囲、基準信号受信電力値もしくは範囲、基準信号受信品質値もしくは範囲、チャネル品質情報値もしくは範囲、ユーザ機器のサービスタイプ、ユーザ機器の節電タイプ、ユーザ機器の遅延タイプ、またはユーザ機器の移動性タイプを含み、
前述の対応関係は、関数関係、表関係、または指定された関係であり、対応関係は、シグナリングを使用することによって構成されるか、またはシステムによってプリセットされる。
【０４５２】
それに加えて、RAR応答メッセージに使用されるリソースは、RAR応答メッセージの伝送の回数に対応し、RAR応答メッセージの伝送の異なる回数で使用されるリソースは、時間、および/または周波数、および/またはコードワードに関して直交しており、
競合解決メッセージに使用されるリソースは、競合解決メッセージの伝送の回数に対応し、競合解決メッセージの伝送の異なる回数で使用されるリソースは、時間、および/または周波数、および/またはコードワードに関して直交しており、
第1のメッセージの伝送は、事前定義された第1のメッセージ構成を使用することによって実行され、第1の情報は、RARメッセージ、またはRAR応答メッセージ、または競合解決メッセージ、または再送RAR応答メッセージ、または再送競合解決メッセージであり、第1のメッセージ構成は、変調符号化方式、伝送ブロックのサイズ、電力設定のうちの1つまたは複数を含むことに留意されたい。
【０４５３】
本発明のこの実施形態で実現されるユーザ機器が暗黙の方式を受けることは、ランダムアクセスプリアンブルインデックスの識別子を指示するために使用され、ランダムアクセスプリアンブルインデックスの識別子のビットの量が低減され、これにより、RARメッセージが簡素化され得るか、または、指定されたパラメータに従ってランダムアクセスプリアンブルが設定されるものとしてよく、次いで、対応するランダムアクセスプリアンブルインデックスの識別子のビットの量が、設定されたランダムアクセスプリアンブルに従って設定されるか、または、RARメッセージが一時識別子を指示するためのビットもしくはフィールドを含まないようにされ得るか、または、RARメッセージがアップリンクスケジューリング/グラント情報を含まないようにされ得るか、または、タイミングアドバンスコマンドが事前定義されるものとしてよく、事前定義されたタイミングアドバンスコマンドの調整精度は、指定された調整精度よりも大きく、ランダムアクセスの手順におけるメッセージは、簡素化され、それと同時に、RAR応答メッセージを伝送し、競合解決メッセージを伝送し、RAR応答メッセージを再送し、競合解決メッセージを再送するために使用されるリソースは、プリセットされ、それにより、スケジューリングを通じてリソースを割り振る必要がなくなり、それによって、ランダムアクセスのプロセスを簡素化し、ランダムアクセスのプロセスにおける情報伝送の信頼性を改善する。
【０４５４】
本発明における「および/または」(「および/もしくは」、「ならびに/または」)は、関連付けられている対象を説明するための関連付け関係のみを説明し、3つの関係が存在し得ることを表す。たとえば、Aおよび/またはBは、次の3つの場合を表し得る。Aのみが存在する、AとBが両方とも存在する、およびBのみが存在する。それに加えて、この明細書における文字「/」は、一般的に、関連付けられている対象の間の「or」関係を指示する。
【０４５５】
本出願において提供されるいくつかの実施形態において、開示されている方法、装置、およびシステムが、他の方式で実装され得ることが理解されるであろう。たとえば、説明されている装置の実施形態は、単なる例にすぎない。たとえば、ユニットを分けることは、単に論理機能を分けることであり、実際の実装では他の分け方であってもよい。たとえば、複数のユニットまたはコンポーネントが、別のシステム内に組み合わされ得るか、もしくは一体化され得るか、またはいくつかの特徴が無視され得るか、もしくは実施され得ない。それに加えて、表示されている、または説明されている相互結合もしくは直接的結合もしくは通信接続は、いくつかのインターフェースを通じて実装され得る。装置もしくはユニットの間の間接的結合もしくは通信接続は、電子的な、機械的な、または他の形態で実装され得る。
【０４５６】
分離している部分として説明されるユニットは、物理的に分離していても分離していなくてもよく、ユニットとして表示される部分は、物理的ユニットであっても物理的ユニットでなくてもよく、1つの位置に配置され得るか、または複数のネットワークユニット上に分散され得る。ユニットの一部または全部は、実施形態の解決策の目的を達成するために実際に必要なものに従って選択され得る。
【０４５７】
それに加えて、本発明の実施形態における機能ユニットは、1つの処理ユニット内に一体化され得るか、またはユニットの各々が、物理的に単独で存在し得るか、または2つもしくはそれ以上のユニットが、1つのユニット内に一体化される。一体化されたユニットは、ハードウェアの形態で実装され得るか、またはソフトウェア機能ユニットに加えてハードウェアの形態で実装され得る。
【０４５８】
前述の一体化されたユニットがソフトウェア機能ユニットの形態で実装される場合、一体化されたユニットは、コンピュータ可読記憶媒体に記憶され得る。ソフトウェア機能ユニットは、記憶媒体に記憶され、本発明の実施形態において説明されている方法のステップのうちのいくつかを実行することをコンピュータデバイス(パーソナルコンピュータ、サーバ、またはネットワークデバイスであってよい)に命令するための複数の命令を含む。前述の記憶媒体は、USBフラッシュドライブ、取り外し可能なハードディスク、リードオンリーメモリ(Read-Only Memory、ROM)、ランダムアクセスメモリ(Random Access Memory、RAM)、磁気ディスク、または光ディスクなどの、プログラムコードを記憶することができる媒体を含む。
【０４５９】
前述の説明は、本発明の単なる特定の実装方式にすぎず、本発明の保護範囲を制限することを意図されていない。本発明において開示されている技術の範囲内で当業者が容易に考え付く変更形態または代替的形態は、本発明の保護範囲内にあるものとする。したがって、本発明の保護範囲は、請求項の保護範囲に従うものとする。
【符号の説明】
【０４６０】
1  経路損失範囲
2  経路損失範囲
3  経路損失範囲
2，3，4  メッセージ
01  基地局
011  受信ユニット
012  情報決定ユニット
013  リソース決定ユニット
014  受信ユニット
015  識別情報制御ユニット
02  ユーザ機器
021  プリアンブル決定ユニット
022  送信ユニット
023  情報決定ユニット
024  リソース決定ユニット
025  受信ユニット
03  基地局
031  バス
032  プロセッサ
033  メモリ
034  インターフェース
04  ユーザ機器
041  バス
042  プロセッサ
043  メモリ
044  インターフェース
【図１】
0006449954.tif 000003
【図２】
0006449954.tif 000004
【図３】
0006449954.tif 000005
【図４】
0006449954.tif 000006
【図５】
0006449954.tif 000007
【図６】
0006449954.tif 000008
【図７】
0006449954.tif 000009
【図８】
0006449954.tif 000010
【図９】
0006449954.tif 000011
【図１０】
0006449954.tif 000012